(57)【要約】無線システムにおいて補足アップリンク（ＳＵＬ）が使用され得る。セル適合性基準がＳＵＬで構成されたセルに対して提供され得る。無線送信／受信ユニット（ＷＴＲＵ）は、初期アクセスの一部またはすべてを開始するためのキャリア（たとえば、ＳＵＬまたは正規アップリンク（ＲＵＬ））の表示とともにページングを受信し得る。応答駆動型ページングを実行している可能性があるＷＴＲＵは、ビームフォーミングされないＳＵＬ上のページングメッセージのビームフォーミングのための（例えば、明示的な）ビーム情報を提供し得る。ハンドオーバ（ＨＯ）手順（例えば、キャリア選択、構成処理、ＨＯ失敗など）は、構成されたＳＵＬを有するＷＴＲＵに提供され得る。ＷＴＲＵは、構成されたＵＬの変更を要求することができる。ＷＴＲＵは、たとえば、１つまたは複数の条件が満たされ得るとき、異なる（たとえば、構成された）アップリンクへの切り替えを（たとえば、自律的に）実行することができる（たとえば、条件付きスイッチ）。半永続的スケジューリング（ＳＰＳ）リソース／構成は、第１のＵＬから第２のＵＬにリロケートされ得る。
2021503226.tif 000002
【特許請求の範囲】
【請求項１】
ワイヤレス送受信ユニット（ＷＴＲＵ）によって実行される方法であって、
セルの適合性を判定することであって、
前記セルが補足アップリンク（ＳＵＬ）を用いて構成され、および前記ＷＴＲＵが前記セルの周波数のＳＵＬ通信をサポートする場合、前記セルの適合性は第１のセル適合性基準を使用して判定され、
前記セルがＳＵＬを用いて構成されていない、または前記ＷＴＲＵが前記セルの前記周波数のＳＵＬ通信をサポートしていない場合、前記セルの適合性は第２のセル適合性基準を使用して判定される、ことと、
前記セルの前記判定された適合性に基づいて、前記セルを選択することと、
前記選択されたセルにキャンプオンすること、
を含む、方法。
【請求項２】
前記第１のセル適合性基準は前記セルに固有のＳＵＬオフセットを利用し、前記第２のセル適合性基準は前記ＳＵＬオフセットと異なる前記セルに固有の非ＳＵＬオフセットを利用する、請求項１に記載の方法。
【請求項３】
前記セルのＳＵＬオフセットおよび前記セルの非ＳＵＬオフセットを受信することであって、前記第１のセル適合性基準は前記ＳＵＬオフセットを利用し、前記第２のセル適合性基準は前記非ＳＵＬオフセットを利用する、請求項１に記載の方法。
【請求項４】
前記セルからシステム情報を受信することと、
前記システム情報がＳＵＬ構成情報を含むと判定することと、
前記ＳＵＬ構成情報の受信に基づいて、前記セルが前記ＳＵＬを用いて構成されていると判定することと、
をさらに含む、請求項１に記載の方法。
【請求項５】
前記セルの前記ＳＵＬは前記周波数で動作し、前記セルの正規アップリンク（ＲＵＬ）は第２の周波数で動作し、前記セルにおけるＳＵＬ動作をサポートするかどうかを判定するために、前記ＷＴＲＵは、前記ＷＴＲＵが前記第２の周波数におけるＲＵＬと共に前記周波数におけるＳＵＬ動作をサポートできるかどうかを判定する、請求項１に記載の方法。
【請求項６】
前記セルから、第２のセルに関する情報を含むシステム情報ブロック（ＳＩＢ）を受信することと、
前記ＳＩＢに基づいて前記第２のセルの適合性を判定することであって、
前記第２のセルが補足アップリンク（ＳＵＬ）を用いて構成され、および前記ＷＴＲＵがＳＵＬ通信をサポートする場合、前記第２のセルの適合性は第３のセル適合性基準を使用して判定され、
前記第２のセルがＳＵＬを用いて構成されていない、または前記ＷＴＲＵがＳＵＬ通信をサポートしていない場合、前記第２のセルの適合性は第４のセル適合性基準を使用して判定される
ことと、
をさらに含む、請求項１に記載の方法。
【請求項７】
前記ＳＩＢは、前記第２のセルがＳＵＬ通信をサポートするかどうかを示す、請求項６に記載の方法。
【請求項８】
前記ＳＩＢは、ＳＵＬをサポートするセルのセル識別（ＩＤ）およぶＳＵＬをサポートするセルのＳＵＬ周波数の表示を伴う隣接セルリストを備える、請求項６に記載の方法。
【請求項９】
前記第３のセル適合性基準は、前記第２のセルに固有の第２のＳＵＬオフセットを利用し、前記第４のセル適合性基準は、前記第２のセルに固有の第２の非ＳＵＬオフセットを利用する、請求項６に記載の方法。
【請求項１０】
前記第２のセルの前記判定された適合性に基づいて、前記第２のセルを選択することと、
前記第２のセルにキャンプオンすることと
をさらに含む、請求項６に記載の方法。
【請求項１１】
ワイヤレス送受信ユニット（ＷＴＲＵ）であって、
セルが補足アップリンク（ＳＵＬ）を用いて構成され、および前記ＷＴＲＵが前記セルの周波数のＳＵＬ通信をサポートする場合、第１のセル適合性基準を使用して前記セルの適合性を判定し、
前記セルがＳＵＬを用いて構成されていない、または前記ＷＴＲＵが前記セルの前記周波数のＳＵＬ通信をサポートしていない場合、第２のセル適合性基準を使用して前記セルの適合性を判定し、
前記セルの前記判定された適合性に基づいて、前記セルを選択し、
前記選択されたセルにキャンプオンする
ように構成されたプロセッサを備えた、ＷＴＲＵ。
【請求項１２】
前記第１のセル適合性基準は前記セルに固有のＳＵＬオフセットを利用し、前記第２のセル適合性基準は前記セルに固有の前記ＳＵＬオフセットと異なる非ＳＵＬオフセットを利用する、請求項１１に記載のＷＴＲＵ。
【請求項１３】
前記プロセッサは、前記セルのＳＵＬオフセットおよび前記セルの非ＳＵＬオフセットを受信するように構成され、前記第１のセル適合性基準は前記ＳＵＬオフセットを利用し、前記第２のセル適合性基準は前記非ＳＵＬオフセットを利用する、請求項１１に記載のＷＴＲＵ。
【請求項１４】
前記プロセッサは、
前記セルからシステム情報を受信し、
前記システム情報がＳＵＬ構成情報を含むと判定し、
前記ＳＵＬ構成情報の受信に基づいて、前記セルが前記ＳＵＬを用いて構成されていると判定する
ようにさらに構成されている、請求項１１に記載のＷＴＲＵ。
【請求項１５】
前記プロセッサは、
前記セルからシステム情報を受信し、
前記システム情報がＳＵＬ構成情報を含んでいないと判定する
ようにさらに構成されている、請求項１１に記載のＷＴＲＵ。
【請求項１６】
前記プロセッサは、
前記セルから、第２のセルに関する情報を含むシステム情報ブロック（ＳＩＢ）を受信し、
前記ＳＩＢに基づいて前記第２のセルの適合性を判定する
ようにさらに構成され、
前記第２のセルが補足アップリンク（ＳＵＬ）を用いて構成され、および前記ＷＴＲＵがＳＵＬ通信をサポートする場合、前記プロセッサは、前記第２のセルの前記適合性を第３のセル適合性基準を使用して判定するように構成され、
前記第２のセルがＳＵＬを用いて構成されていない、または前記ＷＴＲＵがＳＵＬ通信をサポートしていない場合、前記プロセッサは、前記第２のセルの前記適合性を第４のセル適合性基準を使用して判定するように構成されている、請求項１１に記載のＷＴＲＵ。
【請求項１７】
前記ＳＩＢは、前記第２のセルがＳＵＬ通信をサポートするかどうかを示す、請求項１６に記載のＷＴＲＵ。
【請求項１８】
前記ＳＩＢは、ＳＵＬをサポートするセルのセル識別（ＩＤ）およぶＳＵＬをサポートするセルのＳＵＬ周波数の表示を伴う隣接セルリストを備える、請求項１６に記載のＷＴＲＵ。
【請求項１９】
前記第３のセル適合性基準は、前記第２のセルに固有の第２のＳＵＬオフセットを利用し、前記第４のセル適合性基準は、前記第２のセルに固有の第２の非ＳＵＬオフセットを利用する、請求項１６に記載のＷＴＲＵ。
【請求項２０】
前記プロセッサは、
前記第２のセルの前記判定された適合性に基づいて、前記第２のセルを選択し、
前記第２のセルにキャンプオンする
ようにさらに構成されている、請求項１６に記載のＷＴＲＵ。
【請求項２１】
ワイヤレス送受信ユニット（ＷＴＲＵ）であって、
第１の補足アップリンク（ＳＵＬ）および第１の正規アップリンク（ＲＵＬ）に関連付けられた第１のセルへの第１のハンドオーバ（ＨＯ）コマンドを受信し、前記第１のＨＯコマンドは、前記第１のＳＵＬまたは前記第１のＲＵＬが第１のＨＯを完了するためのランダムアクセスのために使用されなければならないことの明示的な表示を含み、
前記第１のＨＯコマンドにしたがって前記第１のセルへのＨＯを実行し、
第２のＳＵＬおよび第２のＲＵＬに関連付けられた第２のセルへの第２のハンドオーバ（ＨＯ）コマンドを受信し、前記ＨＯを完了するためのランダムアクセスのために前記第２のＳＵＬまたは前記第２のＲＵＬを使用するかどうかは、前記ＳＵＬのダウンリンク基準信号受信電力（ＤＬ−ＲＳＲＰ）に基づいて判定され、前記ＤＬ−ＲＳＲＰがしきい値を下回る場合、プロセッサは、ＨＯのためのＵＬキャリアとして前記ＳＵＬを選択するように構成され、前記ＤＬ−ＲＳＲＰが前記しきい値以上であるの場合、前記プロセッサは、ＨＯのための前記ＵＬキャリアとして前記ＲＵＬを選択するように構成され、
前記第２のＨＯコマンドにしたがって前記第２のセルへのＨＯを実行する
ように構成された前記プロセッサを備えた、ＷＴＲＵ。
【請求項２２】
ワイヤレス送受信ユニット（ＷＴＲＵ）によって実行される方法であって、
第１のハンドオーバ（ＨＯ）コマンドを受信することと、
前記第１のＨＯコマンドがＨＯの１つのアップリンク（ＵＬ）キャリアの明示的な表示を含むことを判定することと、
前記第１のＨＯコマンドに補足アップリンク（ＳＵＬ）または正規アップリンク（ＲＵＬ）のためのランダムアクセスチャネル（ＲＡＣＨ）リソースが提供されるかどうかに基づいて前記第１のＨＯコマンドのためのＵＬキャリアを選択することと、
前記第１のＨＯオーバコマンドによって表示された前記選択されたＵＬキャリアへのＨＯを実行することと、
第２のＨＯコマンドを受信することと、
前記第２のＨＯコマンドが当該第２のＨＯコマンド内にＳＵＬおよびＲＵＬの双方についての構成を含んでいるということを判定することと、
前記ＳＵＬのダウンリンク基準信号受信電力（ＤＬ−ＲＳＲＰ）がしきい値を下回るかどうかに基づいて前記第２のＨＯコマンドのためのＵＬキャリアを選択することであって、前記ＳＵＬの前記ＤＬ−ＲＳＲＰがしきい値を下回る場合、前記ＳＵＬが前記第２のＨＯの前記ＵＬキャリアとして選択され、前記ＳＵＬの前記ＤＬ−ＲＳＲＰが前記しきい値以上であるの場合、前記ＲＵＬが前記第２のＨＯのための前記ＵＬキャリアとして選択される、ことと、
前記第２のＨＯコマンドにより表示された前記選択されたＵＬキャリアへのＨＯを実行すること
を含む、方法。
【発明の詳細な説明】
【技術分野】
【０００１】
本開示は、ワイヤレスシステムにおける補助アップリンクに関する。
【背景技術】
【０００２】
関連出願の相互参照
本出願は、それらの開示の全体が参照により本明細書に組み込まれる、２０１７年１１月１４日に出願された仮米国特許出願第６２／５８５，８７８号、２０１８年１月９日に出願された米国特許出願第６２／６１５，２５５号、および２０１８年２月１３日に出願された米国特許出願第６２／６２９，９０１号の利益を主張する。
【０００３】
ワイヤレス通信を使用するモバイル通信が発展し続けている。第５世代は、５Ｇと呼ばれることがある。モバイル通信の以前の（レガシー）世代は、たとえば、第４世代（４Ｇ）ロングタームエボリューション（ＬＴＥ）であり得る。
【発明の概要】
【０００４】
ワイヤレスシステムにおける補助アップリンク（ＳＵＬ）のためのシステム、方法、および手段が開示される。ＳＵＬを用いて構成されるセルについて、セル適合性基準が提供され得る。ＷＴＲＵは、初期アクセスの一部または全部をそれにおいて開始すべきキャリア（たとえばＳＵＬまたは正規アップリンク（ＲＵＬ））の表示を伴うページングを受信し得る。応答駆動型ページングを実施していることがあるワイヤレス送受信ユニット（ＷＴＲＵ）は、ビームフォーミングされないＳＵＬ上のページングメッセージのビームフォーミングについて（たとえば明示的な）ビーム情報を提供し得る。構成されたＳＵＬを有するＷＴＲＵに、ハンドオーバ（ＨＯ）手順（たとえばキャリア選択、構成ハンドリング、ＨＯ失敗）が提供され得る。ＷＴＲＵは、構成されたＵＬの変更を要求し得る。ＷＴＲＵは、たとえば、１つまたは複数の条件が満たされ得るとき、異なる（たとえば構成された）アップリンクへの切替えを（たとえば自律的に）実施し得る（たとえば、条件付き切替え）。半永続的スケジューリング（ＳＰＳ）リソース／構成が、第１のＵＬから第２のＵＬにリロケートされ得る。ＳＵＬの存在下で、無線リソース制御（ＲＲＣ）メッセージについて、重複およびＵＬ経路選択が提供され得る。ＷＴＲＵは、たとえば、無線リンク障害（ＲＬＦ）関係の条件がＳＵＬ／ＲＵＬ上で発生したかどうかに基づいて、およびＳＵＬ／ＲＵＬ構成に基づいて、ＲＬＦをトリガすることも、トリガしないこともある。条件は、ＲＵＬ／ＳＵＬ間の切替え時の、ＲＬＦ関係のカウンタ／タイマーの一時停止／リセットのために設定され得る。ＷＴＲＵは、たとえば、２次セルグループ（ＳＣＧ）障害情報報告中に、ＲＵＬ／ＳＵＬ構成をマスタノード（ＭＮ）に通知し得る。ＲＵＬ上のＳＣＧ  ＲＬＦによってトリガされ得る部分的ＳＣＧ障害のために、（たとえば、対応するＷＴＲＵ挙動を伴う）手順が実装され得る。ＷＴＲＵは、再確立をその上で開始すべきＵＬキャリア（たとえばＳＵＬ／ＲＵＬ）を選択し得る。ＳＵＬ／ＲＵＬの存在下で、システム情報（ＳＩ）要求のＵＬ選択のための手順が提供され得る。
【０００５】
ＷＴＲＵは、ハンドオーバ（ＨＯ）コマンドを受信し、ＨＯコマンドに基づいてＨＯのためのアップリンク（ＵＬ）キャリアを選択し得る。たとえば、ＨＯコマンドが、ＨＯのために１つのＵＬキャリアの明示的な表示を備える場合、ＷＴＲＵは、ＨＯコマンド中でランダムアクセスチャネル（ＲＡＣＨ）リソースが補助アップリンク（ＳＵＬ）に提供されるか、正規アップリンク（ＲＵＬ）に提供されるかに基づいて、ＨＯのＵＬキャリアを選択し得る。ＨＯコマンドが、ＨＯコマンド中でＳＵＬとＲＵＬの両方のための構成を備える場合、ＷＴＲＵは、ＳＵＬのダウンリンク基準信号受信電力（ＤＬ−ＲＳＲＰ）がしきい値を下回るかどうかに基づいて、ＨＯのＵＬキャリアを選択し得る。たとえば、ＳＵＬのＤＬ−ＲＳＲＰがしきい値を下回る場合、ＨＯのＵＬキャリアとしてＳＵＬが選択され、ＳＵＬのＤＬ−ＲＳＲＰがしきい値以上である場合、ＨＯのＵＬキャリアとしてＲＵＬが選択される。
【０００６】
ワイヤレス送受信ユニット（ＷＴＲＵ）は、ＷＴＲＵがサポートするＳＵＬを用いてセルが構成されるかどうかに基づいて、異なるセル適合性基準を使用し得る。たとえば、ＷＴＲＵは、セルの適合性を判定し得る。セルがＳＵＬを用いて構成され、ＷＴＲＵが、セルの周波数（たとえば、ＳＵＬ周波数）のためにＳＵＬ通信をサポートする場合、ＷＴＲＵは、第１のセル適合性基準を使用してセルの適合性を判定し得る。セルがＳＵＬを用いて構成されないか、またはＷＴＲＵが、セルの周波数のためにＳＵＬ通信をサポートしない場合、ＷＴＲＵは、第２のセル適合性基準を使用してセルの適合性を判定し得る。その後、ＷＴＲＵは、セルの判定された適合性に基づいてセルを選択し、選択されたセルにキャンプオンし得る。
【０００７】
第１のセル適合性基準は、セルに固有のＳＵＬオフセットを含み得る（たとえば、利用し得る）。第２のセル適合性基準は、ＳＵＬオフセットとは異なる、セルに固有の非ＳＵＬオフセットを含み得る（たとえば、利用し得る）。ＷＴＲＵは、ネットワークからＳＵＬオフセットおよび／または非ＳＵＬオフセットを受信し得る。ＷＴＲＵは、セルからシステム情報を受信し、システム情報がＳＵＬ構成情報を含むと判定し、ＳＵＬ構成情報の受信に基づいて、セルがＳＵＬを用いて構成される（たとえば、またはＳＵＬを用いて構成されない）と判定し得る。
【０００８】
ＷＴＲＵは、セルから、第２のセルに関係する情報を備えるシステム情報ブロック（ＳＩＢ）を受信し、ＳＩＢに基づいて第２のセルの適合性を判定し得る。たとえば、第２のセルがＳＵＬを用いて構成され、ＷＴＲＵがＳＵＬ通信をサポートする場合、ＷＴＲＵは、（たとえば、ＳＵＬオフセットを含む）第３のセル適合性基準を使用して第２のセルの適合性を判定し得るが、第２のセルがＳＵＬを用いて構成されないか、またはＷＴＲＵがＳＵＬ通信をサポートしない場合、ＷＴＲＵは、（たとえば、非ＳＵＬオフセットを含む）第４のセル適合性基準を使用して第２のセルの適合性を判定し得る。ＳＩＢは、第２のセルがＳＵＬ通信をサポートするかどうかを示し得る。ＳＩＢは、ＳＵＬをサポートするセルのセル識別（ＩＤ）をもつ近隣セルリストの表示、および／またはＳＵＬをサポートするセルのＳＵＬ周波数の表示を含み得る。
【図面の簡単な説明】
【０００９】
図における同じ参照番号は、同じ要素を示す。
【００１０】
【図１Ａ】１つまたは複数の開示される実施形態が実装され得る例示的な通信システムを示すシステム図である。
【図１Ｂ】実施形態による図１Ａに示されている通信システム内で使用され得る例示的なワイヤレス送受信ユニット（ＷＴＲＵ）を示すシステム図である。
【図１Ｃ】実施形態による図１Ａに示されている通信システム内で使用され得る例示的な無線アクセスネットワーク（ＲＡＮ）および例示的なコアネットワーク（ＣＮ）を示すシステム図である。
【図１Ｄ】実施形態による図１Ａに示されている通信システム内で使用され得るさらなる例示的なＲＡＮおよびさらなる例示的なＣＮを示すシステム図である。
【図２】セル（たとえば、ｇＮＢ）の例示的なカバレージマップの図である。
【図３】２つのセルを示す例示的なカバレージマップの図である。
【図４】ＷＴＲＵによって実施され得る例示的なセル選択／再選択手順のフローチャートである。
【発明を実施するための形態】
【００１１】
次に、例示的な実施形態の詳細な説明について、様々な図を参照しながら説明される。この説明は、可能な実装の詳細な例を提供するが、これらの詳細は、例示的であることを意図され、決して本出願の範囲を限定することを意図されないことに留意されたい。
【００１２】
図１Ａは、１つまたは複数の開示される実施形態が実装され得る例示的な通信システム１００を示す図である。通信システム１００は、音声、データ、ビデオ、メッセージング、ブロードキャストなどのコンテンツを複数のワイヤレスユーザに提供する多元接続システムであり得る。通信システム１００は、複数のワイヤレスユーザが、ワイヤレス帯域幅を含むシステムリソースの共有を通してそのようなコンテンツにアクセスすることを可能にし得る。たとえば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ拡散ＯＦＤＭ（ＺＴ  ＵＷ  ＤＴＳ−ｓ  ＯＦＤＭ）、ユニークワードＯＦＤＭ（ＵＷ−ＯＦＤＭ）、リソースブロックフィルタードＯＦＤＭ、フィルタバンクマルチキャリア（ＦＢＭＣ）など、１つまたは複数のチャネルアクセス方法を採用し得る。
【００１３】
図１Ａに示されているように、通信システム１００は、ワイヤレス送受信ユニット（ＷＴＲＵ）１０２ａ、１０２ｂ、１０２ｃ、１０２ｄ、ＲＡＮ１０４／１１３、ＣＮ１０６／１１５、公衆交換電話ネットワーク（ＰＳＴＮ）１０８、インターネット１１０、および他のネットワーク１１２を含み得るが、開示される実施形態は、任意の数のＷＴＲＵ、基地局、ネットワーク、および／またはネットワーク要素を企図することが諒解されよう。ＷＴＲＵ１０２ａ、１０２ｂ、１０２ｃ、１０２ｄの各々は、ワイヤレス環境において動作および／または通信するように構成された任意のタイプのデバイスであり得る。例として、「局」および／または「ＳＴＡ」といずれも呼ばれることがある、ＷＴＲＵ１０２ａ、１０２ｂ、１０２ｃ、１０２ｄは、ワイヤレス信号を送受信するように構成されることがあり、ユーザ機器（ＵＥ）、移動局、固定またはモバイル加入者ユニット、サブスクリプションベースのユニット、ページャ、セルラー電話、携帯情報端末（ＰＤＡ）、スマートフォン、ラップトップ、ネットブック、パーソナルコンピュータ、ワイヤレスセンサー、ホットスポットまたはＭｉ−Ｆｉデバイス、モノのインターネット（ＩｏＴ）デバイス、ウォッチまたは他のウェアラブル、ヘッドマウントディスプレイ（ＨＭＤ）、車両、ドローン、医療デバイスおよびアプリケーション（たとえば遠隔手術）、工業デバイスおよびアプリケーション（たとえば産業および／または自動処理チェーンコンテキストにおいて動作するロボットおよび／または他のワイヤレスデバイス）、コンシューマーエレクトロニクスデバイス、商用および／または産業ワイヤレスネットワーク上で動作するデバイスなどを含み得る。ＷＴＲＵ１０２ａ、１０２ｂ、１０２ｃおよび１０２ｄのいずれも、互換的にＵＥと呼ばれることがある。
【００１４】
通信システム１００はまた、基地局１１４ａおよび／または基地局１１４ｂを含み得る。基地局１１４ａ、１１４ｂの各々は、ＣＮ１０６／１１５、インターネット１１０、および／または他のネットワーク１１２など、１つまたは複数の通信ネットワークへのアクセスを促進するためにＷＴＲＵ１０２ａ、１０２ｂ、１０２ｃ、１０２ｄのうちの少なくとも１つとワイヤレスにインターフェースするように構成された任意のタイプのデバイスであり得る。例として、基地局１１４ａ、１１４ｂは、基地トランシーバ局（ＢＴＳ）、ノードＢ、ｅノードＢ、ホームノードＢ、ホームｅノードＢ、ｇＮＢ、ＮＲノードＢ、サイトコントローラ、アクセスポイント（ＡＰ）、ワイヤレスルータなどであり得る。基地局１１４ａ、１１４ｂは単一の要素としてそれぞれ図示されているが、基地局１１４ａ、１１４ｂは、任意の数の相互接続された基地局および／またはネットワーク要素を含み得ることが諒解されよう。
【００１５】
基地局１１４ａは、基地局コントローラ（ＢＳＣ）、無線ネットワークコントローラ（ＲＮＣ）、リレーノードなど、他の基地局および／またはネットワーク要素（図示されず）をも含み得る、ＲＡＮ１０４／１１３の一部であり得る。基地局１１４ａおよび／または基地局１１４ｂは、セル（図示されず）と呼ばれることがある１つまたは複数のキャリア周波数上でワイヤレス信号を送受信するように構成され得る。これらの周波数は、認可スペクトル、無認可スペクトル、または認可スペクトルと無認可スペクトルの合成の中にあり得る。セルは、比較的固定であり得るかまたは時間とともに変化し得る特定の地理的エリアにワイヤレスサービスのカバレージを提供し得る。セルは、セルセクタにさらに分割され得る。たとえば、基地局１１４ａに関連するセルは、３つのセクタに分割され得る。したがって、一実施形態では、基地局１１４ａは、３つのトランシーバを含むことがあり、すなわち、セルのセクタごとに１つを含むことがある。実施形態では、基地局１１４ａは、多入力多出力（ＭＩＭＯ）技術を採用することがあり、セルのセクタごとに複数のトランシーバを利用することがある。たとえば、所望の空間方向に信号を送受信するためにビームフォーミングが使用されることがある。
【００１６】
基地局１１４ａ、１１４ｂは、任意の好適なワイヤレス通信リンク（たとえば無線周波数（ＲＦ）、マイクロ波、センチメートル波、マイクロメートル波、赤外線（ＩＲ）、紫外（ＵＶ）、可視光など）であり得るエアインターフェース１１６を介してＷＴＲＵ１０２ａ、１０２ｂ、１０２ｃ、１０２ｄのうちの１つまたは複数と通信し得る。エアインターフェース１１６は、任意の好適な無線アクセス技術（ＲＡＴ）を使用して確立され得る。
【００１７】
より詳細には、上述されたように、通信システム１００は、多元接続システムであることがあり、ＣＤＭＡ、ＴＤＭＡ、ＦＤＭＡ、ＯＦＤＭＡ、ＳＣ−ＦＤＭＡなど、１つまたは複数のチャネルアクセス方式を採用し得る。たとえば、ＲＡＮ１０４／１１３中の基地局１１４ａおよびＷＴＲＵ１０２ａ、１０２ｂ、１０２ｃは、広帯域ＣＤＭＡ（ＷＣＤＭＡ）を使用してエアインターフェース１１５／１１６／１１７を確立し得る、ユニバーサルモバイルテレコミュニケーションズシステム（ＵＭＴＳ）地上波無線アクセス（ＵＴＲＡ）などの無線技術を実装し得る。ＷＣＤＭＡは、高速パケットアクセス（ＨＳＰＡ）および／または発展型ＨＳＰＡ（ＨＳＰＡ＋）などの通信プロトコルを含み得る。ＨＳＰＡは、高速ダウンリンク（ＤＬ）パケットアクセス（ＨＳＤＰＡ）および／または高速ＵＬパケットアクセス（ＨＳＵＰＡ）を含み得る。
【００１８】
実施形態では、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）および／またはＬＴＥアドバンストプロ（ＬＴＥ−Ａ  Ｐｒｏ）を使用してエアインターフェース１１６を確立し得る、発展型ＵＭＴＳ地上波無線アクセス（Ｅ−ＵＴＲＡ）などの無線技術を実装し得る。
【００１９】
実施形態では、基地局１１４ａおよびＷＴＲＵ１０２ａ、１０２ｂ、１０２ｃは、新無線（ＮＲ）を使用してエアインターフェース１１６を確立し得る、ＮＲ無線アクセスなどの無線技術を実装し得る。
【００２０】
実施形態では、基地局１１４ａおよびＷＴＲＵ１０２ａ、１０２ｂ、１０２ｃは、複数の無線アクセス技術を実装し得る。たとえば、基地局１１４ａおよびＷＴＲＵ１０２ａ、１０２ｂ、１０２ｃは、たとえばデュアル接続性（ＤＣ）原理を使用して、ＬＴＥ無線アクセスとＮＲ無線アクセスを一緒に実装し得る。このように、ＷＴＲＵ１０２ａ、１０２ｂ、１０２ｃによって利用されるエアインターフェースは、複数のタイプの無線アクセス技術、ならびに／または複数のタイプの基地局（たとえばｅＮＢおよびｇＮＢ）に／から送られる送信によって特徴づけられ得る。
【００２１】
他の実施形態では、基地局１１４ａおよびＷＴＲＵ１０２ａ、１０２ｂ、１０２ｃは、ＩＥＥＥ８０２．１１（すなわち、ワイヤレスフィデリティ（ＷｉＦｉ）、ＩＥＥＥ８０２．１６（すなわち、ワールドワイドインターオペラビリティフォーマイクロウェーブアクセス（ＷｉＭＡＸ））、ＣＤＭＡ２０００、ＣＤＭＡ２０００  １Ｘ、ＣＤＭＡ２０００  ＥＶ−ＤＯ、インタリム規格２０００（ＩＳ−２０００）、インタリム規格９５（ＩＳ−９５）、インタリム規格８５６（ＩＳ−８５６）、モバイル通信用グローバルシステム（ＧＳＭ）、ＧＳＭ発展型高速データレート（ＥＤＧＥ）、ＧＳＭ  ＥＤＧＥ（ＧＥＲＡＮ）などの無線技術を実装し得る。
【００２２】
図１Ａの基地局１１４ｂは、たとえば、ワイヤレスルータ、ホームノードＢ、ホームｅノードＢ、またはアクセスポイントであってよく、ビジネス、ホーム、車両、キャンパス、工業設備、（たとえばドローンが使用するための）空中回廊、道路などの場所などの局在化エリアにおいてワイヤレス接続性を促進するために任意の好適なＲＡＴを利用し得る。一実施形態では、基地局１１４ｂおよびＷＴＲＵ１０２ｃ、１０２ｄは、ワイヤレスローカルエリアネットワーク（ＷＬＡＮ）を確立するためにＩＥＥＥ８０２．１１などの無線技術を実装し得る。実施形態では、基地局１１４ｂおよびＷＴＲＵ１０２ｃ、１０２ｄは、ワイヤレスパーソナルエリアネットワーク（ＷＰＡＮ）を確立するためにＩＥＥＥ８０２．１５などの無線技術を実装し得る。また別の実施形態では、基地局１１４ｂおよびＷＴＲＵ１０２ｃ、１０２ｄは、ピコセルまたはフェムトセルを確立するためにセルラーベースのＲＡＴ（たとえばＷＣＤＭＡ、ＣＤＭＡ２０００、ＧＳＭ、ＬＴＥ、ＬＴＥ−Ａ、ＬＴＥ−Ａプロ、ＮＲなど）を利用し得る。図１Ａに示されているように、基地局１１４ｂは、インターネット１１０への直接接続を有し得る。したがって、基地局１１４ｂは、ＣＮ１０６／１１５を介してインターネット１１０にアクセスする必要がないことがある。
【００２３】
ＲＡＮ１０４／１１３はＣＮ１０６／１１５と通信していることがあり、ＣＮ１０６／１１５は、ＷＴＲＵ１０２ａ、１０２ｂ、１０２ｃ、１０２ｄのうちの１つまたは複数に音声、データ、アプリケーション、および／またはボイスオーバーインターネットプロトコル（ＶｏＩＰ）サービスを提供するように構成された任意のタイプのネットワークであり得る。データは、異なるスループット要件、レイテンシ要件、エラー許容要件、信頼性要件、データスループット要件、モビリティ要件など、様々なサービス品質（ＱｏＳ）要件を有することがある。ＣＮ１０６／１１５は、呼制御、課金サービス、モバイルロケーションベースのサービス、プリペイド発呼、インターネット接続性、ビデオ配信などを提供し、および／またはユーザ認証などの高レベルセキュリティ機能を実施し得る。図１Ａには示されていないが、ＲＡＮ１０４／１１３および／またはＣＮ１０６／１１５は、ＲＡＮ１０４／１１３と同じＲＡＴまたは異なるＲＡＴを採用する他のＲＡＮと直接または間接通信していることがあることが諒解されよう。たとえば、ＮＲ無線技術を利用していることがあるＲＡＮ１０４／１１３に接続されていることに加えて、ＣＮ１０６／１１５は、ＧＳＭ、ＵＭＴＳ、ＣＤＭＡ２０００、ＷｉＭＡＸ、Ｅ−ＵＴＲＡ、またはＷｉＦｉ無線技術を採用する別のＲＡＮ（図示されず）とも通信していることがある。
【００２４】
ＣＮ１０６／１１５はまた、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして働き得る。ＰＳＴＮ１０８は、単純旧式電話サービス（ＰＯＴＳ）を提供する回線交換電話ネットワークを含み得る。インターネット１１０は、ＴＣＰ／ＩＰインターネットプロトコルスイートにおける伝送制御プロトコル（ＴＣＰ）、ユーザデータグラムプロトコル（ＵＤＰ）および／またはインターネットプロトコル（ＩＰ）など、共通の通信プロトコルを使用する相互接続されたコンピュータネットワークおよびデバイスのグローバルシステムを含み得る。ネットワーク１１２は、他のサービスプロバイダによって所有および／または動作されるワイヤードおよび／またはワイヤレス通信ネットワークを含み得る。たとえば、ネットワーク１１２は、ＲＡＮ１０４／１１３と同じＲＡＴまたは異なるＲＡＴを採用することがある、１つまたは複数のＲＡＮに接続された別のＣＮを含み得る。
【００２５】
通信システム１００中のＷＴＲＵ１０２ａ、１０２ｂ、１０２ｃ、１０２ｄの一部または全部はマルチモード能力を含み得る（たとえばＷＴＲＵ１０２ａ、１０２ｂ、１０２ｃ、１０２ｄは、異なるワイヤレスリンクを介して異なるワイヤレスネットワークと通信するための複数のトランシーバを含み得る）。たとえば、図１Ａに示されているＷＴＲＵ１０２ｃは、セルラーベースの無線技術を採用し得る基地局１１４ａ、およびＩＥＥＥ８０２無線技術を採用し得る基地局１１４ｂと通信するように構成され得る。
【００２６】
図１Ｂは、例示的なＷＴＲＵ１０２を示すシステム図である。図１Ｂに示されているように、ＷＴＲＵ１０２は、特に、プロセッサ１１８、トランシーバ１２０、送受信要素１２２、スピーカー／マイクロフォン１２４、キーパッド１２６、ディスプレイ／タッチパッド１２８、非リムーバブルメモリ１３０、リムーバブルメモリ１３２、電源１３４、全地球測位システム（ＧＰＳ）チップセット１３６、および／または他の周辺機器１３８を含み得る。ＷＴＲＵ１０２は、実施形態に合致したままでありながら、上記の要素のどんな部分組合せでも含み得ることが諒解されよう。
【００２７】
プロセッサ１１８は、汎用プロセッサ、専用プロセッサ、従来型プロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などであり得る。プロセッサ１１８は、ＷＴＲＵ１０２がワイヤレス環境において動作することを可能にする、信号コーディング、データ処理、電力制御、入出力処理、および／または任意の他の機能を実施し得る。プロセッサ１１８は、送受信要素１２２に結合され得るトランシーバ１２０に結合されることがある。図１Ｂはプロセッサ１１８およびトランシーバ１２０を別個の構成要素として示しているが、プロセッサ１１８およびトランシーバ１２０は、電子パッケージまたはチップ中で互いに一体化され得ることが諒解されよう。
【００２８】
送受信要素１２２は、エアインターフェース１１６を介して基地局（たとえば基地局１１４ａ）に信号を送信するか、またはそれから信号を受信するように構成され得る。たとえば、一実施形態では、送受信要素１２２は、ＲＦ信号を送信および／または受信するように構成されたアンテナであり得る。実施形態では、送受信要素１２２は、たとえば、ＩＲ、ＵＶ、または可視光信号を送信および／または受信するように構成された放出器／検出器であり得る。また別の実施形態では、送受信要素１２２は、ＲＦ信号と光信号の両方を送信および／または受信するように構成され得る。送受信要素１２２は、ワイヤレス信号のどんな合成でも送信および／または受信するように構成され得ることが諒解されよう。
【００２９】
送受信要素１２２は図１Ｂでは単一の要素として図示されているが、ＷＴＲＵ１０２は、任意の数の送受信要素１２２を含み得る。より詳細には、ＷＴＲＵ１０２はＭＩＭＯ技術を採用し得る。このように、一実施形態では、ＷＴＲＵ１０２は、エアインターフェース１１６を介してワイヤレス信号を送信および受信するために２つ以上の送受信要素１２２（たとえば複数のアンテナ）を含み得る。
【００３０】
トランシーバ１２０は、送受信要素１２２によって送信されるべき信号を変調するように、および送受信要素１２２によって受信された信号を復調するように構成され得る。上述されたように、ＷＴＲＵ１０２はマルチモード能力を有し得る。したがって、トランシーバ１２０は、ＷＴＲＵ１０２が、たとえば、ＮＲおよびＩＥＥＥ８０２．１１など、複数のＲＡＴを介して通信することを可能にするための複数のトランシーバを含み得る。
【００３１】
ＷＴＲＵ１０２のプロセッサ１１８は、スピーカー／マイクロフォン１２４、キーパッド１２６、および／またはディスプレイ／タッチパッド１２８（たとえば液晶ディスプレイ（ＬＣＤ）ディスプレイユニットもしくは有機発光ダイオード（ＯＬＥＤ）ディスプレイユニット）に結合されることがあり、それらからユーザ入力データを受信し得る。プロセッサ１１８はまた、スピーカー／マイクロフォン１２４、キーパッド１２６、および／またはディスプレイ／タッチパッド１２８にユーザデータを出力し得る。加えて、プロセッサ１１８は、非リムーバブルメモリ１３０および／またはリムーバブルメモリ１３２など、任意のタイプの好適なメモリからの情報にアクセスし、それにデータを記憶し得る。非リムーバブルメモリ１３０は、ランダムアクセスメモリ（ＲＡＭ）、読取り専用メモリ（ＲＯＭ）、ハードディスク、または任意の他のタイプのメモリ記憶デバイスを含み得る。リムーバブルメモリ１３２は、加入者識別モジュール（ＳＩＭ）カード、メモリスティック、セキュアデジタル（ＳＤ）メモリカードなどを含み得る。他の実施形態では、プロセッサ１１８は、サーバまたはホームコンピュータ（図示されず）上など、ＷＴＲＵ１０２上に物理的に位置しないメモリからの情報にアクセスし、それにデータを記憶し得る。
【００３２】
プロセッサ１１８は、電源１３４から電力を受け取ることがあり、ＷＴＲＵ１０２中の他の構成要素への電力を分配および／または制御するように構成され得る。電源１３４は、ＷＴＲＵ１０２に電力供給するための任意の好適なデバイスであり得る。たとえば、電源１３４は、１つまたは複数の乾電池バッテリー（たとえばニッケルカドミウム（ＮｉＣｄ）、ニッケル亜鉛（ＮｉＺｎ）、ニッケル金属水素化物（ＮｉＭＨ）、リチウムイオン（Ｌｉイオン）など）、太陽電池、燃料電池などを含み得る。
【００３３】
プロセッサ１１８はＧＰＳチップセット１３６に結合されることもあり、ＧＰＳチップセット１３６は、ＷＴＲＵ１０２の現在ロケーションに関するロケーション情報（たとえば経度および緯度）を提供するように構成され得る。ＧＰＳチップセット１３６からの情報に加えて、または、それの代わりに、ＷＴＲＵ１０２は、基地局（たとえば基地局１１４ａ、１１４ｂ）からエアインターフェース１１６を介してロケーション情報を受信し、および／または２つ以上の近くの基地局から受信されている信号のタイミングに基づいてそれのロケーションを判定し得る。ＷＴＲＵ１０２は、実施形態に合致したままでありながら、任意の好適なロケーション判定方法を介してロケーション情報を収集し得ることが諒解されよう。
【００３４】
プロセッサ１１８は他の周辺機器１３８にさらに結合されることがあり、他の周辺機器１３８は、追加の特徴、機能および／またはワイヤードもしくはワイヤレス接続性を提供する１つまたは複数のソフトウェアおよび／またはハードウェアモジュールを含み得る。たとえば、周辺機器１３８は、加速度計、電子コンパス、衛星トランシーバ、（写真および／またはビデオ用の）デジタルカメラ、ユニバーサルシリアルバス（ＵＳＢ）ポート、振動デバイス、テレビジョントランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ、バーチャルリアリティおよび／または拡張現実（ＶＲ／ＡＲ）デバイス、アクティビティトラッカーなどを含み得る。周辺機器１３８は１つまたは複数のセンサーを含むことがあり、センサーは、ジャイロスコープ、加速度計、ホール効果センサー、磁力計、配向センサー、近接センサー、温度センサー、時間センサー、ジオロケーションセンサー、高度計、光センサー、タッチセンサー、磁力計、気圧計、ジェスチャーセンサー、生体センサー、および／または湿度センサーのうちの１つまたは複数であり得る。
【００３５】
ＷＴＲＵ１０２は、（たとえば、（たとえば送信用の）ＵＬと（たとえば受信用の）ダウンリンクの両方について特定のサブフレームに関連する）信号の一部または全部の送信と受信がコンカレントおよび／または同時であり得る、全二重無線機を含み得る。全二重無線機は、ハードウェア（たとえばチョーク）か、またはプロセッサを介した（たとえば別個のプロセッサ（図示されず）もしくはプロセッサ１１８を介した）信号処理のいずれかを介して自己干渉を低減しおよびまたは実質的になくすための干渉管理ユニット１３９を含み得る。実施形態では、ＷＴＲＵ１０２は、（たとえば、（たとえば、送信用の）ＵＬまたは（たとえば受信用の）ダウンリンクのいずれかについて特定のサブフレームに関連する）信号の一部または全部の送信および受信、半二重無線機を含み得る。
【００３６】
図１Ｃは、実施形態によるＲＡＮ１０４およびＣＮ１０６を示すシステム図である。上述されたように、ＲＡＮ１０４は、エアインターフェース１１６を介してＷＴＲＵ１０２ａ、１０２ｂ、１０２ｃと通信するためにＥ−ＵＴＲＡ無線技術を採用し得る。ＲＡＮ１０４はＣＮ１０６と通信していることもある。
【００３７】
ＲＡＮ１０４はｅノードＢ１６０ａ、１６０ｂ、１６０ｃを含み得るが、ＲＡＮ１０４は、実施形態に合致したままでありながら、任意の数のｅノードＢを含み得ることが諒解されよう。ｅノードＢ１６０ａ、１６０ｂ、１６０ｃは、エアインターフェース１１６を介してＷＴＲＵ１０２ａ、１０２ｂ、１０２ｃと通信するための１つまたは複数のトランシーバをそれぞれ含み得る。一実施形態では、ｅノードＢ１６０ａ、１６０ｂ、１６０ｃはＭＩＭＯ技術を実装し得る。このようにして、たとえば、ｅノードＢ１６０ａは、複数のアンテナを使用して、ＷＴＲＵ１０２ａにワイヤレス信号を送信し、および／またはそれからワイヤレス信号を受信し得る。
【００３８】
ｅノードＢ１６０ａ、１６０ｂ、１６０ｃの各々は、特定のセル（図示されず）に関連することがあり、無線リソース管理決定、ハンドオーバ決定、ＵＬおよび／またはＤＬにおけるユーザのスケジューリングなどをハンドリングするように構成され得る。図１Ｃに示されているように、ｅノードＢ１６０ａ、１６０ｂ、１６０ｃは、Ｘ２インターフェースを介して互いに通信し得る。
【００３９】
図１Ｃに示されているＣＮ１０６は、モビリティ管理エンティティ（ＭＭＥ）１６２、サービングゲートウェイ（ＳＧＷ）１６４、およびパケットデータネットワーク（ＰＤＮ）ゲートウェイ（またはＰＧＷ）１６６を含み得る。上記の要素の各々はＣＮ１０６の一部として図示されているが、これらの要素のいずれも、ＣＮ事業者以外のエンティティによって所有および／または動作され得ることが諒解されよう。
【００４０】
ＭＭＥ１６２は、Ｓ１インターフェースを介してＲＡＮ１０４中のｅノードＢ１６２ａ、１６２ｂ、１６２ｃの各々に接続されることがあり、制御ノードとして働き得る。たとえば、ＭＭＥ１６２は、ＷＴＲＵ１０２ａ、１０２ｂ、１０２ｃのユーザを認証すること、ベアラアクティブ化／非アクティブ化、ＷＴＲＵ１０２ａ、１０２ｂ、１０２ｃの初期アタッチ中に特定のサービングゲートウェイを選択することなどを担当し得る。ＭＭＥ１６２は、ＲＡＮ１０４と、ＧＳＭおよび／またはＷＣＤＭＡなどの他の無線技術を採用する他のＲＡＮ（図示されず）との間で切り替わるための制御プレーン機能を提供し得る。
【００４１】
ＳＧＷ１６４は、Ｓ１インターフェースを介してＲＡＮ１０４中のｅノードＢ１６０ａ、１６０ｂ、１６０ｃの各々に接続され得る。ＳＧＷ１６４は、概して、ＷＴＲＵ１０２ａ、１０２ｂ、１０２ｃに／からユーザデータパケットをルーティングおよびフォワーディングし得る。ＳＧＷ１６４は、ｅノードＢ間ハンドオーバ中にユーザプレーンをアンカリングすること、ＤＬデータがＷＴＲＵ１０２ａ、１０２ｂ、１０２ｃのために利用可能であるときページングをトリガリングすること、ＷＴＲＵ１０２ａ、１０２ｂ、１０２ｃのコンテキストを管理し記憶することなど、他の機能を実施し得る。
【００４２】
ＳＧＷ１６４はＰＧＷ１６６に接続されることがあり、ＰＧＷ１６６は、ＷＴＲＵ１０２ａ、１０２ｂ、１０２ｃとＩＰ対応デバイスとの間の通信を促進するために、インターネット１１０などのパケット交換ネットワークへのアクセスをＷＴＲＵ１０２ａ、１０２ｂ、１０２ｃに提供し得る。
【００４３】
ＣＮ１０６は、他のネットワークとの通信を促進し得る。たとえば、ＣＮ１０６は、ＷＴＲＵ１０２ａ、１０２ｂ、１０２ｃと従来のランドライン通信デバイスとの間の通信を促進するために、ＰＳＴＮ１０８などの回線交換ネットワークへのアクセスをＷＴＲＵ１０２ａ、１０２ｂ、１０２ｃに提供し得る。たとえば、ＣＮ１０６は、ＣＮ１０６とＰＳＴＮ１０８との間のインターフェースとして働くＩＰゲートウェイ（たとえばＩＰマルチメディアサブシステム（ＩＭＳ）サーバ）を含むか、またはそれと通信し得る。加えて、ＣＮ１０６は、他のサービスプロバイダによって所有および／または動作される他のワイヤードおよび／またはワイヤレスネットワークを含み得る他のネットワーク１１２へのアクセスをＷＴＲＵ１０２ａ、１０２ｂ、１０２ｃに提供し得る。
【００４４】
ＷＴＲＵは図１Ａ〜図１Ｄではワイヤレス端末として記載されているが、いくつかの代表的な実施形態では、そのような端末は、通信ネットワークとのワイヤード通信インターフェースを（たとえば一時的または永続的に）使用し得ることが企図される。
【００４５】
代表的な実施形態では、他のネットワーク１１２はＷＬＡＮであり得る。
【００４６】
インフラストラクチャ基本サービスセット（ＢＳＳ）モードにおけるＷＬＡＮは、ＢＳＳのためのアクセスポイント（ＡＰ）と、ＡＰに関連する１つまたは複数の局（ＳＴＡ）とを有し得る。ＡＰは、ＢＳＳ中におよび／またはそれからトラフィックを搬送する配信システム（ＤＳ）または別のタイプのワイヤード／ワイヤレスネットワークへのアクセスまたはインターフェースを有し得る。ＢＳＳの外部から発信した、ＳＴＡへのトラフィックは、ＡＰを介して到着することがあり、ＳＴＡに配信され得る。ＳＴＡから発信した、ＢＳＳ外の宛先へのトラフィックは、それぞれの宛先に配信されるべきＡＰに送られ得る。ＢＳＳ内のＳＴＡ間のトラフィックはＡＰを介して送られることがあり、たとえば、ソースＳＴＡがＡＰにトラフィックを送ることがあり、ＡＰが宛先ＳＴＡにトラフィックを配信することがある。ＢＳＳ内のＳＴＡ間のトラフィックは、ピアツーピアトラフィックと見なされるおよび／または呼ばれることがある。ピアツーピアトラフィックは、直接リンクセットアップ（ＤＬＳ）を用いてソースＳＴＡと宛先ＳＴＡとの間で（たとえばそれらの間で直接）送られ得る。いくつかの代表的な実施形態では、ＤＬＳは、８０２．１１ｅ  ＤＬＳまたは８０２．１１ｚトンネルドＤＬＳ（ＴＤＬＳ）を使用し得る。独立ＢＳＳ（ＩＢＳＳ）モードを使用するＷＬＡＮはＡＰを有しないことがあり、ＩＢＳＳ内にあるかまたはＩＢＳＳを使用するＳＴＡ（たとえばＳＴＡのすべて）は互いに直接通信し得る。ＩＢＳＳ通信モードは、本明細書では「アドホック」通信モードと時々呼ばれることがある。
【００４７】
８０２．１１ａｃインフラストラクチャ動作モードまたは同様の動作モードを使用しているとき、ＡＰは、１次チャネルなどの固定チャネル上でビーコンを送信し得る。１次チャネルは、固定幅（たとえば２０ＭＨｚ幅の帯域幅）であるか、またはシグナリングを介した動的に設定される幅であり得る。１次チャネルは、ＢＳＳの動作チャネルであることがあり、ＡＰとの接続を確立するためにＳＴＡによって使用され得る。いくつかの代表的な実施形態では、たとえば８０２．１１システムでは、キャリア検知多重アクセス／衝突回避（ＣＳＭＡ／ＣＡ）が実装され得る。ＣＳＭＡ／ＣＡのために、ＡＰを含むＳＴＡ（たとえばあらゆるＳＴＡ）は、１次チャネルを検知し得る。特定のＳＴＡによって１次チャネルが検知／検出されおよび／またはビジーであると判定された場合、その特定のＳＴＡはバックオフし得る。所与のＢＳＳにおいて所与の時間に１つのＳＴＡ（たとえばただ１つの局）が送信し得る。
【００４８】
高スループット（ＨＴ）ＳＴＡは、たとえば、１次２０ＭＨｚチャネルを隣接するかまたは隣接しない２０ＭＨｚチャネルと合成して４０ＭＨｚ幅チャネルを形成することを介して、通信のために４０ＭＨｚ幅チャネルを使用することがある。
【００４９】
超高スループット（ＶＨＴ）ＳＴＡは、２０ＭＨｚ、４０ＭＨｚ、８０ＭＨｚ、および／または１６０ＭＨｚ幅チャネルをサポートし得る。４０ＭＨｚおよび／または８０ＭＨｚチャネルは、連続する２０ＭＨｚチャネルを合成することによって形成され得る。１６０ＭＨｚチャネルは、８つの連続する２０ＭＨｚチャネルを合成することによって、または２つの不連続の８０ＭＨｚチャネルを合成することによって形成されることがあり、これは８０＋８０構成と呼ばれることがある。８０＋８０構成では、チャネル符号化の後のデータは、セグメントパーサを通過されることがあり、セグメントパーサは、データを２つのストリームに分割し得る。逆高速フーリエ変換（ＩＦＦＴ）処理、および時間領域処理が、各ストリーム上で別々に行われ得る。ストリームは、２つの８０ＭＨｚチャネル上にマッピングされることがあり、データは送信側ＳＴＡによって送信され得る。受信側ＳＴＡの受信機では、８０＋８０構成についての上記で説明された動作は反転されることがあり、合成されたデータはメディアアクセス制御（ＭＡＣ）に送られ得る。
【００５０】
８０２．１１ａｆおよび８０２．１１ａｈによってサブ１ＧＨｚ動作モードがサポートされる。チャネル動作帯域幅、およびキャリアは、８０２．１１ａｆおよび８０２．１１ａｈでは、８０２．１１ｎおよび８０２．１１ａｃにおいて使用されるものに対して低減される。８０２．１１ａｆは、ＴＶホワイトスペース（ＴＶＷＳ）スペクトルにおいて５ＭＨｚ、１０ＭＨｚおよび２０ＭＨｚ帯域幅をサポートし、８０２．１１ａｈは、非ＴＶＷＳスペクトルを使用して１ＭＨｚ、２ＭＨｚ、４ＭＨｚ、８ＭＨｚ、および１６ＭＨｚ帯域幅をサポートする。代表的な実施形態によれば、８０２．１１ａｈは、マクロカバレージエリアにおけるＭＴＣデバイスなど、メータータイプ制御／マシンタイプ通信をサポートし得る。ＭＴＣデバイスは、いくつかの能力、たとえば、いくつかのおよび／または限られた帯域幅のサポート（たとえばそれのサポートのみ）を含む限られた能力を有することがある。ＭＴＣデバイスは、（たとえば極めて長いバッテリー寿命を維持するために）しきい値を上回るバッテリー寿命をもつバッテリーを含むことがある。
【００５１】
８０２．１１ｎ、８０２．１１ａｃ、８０２．１１ａｆ、および８０２．１１ａｈなど、複数のチャネル、およびチャネル帯域幅をサポートし得るＷＬＡＮシステムは、１次チャネルと称されることがあるチャネルを含む。１次チャネルは、ＢＳＳ中のすべてのＳＴＡによってサポートされる最大の共通動作帯域幅に等しい帯域幅を有することがある。１次チャネルの帯域幅は、ＢＳＳ中で動作しているすべてのＳＴＡのうち、最小の帯域幅動作モードをサポートするＳＴＡによって設定および／または限定され得る。８０２．１１ａｈの例では、ＢＳＳ中のＡＰおよび他のＳＴＡが、２ＭＨｚ、４ＭＨｚ、８ＭＨｚ、１６ＭＨｚ、および／または他のチャネル帯域幅動作モードをサポートする場合でも、１次チャネルは、１ＭＨｚモードをサポートする（たとえばそれのみをサポートする）ＳＴＡ（たとえば、ＭＴＣタイプデバイス）のために１ＭＨｚ幅であり得る。キャリア検知および／またはネットワーク割振りベクトル（ＮＡＶ）設定は、１次チャネルのステータスに依存することがある。たとえば、ＡＰに送信している（１ＭＨｚ動作モードのみをサポートする）ＳＴＡにより、１次チャネルがビジーである場合、利用可能な周波数帯域全体は、周波数帯域の大部分がアイドルなままで利用可能であり得ても、ビジーであると見なされることがある。
【００５２】
米国では、８０２．１１ａｈによって使用され得る利用可能な周波数帯域は、９０２ＭＨｚから９２８ＭＨｚである。韓国では、利用可能な周波数帯域は９１７．５ＭＨｚから９２３．５ＭＨｚである。日本では、利用可能な周波数帯域は９１６．５ＭＨｚから９２７．５ＭＨｚである。８０２．１１ａｈのために利用可能な総帯域幅は、国コードに応じて６ＭＨｚから２６ＭＨｚである。
【００５３】
図１Ｄは、実施形態によるＲＡＮ１１３およびＣＮ１１５を示すシステム図である。上述されたように、ＲＡＮ１１３は、エアインターフェース１１６を介してＷＴＲＵ１０２ａ、１０２ｂ、１０２ｃと通信するためにＮＲ無線技術を採用し得る。ＲＡＮ１１３はＣＮ１１５と通信していることもある。
【００５４】
ＲＡＮ１１３はｇＮＢ１８０ａ、１８０ｂ、１８０ｃを含み得るが、ＲＡＮ１１３は、実施形態に合致したままでありながら、任意の数のｇＮＢを含み得ることが諒解されよう。ｇＮＢ１８０ａ、１８０ｂ、１８０ｃは、エアインターフェース１１６を介してＷＴＲＵ１０２ａ、１０２ｂ、１０２ｃと通信するための１つまたは複数のトランシーバをそれぞれ含み得る。一実施形態では、ｇＮＢ１８０ａ、１８０ｂ、１８０ｃはＭＩＭＯ技術を実装し得る。たとえば、ｇＮＢ１８０ａ、１０８ｂは、ｇＮＢ１８０ａ、１８０ｂ、１８０ｃに信号を送信しおよび／またはそれらから信号を受信するためにビームフォーミングを利用し得る。このようにして、たとえば、ｇＮＢ１８０ａは、複数のアンテナを使用して、ＷＴＲＵ１０２ａにワイヤレス信号を送信し、および／またはそれからワイヤレス信号を受信し得る。実施形態では、ｇＮＢ１８０ａ、１８０ｂ、１８０ｃはキャリアアグリゲーション技術を実装し得る。たとえば、ｇＮＢ１８０ａは、ＷＴＲＵ１０２ａ（図示されず）に複数のコンポーネントキャリアを送信し得る。これらのコンポーネントキャリアのサブセットは無認可スペクトル上にあり得るが、残りのコンポーネントキャリアは認可スペクトル上にあり得る。実施形態では、ｇＮＢ１８０ａ、１８０ｂ、１８０ｃは協調マルチポイント（ＣｏＭＰ）技術を実装し得る。たとえば、ＷＴＲＵ１０２ａは、ｇＮＢ１８０ａおよびｇＮＢ１８０ｂ（および／またはｇＮＢ１８０ｃ）から協調送信を受信し得る。
【００５５】
ＷＴＲＵ１０２ａ、１０２ｂ、１０２ｃは、スケーラブルな数秘学に関連する送信を使用してｇＮＢ１８０ａ、１８０ｂ、１８０ｃと通信し得る。たとえば、ＯＦＤＭシンボル離間および／またはＯＦＤＭサブキャリア離間は、異なる送信、異なるセル、および／またはワイヤレス送信スペクトルの異なる部分について変動し得る。ＷＴＲＵ１０２ａ、１０２ｂ、１０２ｃは、（たとえば変動する数のＯＦＤＭシンボルおよび／または変動する持続長さの絶対時間を含んでいる）様々なまたはスケーラブルな長さのサブフレームまたは送信時間間隔（ＴＴＩ）を使用してｇＮＢ１８０ａ、１８０ｂ、１８０ｃと通信し得る。
【００５６】
ｇＮＢ１８０ａ、１８０ｂ、１８０ｃは、スタンドアロン構成および／または非スタンドアロン構成でＷＴＲＵ１０２ａ、１０２ｂ、１０２ｃと通信するように構成され得る。スタンドアロン構成では、ＷＴＲＵ１０２ａ、１０２ｂ、１０２ｃは、（たとえばｅノードＢ１６０ａ、１６０ｂ、１６０ｃなどの）他のＲＡＮにアクセスすることもなしにｇＮＢ１８０ａ、１８０ｂ、１８０ｃと通信し得る。スタンドアロン構成では、ＷＴＲＵ１０２ａ、１０２ｂ、１０２ｃは、モビリティアンカーポイントとしてｇＮＢ１８０ａ、１８０ｂ、１８０ｃのうちの１つまたは複数を利用し得る。スタンドアロン構成では、ＷＴＲＵ１０２ａ、１０２ｂ、１０２ｃは、無認可帯域中の信号を使用してｇＮＢ１８０ａ、１８０ｂ、１８０ｃと通信し得る。非スタンドアロン構成では、ＷＴＲＵ１０２ａ、１０２ｂ、１０２ｃは、ｅノードＢ１６０ａ、１６０ｂ、１６０ｃなどの別のＲＡＮと通信／に接続しながらも、ｇＮＢ１８０ａ、１８０ｂ、１８０ｃと通信／に接続し得る。たとえば、ＷＴＲＵ１０２ａ、１０２ｂ、１０２ｃは、ＤＣ原理を実装して、１つまたは複数のｇＮＢ１８０ａ、１８０ｂ、１８０ｃおよび１つまたは複数のｅノードＢ１６０ａ、１６０ｂ、１６０ｃと実質的に同時に通信し得る。非スタンドアロン構成では、ｅノードＢ１６０ａ、１６０ｂ、１６０ｃは、ＷＴＲＵ１０２ａ、１０２ｂ、１０２ｃのためのモビリティアンカーとして働くことがあり、ｇＮＢ１８０ａ、１８０ｂ、１８０ｃは、ＷＴＲＵ１０２ａ、１０２ｂ、１０２ｃをサービスするために追加のカバレージおよび／またはスループットを提供し得る。
【００５７】
ｇＮＢ１８０ａ、１８０ｂ、１８０ｃの各々は、特定のセル（図示されず）に関連付けられることがあり、無線リソース管理決定、ハンドオーバ決定、ＵＬおよび／またはＤＬにおけるユーザのスケジューリング、ネットワークスライシングのサポート、デュアル接続性、ＮＲとＥ−ＵＴＲＡとの間のインターワーキング、ユーザプレーン機能（ＵＰＦ）１８４ａ、１８４ｂのほうへのユーザプレーンデータのルーティング、アクセスおよびモビリティ管理機能（ＡＭＦ）１８２ａ、１８２ｂのほうへの制御プレーン情報のルーティングなどをハンドリングするように構成され得る。図１Ｄに示されているように、ｇＮＢ１８０ａ、１８０ｂ、１８０ｃは、Ｘｎインターフェースを介して互いに通信し得る。
【００５８】
図１Ｄに示されているＣＮ１１５は、少なくとも１つのＡＭＦ１８２ａ、１８２ｂ、少なくとも１つのＵＰＦ１８４ａ、１８４ｂ、少なくとも１つのセッション管理機能（ＳＭＦ）１８３ａ、１８３ｂ、および場合によってはデータネットワーク（ＤＮ）１８５ａ、１８５ｂを含み得る。上記の要素の各々はＣＮ１１５の一部として図示されているが、これらの要素のいずれも、ＣＮ事業者以外のエンティティによって所有および／または動作され得ることが諒解されよう。
【００５９】
ＡＭＦ１８２ａ、１８２ｂは、Ｎ２インターフェースを介してＲＡＮ１１３中のｇＮＢ１８０ａ、１８０ｂ、１８０ｃのうちの１つまたは複数に接続されることがあり、制御ノードとして働き得る。たとえば、ＡＭＦ１８２ａ、１８２ｂは、ＷＴＲＵ１０２ａ、１０２ｂ、１０２ｃのユーザを認証すること、ネットワークスライシングのサポート（たとえば異なる要件をもつ異なるＰＤＵセッションのハンドリング）、特定のＳＭＦ１８３ａ、１８３ｂを選択すること、登録エリアの管理、ＮＡＳシグナリングの終了、モビリティ管理などを担当し得る。ネットワークスライシングは、ＷＴＲＵ１０２ａ、１０２ｂ、１０２ｃによって利用されているサービスのタイプに基づいてＷＴＲＵ１０２ａ、１０２ｂ、１０２ｃのＣＮサポートをカスタマイズするために、ＡＭＦ１８２ａ、１８２ｂによって使用され得る。たとえば、超高信頼低レイテンシ（ＵＲＬＬＣ）アクセスに依拠するサービス、拡張大容量モバイルブロードバンド（ｅＭＢＢ）アクセスに依拠するサービス、マシンタイプ通信（ＭＴＣ）アクセスのためのサービスなど、異なる使用事例のために異なるネットワークスライスが確立され得る。ＡＭＦ１６２は、ＲＡＮ１１３と、ＬＴＥ、ＬＴＥ−Ａ、ＬＴＥ−Ａプロ、および／またはＷｉＦｉなどの非３ＧＰＰアクセス技術などの他の無線技術を採用する他のＲＡＮ（図示されず）との間で切り替わるための制御プレーン機能を提供し得る。
【００６０】
ＳＭＦ１８３ａ、１８３ｂは、Ｎ１１インターフェースを介してＣＮ１１５中のＡＭＦ１８２ａ、１８２ｂに接続され得る。ＳＭＦ１８３ａ、１８３ｂはまた、Ｎ４インターフェースを介してＣＮ１１５中のＵＰＦ１８４ａ、１８４ｂに接続され得る。ＳＭＦ１８３ａ、１８３ｂは、ＵＰＦ１８４ａ、１８４ｂを選択し、制御し、ＵＰＦ１８４ａ、１８４ｂを通してトラフィックのルーティングを構成し得る。ＳＭＦ１８３ａ、１８３ｂは、ＷＴＲＵ／ＵＥ  ＩＰアドレスを管理し割り振ること、ＰＤＵセッションを管理すること、ポリシー執行およびＱｏＳを制御すること、ダウンリンクデータ通知を提供することなど、他の機能を実施し得る。ＰＤＵセッションタイプは、ＩＰベース、非ＩＰベース、イーサネットベースなどであり得る。
【００６１】
ＵＰＦ１８４ａ、１８４ｂは、Ｎ３インターフェースを介してＲＡＮ１１３中のｇＮＢ１８０ａ、１８０ｂ、１８０ｃのうちの１つまたは複数に接続されることがあり、それらは、ＷＴＲＵ１０２ａ、１０２ｂ、１０２ｃとＩＰ対応デバイスとの間の通信を促進するために、インターネット１１０などのパケット交換ネットワークへのアクセスをＷＴＲＵ１０２ａ、１０２ｂ、１０２ｃに提供し得る。ＵＰＦ１８４、１８４ｂは、パケットをルーティングしフォワーディングすること、ユーザプレーンポリシーを執行すること、マルチホームドＰＤＵセッションをサポートすること、ユーザプレーンＱｏＳをハンドリングすること、ダウンリンクパケットをバッファすること、モビリティアンカリングを提供することなど、他の機能を実施し得る。
【００６２】
ＣＮ１１５は、他のネットワークとの通信を促進し得る。たとえば、ＣＮ１１５は、ＣＮ１１５とＰＳＴＮ１０８との間のインターフェースとして働くＩＰゲートウェイ（たとえばＩＰマルチメディアサブシステム（ＩＭＳ）サーバ）を含むか、またはそれと通信し得る。加えて、ＣＮ１１５は、他のサービスプロバイダによって所有および／または動作される他のワイヤードおよび／またはワイヤレスネットワークを含み得る他のネットワーク１１２へのアクセスをＷＴＲＵ１０２ａ、１０２ｂ、１０２ｃに提供し得る。一実施形態では、ＷＴＲＵ１０２ａ、１０２ｂ、１０２ｃは、ＵＰＦ１８４ａ、１８４ｂへのＮ３インターフェースおよびＵＰＦ１８４ａ、１８４ｂとＤＮ１８５ａ、１８５ｂとの間のＮ６インターフェースを介して、ＵＰＦ１８４ａ、１８４ｂを通してローカルデータネットワーク（ＤＮ）１８５ａ、１８５ｂに接続され得る。
【００６３】
図１Ａ〜図１Ｄ、および図１Ａ〜図１Ｄの対応する説明に鑑みて、ＷＴＲＵ１０２ａ〜ｄ、基地局１１４ａ〜ｂ、ｅノードＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ａｂ、ＵＰＦ１８４ａ〜ｂ、ＳＭＦ１８３ａ〜ｂ、ＤＮ１８５ａ〜ｂ、および／または本明細書で説明される任意の他のデバイスのうちの１つまたは複数に関して本明細書で説明される機能の１つもしくは複数、またはすべては、１つまたは複数のエミュレーションデバイス（図示されず）によって実施され得る。エミュレーションデバイスは、本明細書で説明される機能の１つもしくは複数、またはすべてをエミュレートするように構成された１つまたは複数のデバイスであり得る。たとえば、エミュレーションデバイスは、他のデバイスをテストするためにならびに／またはネットワークおよび／もしくはＷＴＲＵ機能をシミュレートするために使用され得る。
【００６４】
エミュレーションデバイスは、実験室環境においておよび／または事業者ネットワーク環境において他のデバイスの１つまたは複数のテストを実装するように設計され得る。たとえば、１つまたは複数のエミュレーションデバイスは、ワイヤードおよび／またはワイヤレス通信ネットワーク内で他のデバイスをテストするためにその通信ネットワークの一部として完全にまたは部分的に実装および／または展開されながら、１つもしくは複数の、またはすべての機能を実施し得る。１つまたは複数のエミュレーションデバイスは、ワイヤードおよび／またはワイヤレス通信ネットワークの一部として一時的に実装／展開されながら、１つもしくは複数の、またはすべての機能を実施し得る。エミュレーションデバイスは、テストの目的で別のデバイスに直接結合されることがあり、および／またはオーバージエアワイヤレス通信を使用してテストを実施することがある。
【００６５】
１つまたは複数のエミュレーションデバイスは、ワイヤードおよび／またはワイヤレス通信ネットワークの一部として実装／展開されないままで、すべてを含む１つまたは複数の機能を実施し得る。たとえば、エミュレーションデバイスは、１つまたは複数の構成要素のテストを実装するために、テスト実験室ならびに／または展開されない（たとえばテスト用）ワイヤードおよび／もしくはワイヤレス通信ネットワークにおけるテストシナリオにおいて利用され得る。１つまたは複数のエミュレーションデバイスはテスト機器であり得る。（たとえば１つまたは複数のアンテナを含み得る）ＲＦ回路を介した直接ＲＦ結合および／またはワイヤレス通信は、データを送信および／または受信するためにエミュレーションデバイスによって使用され得る。
【００６６】
本明細書で提供される例は、たとえば、適用可能であり得るような同じまたは異なる原理を使用する、他のワイヤレス技術への本主題の適用可能性を限定しない。
【００６７】
ネットワークという用語は、無線アクセスネットワーク（ＲＡＮ）中の１つまたは複数の送受信ポイント（ＴＲＰ）または他のノードに（たとえば次々に）関連し得る１つまたは複数のｇＮＢを指すことがある。
【００６８】
セルは、補助アップリンク（ＳＵＬ）を用いて（たとえばＮＲにおいて）構成され得る。ＳＵＬは、たとえば、ＷＴＲＵがｇＮＢから遠くにあり得るとき、たとえば、ＵＬをより低い帯域に切り替えることによって、高い周波数において動作していることがあり得るＷＴＲＵのカバレージを拡張し得る。ＳＵＬは、複数（たとえば２つ）の別個のＵＬキャリアに関連し得るＤＬキャリアをもつセルとして（たとえばＮＲにおいて）モデル化され得る。たとえば、ＤＬキャリアは、（たとえば、ＤＬキャリアが配置され得る高い周波数帯域中にあり得る）正規ＵＬ（ＲＵＬ）、および（たとえば、ＲＵＬの周波数帯域よりも低い周波数帯域中にあり得る）ＳＵＬに関連し得る。
【００６９】
ＳＵＬは、（たとえばＮＲスタンドアロンモードにおける）ＰＣｅｌｌ、および（たとえば、ＮＲ−ＮＲ  ＤＣにおける、またはＮＳＡモードもしくはＥＮ−ＤＣと呼ばれることがある、ＬＴＥとＮＲとの間のデュアル接続性における）ＰＳＣｅｌｌのために構成され得る。
【００７０】
ＷＴＲＵは、たとえば、ＲＵＬまたはＳＵＬを使用して、セルへの初期アクセスを実施し得る。ＳＵＬ構成は、セルによって最小のＳＩ中でブロードキャストされ得る。ＷＴＲＵは、たとえば、サービングセルのＤＬ品質がしきい値を下回り得るとき（たとえばそのときのみ）、初期アクセスのためのＳＵＬを選択し得る。
【００７１】
ＷＴＲＵがＲＲＣ接続にあるとき、ＳＵＬのために複数（たとえば３つ）の動作モードが可能であり得る。ＲＲＣは、たとえば、完全ＵＬ構成およびサウンディング基準信号（ＳＲＳ）構成など、（たとえば第１の動作モードにおいて）複数（たとえば２つ）のＵＬを用いてＷＴＲＵを構成し得る。ＷＴＲＵは、（たとえばこの動作モードにおいて）（たとえば、アップリンクにおける全制御およびデータ送信のために）完全に構成されたＵＬ構成を使用し得るが、別の（たとえば不完全に構成された）アップリンク上でＳＲＳを送信し得る。たとえば、異なるＵＬ間のＵＬデータの間で切り替わるために、（たとえば異なるキャリアに完全ＵＬ構成を提供するための）ＲＲＣ再構成が使用され得る。ＲＲＣは、（たとえば第２の動作モードにおいて）複数のＵＬ（たとえば完全に構成されたＵＬ）、たとえば２つの完全に構成されたＵＬを構成し得る。ＷＴＲＵがＵＬ構成間で切り替わることを可能にするために、ＭＡＣ  ＣＥまたはＤＣＩなどのシグナリングが定義され得る。ＲＲＣは（たとえば第３の動作モードにおいて）、たとえば、単一のサービングセルのためのＰＵＳＣＨ送信が複数のＵＬのために同時に行われないことがあるとき、（たとえば両方とも）使用され得る、複数（たとえば２つ）のＵＬを構成し得る。
【００７２】
ＳＵＬはＲＲＣにおいてサポートされ得る。キャリアアグリゲーションでは、ＵＬキャリア（たとえば各ＵＬキャリア）は、同じ帯域中の（たとえば単一の）ＤＬキャリアに関連し、それによってスケジュールされ得る。
【００７３】
ＲＲＣ手順において使用され得るＵＬキャリアは、（たとえば各）ＲＲＣ状態に関連し得る。ルールは、ＳＵＬを有するセルへの初期アクセスに関連し得る。（たとえば各）ＲＲＣ手順のためのＵＬキャリアの選択は、たとえば、ＤＬ品質を超えるかまたはそれとは異なるファクタに依存し得る。
【００７４】
ＳＵＬは、ＤＬキャリアとは異なり得る周波数帯域中にあり得る。（たとえばＬＴＥにおける）セルのＵＬキャリアは、ＤＬキャリアと同じ周波数中にあり得る。たとえば、応答駆動型ページングを実施するとき、ページングレコードを送信するためのＤＬビームを選択するために、ＳＵＬ上で実施されるページングインジケータ応答がネットワーク（ＮＷ）によって使用されないことがある。
【００７５】
ＷＴＲＵは、ＲＵＬまたはＳＵＬの使用に応じて異なるカバレージを有し得る。１つまたは複数の手順（たとえば、ＲＬＦ、ＳＣＧ障害、再確立など）は、たとえば、それらの意図された目的と合致するために、１つまたは複数の手順のために使用されているＵＬキャリアを考慮に入れ得る。
【００７６】
１つまたは複数の手順は、ＷＴＲＵによるＳＵＬの使用を限定し得る。たとえば、高い周波数帯域中の（たとえばすべての）ＤＬキャリアがＳＵＬを用いて構成され得るときでも、ＳＵＬとして構成すべきキャリアの数を（たとえば、それらが、低い周波数においてセルの通常ＵＬキャリアにもなり得るとすれば）低減することが好ましいことがある。
【００７７】
ＷＴＲＵは、ＳＵＬを用いるＮＲシステムにおいてセル選択および／または再選択ベースの１つまたは複数の基準を実施するように構成され得る。セル選択および／またはセル再選択では、Ｅ−ＵＴＲＡＮにおける既存の基準は、より優先度の高いセルのために、オフセット補正（offset compensation）とともにＤＬ  ＲＳＲＰおよびＲＳＲＱを考慮に入れて計算され得る。ＷＴＲＵの送信電力は、パラメータＰｃｏｍｐｅｎｓａｔｉｏｎを用いて考慮に入れられ得る。通常のカバレージにおけるセル選択基準Ｓは、Ｅ−ＵＴＲＡＮでは、
Ｓｒｘｌｅｖ＞０およびＳｑｕａｌ＞０
のときに満たされることがあり、ここで
Ｓｒｘｌｅｖ＝Ｑrxlevmeas−（Ｑrxlevmin＋Ｑrxlevminoffset）−Ｐｃｏｍｐｅｎｓａｔｉｏｎ−Ｑｏｆｆｓｅｔtemp
Ｓｑｕａｌ＝Ｑqualmeas−（Ｑqualmin＋Ｑqualminoffset）−Ｑｏｆｆｓｅｔtemp
Ｐｃｏｍｐｅｎｓａｔｉｏｎ＝ｍａｘ（ＰEMAX1−ＰPowerClass、０）  （ｄＢ）
である。
【００７８】
セルにおいて許容される値（ＰＥＭＡＸ１）よりも低いＷＴＲＵのＴｘ電力（ＰＰｏｗｅｒＣｌａｓｓ）は、（たとえば、セルを選択することがより難しくなって）より大きいＰＣｏｍｐｅｎｓａｔｉｏｎ値を生じ得る。ＵＬ送信とＤＬ送信との間のある対応が、ＬＴＥバンドにおいて仮定されることがある。しかしながら、ｍｍＷａｖｅでは、ＵＬ送信は、伝搬環境によって影響を受ける（たとえば、強く影響を受ける）ことがある。そのようなシナリオでは、上記の式は、セル選択および／または再選択のために不十分であり得る。
【００７９】
図２は、セル２０２（たとえば、ｇＮＢ）の例示的なカバレージマップ２００の図である。高い周波数（たとえば、高い新無線（ＮＲ）周波数）では、セル２０２のＵＬカバレージは、セル２０２のＤＬカバレージよりも著しく小さいことがある。セル２０２は、たとえば、セル２０２の正規ＵＬ（ＲＵＬ）およびダウンリンク（ＤＬ）よりも低い周波数であり得る、補助ＵＬ（ＳＵＬ）を含み得る。ＲＵＬおよびＳＵＬは、セル（たとえば、ＳＣｅｌｌ）の各ＤＬとペアリングされ得る。ＷＴＲＵ２０４は、ＲＳＲＰ＜ＳＵＬ＿ｔｈｒｅｓｈｏｌｄであるとき（たとえば、ＲＵＬのＲＳＲＰが＜ＳＵＬ＿ｔｈｒｅｓｈｏｌｄであるとき）、ＳＵＬにキャンプオンし得る。ネットワークは、エリア中にＳＵＬを不均一に展開し得る（たとえば、いくつかのセルはＳＵＬを含むことがあるが、他のセルはＳＵＬを含まないことがある）。ＷＴＲＵ２０４によるＳＵＬのサポートは、帯域の組合せごとに（たとえば、周波数ごとに）定義され得る。ＷＴＲＵ２０４は、特定のセルのために構成されたＳＵＬをサポートしないことがある（たとえば、ＷＴＲＵ２０４は、セルのＳＵＬの周波数のためにＳＵＬをサポートしないことがある）。ＷＴＲＵ２０４がＤＬ測定のみを使用する場合、ＷＴＲＵ２０４は、劣悪なアップリンクカバレージをもつセル中にキャンプし、接続時の不必要なハンドオーバまたは再確立につながることがある。本明細書で提供される例は、たとえば、ＷＴＲＵが、ＳＵＬ／非ＳＵＬサポートが混合した環境においてダウンリンクとアップリンクとのカバレージの最良の組合せを有するセルにキャンプオンすることを保証するために使用され得る。
【００８０】
図３は、２つのセル３０２、３０４を示す例示的なカバレージマップ３００の図である。（たとえば、ＵＬなしカバレージ３０８のエリアによって示されるように）セル３０２はＳＵＬをサポートしないことがあるが、セル３０４はＳＵＬをサポートすることがある。ＷＴＲＵ３０６は、セル３０２と、セル３０４のＳＵＬカバレージエリアとの間の境界に近接して位置し得る。Ｔｈｒｅｓｈ＿１は、セル３０２内にキャンプされたままとどまるべきかまたはセル３０４のＳＵＬに再選択すべきかを判定するときにＷＴＲＵ３０６が使用するしきい値（たとえば、ＲＳＲＰなどのセル品質しきい値）を示し得る。ＳＵＬしきい値は、ＲＵＬ上でセル３０４と通信すべきかまたはセル３０４のＳＵＬを介して通信することに切り替わるべきかを判定するときにＷＴＲＵ３０６が使用するしきい値（たとえば、ＲＳＲＰなどのセル品質しきい値）を示し得る。
【００８１】
図４は、ＷＴＲＵによって実施され得る例示的なセル選択／再選択手順４００のフローチャートである。ＳＵＬをサポートするＷＴＲＵは、ＳＵＬをサポートしないセルよりも、ＷＴＲＵによってサポートされる帯域の組合せ中のＳＵＬを利用するセルを優先させるために、修正されたセル選択および／またはセル再選択手順を使用し得る。たとえば、ＷＴＲＵによってサポートされる帯域の組合せ中のＳＵＬを利用するセルについて、ＷＴＲＵは、Ｓ基準評価（たとえば、ＳＵＬセルの適合性オフセット）、ネイバーセル測定トリガリングしきい値（たとえば、ＳｍｅａｓＴｈｒｅｓ）、ネイバーセル再選択ランキング基準（たとえば、Ｒｎ）、および／またはサービングセル再選択ランキング基準（Ｒｓ）のうちの１つまたは複数についてバイアス／オフセット情報を受信し得る。バイアス／オフセット情報は、システム情報中で提供され得る。バイアス／オフセット情報は、（たとえば、アイドルモードＷＴＲＵについてネットワークに対して透過的な）帯域の組合せ中のＳＵＬをサポートするＷＴＲＵによって使用され得る（たとえば、それのみによって使用され得る）。バイアス／オフセット情報は、セル選択および再選択中にＳＵＬセルを選好するために使用され得る。
【００８２】
たとえば、４０２、４０４、４１０、および４１２において、ＷＴＲＵは、ＷＴＲＵのサービングＤＬセル品質（たとえば、ＲＳＲＰ）および／または（たとえば、ＳＵＬ周波数上の）ＳＵＬサポートに基づいて選択または再選択パラメータを判定し得る。４０６、４０８、４１４、４１６、および４１８において、ＷＴＲＵは、たとえば、４０２、４０４、４１０、および／または４１２中に判定された値を使用して、評価および／または選択／再選択手順を実施し得る。４０４〜４０８において、ＷＴＲＵは、他のセルを測定し、ランキングおよび再選択をトリガすべきかどうかを判定していることがある。４１２〜４１８において、ＷＴＲＵは、セルランキングおよび再選択決定を実施していることがある。４１４〜４１６において、再選択について考慮すべきネイバーセルは、４０６〜４０８と同じ条件にさらに依存し得る。
【００８３】
ＷＴＲＵは、１つまたは複数のセル（たとえば、キャンプされたセル、キャンプするターゲット、ネイバーセルなど）がＳＵＬを利用するかどうかを判定し得る。たとえば、４０２において、ＷＴＲＵは、キャンプされたセルがＳＵＬをサポートするかどうかを判定してよく、一方、４１０において、ＷＴＲＵは、１つまたは複数のネイバーおよび／または潜在的な再選択セルがＳＵＬをサポートするかどうかを判定してよい。ＷＴＲＵは、４０４において、（たとえば、システム情報およびＷＴＲＵ能力に基づいて）ＷＴＲＵが、キャンプされたセル上でＳＵＬ（たとえば、帯域の組合せ）をサポートするかどうかを判定し得る。そうである場合、ＷＴＲＵは、たとえば、再選択分析を実施するとき、ＳおよびＳｍｅａｓＴｈｒｅｓのＳＵＬ固有値（たとえば、Ｓ（ＳＵＬ）、ＳｍｅａｓＴｈｒｅｓ（ＳＵＬ））を使用し得る。そうでない場合、ＷＴＲＵは、たとえば、再選択分析を実施するとき、ＳおよびＳｍｅａｓＴｈｒｅｓのＲＵＬ固有値（たとえば、Ｓ（ＲＵＬ）、ＳｍｅａｓＴｈｒｅｓ（ＲＵＬ））を使用し得る。
【００８４】
同様に、４１０においてネイバーおよびターゲットセル上でのＳＵＬサポートを判定したとき、ＷＴＲＵは、ＷＴＲＵがネイバーセル上でＳＵＬをサポートするかどうか、および／またはＤＬ＿ＲＳＲＰ＜Ｔｈｒｅｓｈ＿１であるかどうかを判定し得る。ＷＴＲＵがセル上でＳＵＬをサポートする場合、およびＤＬ＿ＲＳＲＰ＜Ｔｈｒｅｓｈ＿１である場合、ＷＴＲＵは、たとえば、評価および／または選択／再選択分析を実施するとき、オフセット値（たとえば、Ｒｎ’＝Ｒｎ＋オフセットおよびＲｓ’＝Ｒｓ＋オフセット）を使用し得る。ＷＴＲＵがセル上でＳＵＬをサポートする場合、および／またはＤＬ＿ＲＳＲＰ≧Ｔｈｒｅｓｈ＿１である場合、ＷＴＲＵは、たとえば、評価および／または選択／再選択分析を実施するとき、Ｒｎ’＝ＲｎおよびＲｓ’＝Ｒｓを使用し得る。上述されたように、４０６、４０８、４１４、４１６、および４１８において、ＷＴＲＵは、たとえば、４０２、４０４、４１０、および／または４１２中に判定された値を使用して、評価および／または選択／再選択手順を実施し得る。
【００８５】
ＳＵＬの使用のためのアイドル／非アクティブ状態手順の例が、本明細書で提供される。たとえば、セル適合性基準は、ＳＵＬ／ＲＵＬ構成の存在を考慮に入れ得る。セル適合性基準は、セル適合性を利用し得る１つまたは複数（たとえばすべて）の手順（たとえば、キャンプ）に適用され得る。セル適合性基準は、セルがＳＵＬを用いて構成され得るかどうかに依存することがあり、好適なセルのセル品質のしきい値、オフセット、または基準（たとえばＳｑｕａｌもしくは同様のもの）のうちの１つまたは複数を利用し得る。たとえば、ＳＵＬのしきい値、オフセット、および／または基準は、ＲＵＬのものとは異なり得る。ＷＴＲＵは、たとえば、セルがＳＵＬを用いて構成され得るかどうかに応じて、および／またはＷＴＲＵがＳＵＬ特徴をサポートするかどうかに応じて、セル適合性基準を判定するために使用され得るオフセットまたは補正パラメータを受信し得る。代替または追加として、ＷＴＲＵは、複数（たとえば２つ）の異なるセル適合性基準計算を利用し得る。たとえば、ＷＴＲＵは、システム情報中でＳＵＬ構成情報を送信するセルの適合性を判定するために、第１の計算を選択し得る。ＷＴＲＵは、システム情報中でＳＵＬ構成を送信しないセルの適合性基準を判定するとき、または、たとえば、ＷＴＲＵがＳＵＬ特徴をサポートしないことがあるとき、第２の適合性基準計算を選択し得る。
【００８６】
アイドル状態におけるセル選択は、ＳＵＬ／ＲＵＬを考慮して実装され得る。例では、ＷＴＲＵは、それのセル選択基準においてセル中のＵＬ送信の品質を考慮し得る。たとえば、ＷＴＲＵは、適合性評価のために、ＳＵＬを用いて構成されたセルを区別し得る。ＷＴＲＵは、以下のうちの１つまたは複数に基づいて適合性評価を判定し得る。たとえば、そのような区別／評価は、ＲＵＬおよびペアリングされたＤＬの周波数キャリアに依存し、（たとえば、適用可能な場合）ＳＵＬの構成を考慮に入れ、セル選択基準の評価において使用されるＵＬ  Ｐｃｏｍｐｅｎｓａｔｉｏｎにおいて捕捉され、セルの伝搬特性（たとえば、ならびに適用可能な場合はＳＵＬの構成）を考慮に入れる新しいセル選択基準を通して評価されてよく、ならびに／または２つの構成（たとえば、ＲＵＬ対ＳＵＬ）のうちの１つを優先させるかもしくはさもなければ選好するために関連付けられたセル選択のパラメータを考慮に入れてよい。
【００８７】
例では、ＷＴＲＵアップリンク送信の伝搬の影響、および（たとえば、適用可能な場合）構成されたＳＵＬありのセルを選択する必要性を評価するために、追加のセル選択−再選択基準が導入され得る。たとえば、所与のセルを選択するために以下の３つの条件の任意の組合せが使用され得る。
Ｓｒｘｌｅｖ＞０、Ｓｑｕａｌ＞０、および／またはＳｔｘｌｅｖ＞０
ただし、
Ｓｔｘｌｅｖ＝Ｑrxlevmeas−Ｑrxlevthreshold＋ＱSUL-offset、
Ｑrxlevmeasは、測定されたセルＲＸレベル値（ＲＳＲＰ）であり、
Ｑrxlevthresholdは、ＲＭＳＩにおいてＷＴＲＵによって受信された構成されたＲＳＲＰしきい値であり、
ＱSUL-offsetは、シグナリングされたＱrxlevthresholdに対するオフセットであり（たとえば、ＱSUL-offsetは、セルにおいてＳＵＬおよび関連する電力補正が構成されたとき、それの値を調整するためにＳｔｘｌｅｖ評価において使用され得る）、
ＳＵＬが構成されないとき、ＱSUL-offset＝０
である。
【００８８】
追加のセル選択−再選択基準は、（たとえば、適用可能な場合）構成されたＳＵＬありのセルを選択するときに使用され得る。セルのＰｃｏｍｐｅｎｓａｔｉｏｎ値は、ＳＵＬの構成を考慮に入れる。ｍｍＷａｖｅでは、ＷＴＲＵの送信の最大電力がセルにおける最大許容電力に等しい場合でも、ＵＬカバレージは、ＷＴＲＵがそれのサービング送信ポイントに達するのに十分でないことがある。Ｐｃｏｍｐｅｎｓａｔｉｏｎの計算では、ＳＵＬが構成され、構成されないとき、より高い周波数におけるＷＴＲＵのＵＬ中の伝搬条件を捕捉するために、周波数オフセットＱfreq-offsetが導入され得る。
Ｐｃｏｍｐｅｎｓａｔｉｏｎ＝ｍａｘ（ＰEMAX1−ＰPowerClass＋Ｑfreq-offset，０）  （ｄＢ）
ただし、
ＰEMAX1は、セルにおいてアップリンク上で送信するときにＷＴＲＵが使用し得る最大ＴＸ電力レベル（ｄＢｍ）であり、
ＰPowerClassは、ＷＴＲＵ電力クラスによるＷＴＲＵの最大ＲＦ出力電力（ｄＢｍ）であり、
Ｑfreq-offsetは、結果としてＰｃｏｍｐｅｎｓａｔｉｏｎ評価において考慮に入れられたシグナリングされたＰPowerClassに対するオフセットである。
【００８９】
Ｑfreq-offsetの値は、セル周波数キャリア、およびＳＵＬの構成（たとえば、または構成の欠如）の関数であり得る。これにより、構成されたＳＵＬありのセルは、ＷＴＲＵによって選択される見込みがより高くなる一方で、ＷＴＲＵは、劣悪な推定ＵＬカバレージをもちＳＵＬが構成されないセルを選択することが（たとえば、意図的に）より難しくされ／可能性がより低くされ得る。
【００９０】
例では、ＳＵＬのセル選択基準は以下に基づき得る。
Ｓｒｘｌｅｖ＞０、Ｓｑｕａｌ＞０、および／またはＳｔｘｌｅｖ＞α
ただし、
Ｓｒｘｌｅｖは、ダウンリンク送信の品質を評価し得る（たとえば、アップリンクのＰｃｏｍｅｎｓａｔｉｏｎは計算に含まれない）。Ｓｒｘｌｅｖ＝Ｑrxlevmeas−（Ｑrxlevmin＋Ｑrxlevminoffset）−Ｑｏｆｆｓｅｔtemp
Ｓｔｘｌｅｖは、（たとえば、別個に）アップリンク送信の品質を評価し得る。Ｓｔｘｌｅｖ＝Ｐｃｏｍｐｅｎｓａｔｉｏｎ、ただし、Ｐｃｏｍｐｅｎｓａｔｉｏｎ＝ｍａｘ（（ＰEMAX1−ＰPowerClass），（ＰEMAX1_SUL−ＰPowerClass_SUL））。ＰPower_Class値は、ＷＴＲＵが、（たとえば、一方が６ＧＨｚを上回る周波数についてであり、他方が６ＧＨｚを下回る周波数についてであるなど）２つの異なるＲＦチェーンにおいて動作しているかどうかに応じて異なり得る。しきい値αは、システム情報中でブロードキャストされ得、および／またはネットワークによって構成可能であり得る。
【００９１】
ＷＴＲＵは、ＰEMAX1の追加の値を受信し得る。ＰEMAX1_SULはＳＵＬキャリアについて適用され得る。ＰEMAX1_SULはＳＩＢ中で受信され得る。ＰEMAX1_SULは、ＳＵＬキャリア上で送信するときにＷＴＲＵが使用すべき最大ＴＸ電力レベルとしてＰｃｏｍｐｅｎｓａｔｉｏｎ計算において使用され得る。
【００９２】
ＷＴＲＵは、アイドル状態においてセル再選択を実施するとき、より多くのファクタのうちの１つを考慮し得る。たとえば、ＷＴＲＵは、それのセル再選択ルールにおいてセルによるＳＵＬのサポートを考慮し得る。例では、ＷＴＲＵは、セルにキャンプオンすべきかどうかおよび／または周波数内／間ネイバーセルを測定すべきかどうかを決定するとき、ＳＵＬ構成を有する（たとえば、またはＳＵＬなしのセル上でＳＵＬを介してアクセスを提供する）セルを優先させ得る。そのような決定は、以下のうちの１つまたは複数に依存することがあり、そのような優先度付けは、たとえば、いくつかのタイプのＷＴＲＵもしくはいくつかの能力をもつＷＴＲＵ（たとえば、ＭＴＣ  ＷＴＲＵ対通常のＷＴＲＵ）に限定され、ＷＴＲＵの現在のバッテリー電力、一時的能力制限など、ある状態におけるＷＴＲＵに限定され、ＷＴＲＵが現在ローミングしているエリアに依存するか、もしくはＷＴＲＵのＰＬＭＮに依存し、および／またはセルによってブロードキャストされたＳＩＢ中の、もしくはＲＲＣＣｏｎｎｅｃｔｉｏｎＲｅｌｅａｓｅもしくはＲＲＣＣｏｎｎｅｃｔｉｏｎＲｅｊｅｃｔメッセージ中の情報から導出されたルールに基づいて判定され得る。
【００９３】
例では、ＷＴＲＵは、セルにキャンプオンされたとき、サービングセルがＳＵＬを有するか否かに応じて、周波数内探索しきい値の様々な値（たとえば、Ｓ（ｉｎｔｒａＳｅａｒｃｈＰ）、Ｓ（ｉｎｔｒａＳｅｒａｃｈＱ）など）を提供され得る。ＷＴＲＵが、ＳＵＬありのセルにキャンプオンされた場合、ＷＴＲＵは、ＳＵＬに関連するセル再選択パラメータを使用し得る。ＷＴＲＵが、ＳＵＬなしのセルにキャンプオンされた場合、ＷＴＲＵは、ＳＵＬなしのセルに関連するセル再選択パラメータを使用し得る。そのような差は、セルがＳＵＬをサポートしないとき、ＷＴＲＵが（たとえば、低減されたＵＬカバレージを考慮するために）周波数内測定をより迅速に開始することを可能にし得る。セル再選択パラメータはエリア固有である（たとえば、およびセル固有でない）ことがある。したがって、ＳＵＬありのセルに関連するセル再選択パラメータ、およびＳＵＬなしのセルに関連するセル再選択パラメータは、システム情報中でブロードキャストされ得る。
【００９４】
ＷＴＲＵは、たとえば、セルがＳＵＬを有するか否かに応じて、最良のセルの判定のためのセルランキング基準に追加のオフセットを適用し得る。オフセットはシステム情報中で提供され得る。ＷＴＲＵは、ＲＵＬおよびＳＵＬセルについてＱｏｆｆｓｅｔ／ＱｏｆｆｓｅｔTempの異なる値を提供され、セル（たとえば、サービングまたはネイバー）がＳＵＬをサポートするか否かに応じて、そのようなセルのセルランキングにそのようなオフセットを適用し得る。
【００９５】
セルランキングのために適用されるオフセットは、セル中のＤＬの測定されたセルＲＸレベル（ＲＳＲＰ）および／またはそのセルのために構成されたＳＵＬの存在に応じて、セルランキング基準に適用され得る。たとえば、ＷＴＲＵは、ＳＵＬを用いて構成されたときのセルにオフセットを適用してよく、および／またはＲＸレベル（ＲＳＲＰ）もしくは同様のものがしきい値を下回るとき（たとえば、そのときのみ）、そのようなオフセットを適用してよい。ＳＵＬを用いて構成されたセルに適用されるオフセット（たとえば、正のオフセット）は、受信されたＲＳＲＰの関数であり得る。
【００９６】
セル再選択基準は、スピードに基づいて実装され得る。たとえば、高モビリティレベルおよび／または中間モビリティレベルが検出されたとき、ＷＴＲＵは、（たとえば、関連するビームフォーミングされたシステムがモビリティに対してあまりロバストでないことがあるので）ＲＵＬのみを用いて動作するセルよりも、構成されたＳＵＬありのセルを優先させ得る。
【００９７】
セルに一時的に適用されるオフセット（Ｑｏｆｆｓｅｔtemp）は、追加のファクタによってスケーリングされ得る。このファクタは（たとえば、また）、近隣および／またはサービングセルのセルランキング基準において使用されるＲＳＲＰ測定量の関数であり得る。たとえば、高いＲＳＲＰを有し、構成されたＳＵＬを有しないセルは、より低いＲＳＲＰおよび構成されたＳＵＬを有するセルよりも優先されないことがある（ならびに／またはＳＵＬありのセルは、ＳＵＬなしのセルよりも優先されることがある）。
【００９８】
高モビリティまたは中間モビリティがＷＴＲＵによって検出されたとき、サービングセル信号強度への正のバイアス（ＱHyst）は、「Ｑhystのスピード依存スケーリングファクタ」に対応し得る、構成可能なファクタｓｆ−Ｈｉｇｈによって低減され得る。高モビリティに関与する例では、サービングセルがＳＵＬをサポートしている場合、ＷＴＲＵは、このバイアス低減を減衰させる必要があり得る。たとえば、バイアス低減は、「Ｑhystの追加のスピード依存スケーリングファクタ」に対応し得る、構成可能なファクタｓｆ−Ｈｉｇｈ＿ＳＵＬによって低減され得る。さらに、いくつかの例では、サービングセルがＳＵＬを用いて構成された場合、再選択の時間を増加させるために、セル再選択のためのタイマーが、追加のファクタによってスケーリングされ得る。
【００９９】
ＷＴＲＵは、システム情報ブロック（ＳＩＢ）中でＳＵＬ関係のセル選択パラメータを受信し得る。ＷＴＲＵは、（たとえば、ＳＵＬキャリアの品質を含む、ターゲットセルの品質を特徴づけることが可能であるために）周波数キャリアおよびセルがＳＵＬをサポートするかどうかを判定し得る。たとえば、ＷＴＲＵは、キャンプするセルのＳＩＢ中で近隣セル中のＳＵＬの構成を定義するＳＵＬ関係のセル選択パラメータを受信し得る。ＷＴＲＵは、ＳＵＬをサポートするセルを識別／区別し、様々な選択／再選択基準評価において、関連するＳＵＬ関係のセル選択パラメータを適用し得る。これらの値は、以下のうちの１つまたは複数であり得る。（たとえば、ＳＵＬをサポートする様々なセルのセルＩｄをもつ）近隣セルリストとして受信される、セル固有選択パラメータのためのＳＩＢ（たとえば、ＳＩＢ５）中で受信される近隣セルリストにマッピングされた１ビット情報リストとして受信される、周波数キャリア帯域構成に関連する表示として受信される、以前に検出されたセルからの記憶情報に基づく、および／またはＳＵＬをサポートするセルへの近接度が検出され得るときにＷＴＲＵによって要求される。
【０１００】
ＷＴＲＵは、ＳＩＢ（たとえば、ＳＩＢ３）中で、周波数内および周波数間セル再選択のための共通パラメータを受信し得る。加えて、ＷＴＲＵは、ＳＵＬをサポートする近隣セルのセルＩｄを含んでいるＳＵＬサポート近隣リストを（たとえば、ＳＩＢ中で）受信し得る。ＷＴＲＵは、ＳＩＢ（たとえば、ＳＩＢ５）中で、ＳＵＬ関係のセル選択パラメータを受信し得る。ＷＴＲＵは、ＷＴＲＵがＳＵＬ固有セル選択パラメータを適用し得るＳＵＬ関係のセル選択パラメータをもつセルを示すリスト（ｉｎｔｅｒＦｒｅｑＮｅｉｇｈＣｅｌｌＬｉｓｔ＿ＳＵＬ）を受信し得る。ＷＴＲＵは、たとえば、ＳＵＬをサポートしない近隣セルについての０、およびＳＵＬをサポートするリストのセルについての１、ならびに／または近隣セルがＳＵＬをサポートする場合、どのセル固有パラメータが適用されるかを示すフィールドを示す、ＩｎｔｒａＦｒｅｑＮｅｉｇｈＣｅｌｌＬｉｓｔにマッピングされたリストをＳＩＢ（たとえば、ＳＩＢ５）中で受信し得る。
【０１０１】
ＷＴＲＵは、構成されたＳＵＬがある、以前に訪問されたセルのＳＵＬサポートリストを保持してよく、たとえば、自律的探索機能を使用して、少なくとも、セルＩＤおよび関連するＰＬＭＮ識別がＷＴＲＵのＳＵＬサポートホワイトリスト中にあり得る、以前に訪問されたセルを検出し得る。自律的探索機能に基づく近接度の検出は、ＷＴＲＵが、ＳＵＬをサポートする１つまたは複数のセルの近接に入っているかまたはそれを出ていることを示すためのＰｒｏｘｉｍｉｔｙＩｎｄｉｃａｔｉｏｎ＿ＳＵＬメッセージをＷＴＲＵが送ることを可能にし得る。この機能は、ＷＴＲＵが、高、ダウンリンクにおいて高い減衰を経験している、および／または高モビリティ状態にある、のうちの１つまたは複数である場合（たとえば、その場合のみ）、有効化され得る。ＷＴＲＵがＳＵＬ＿Ｓｕｐｐｏｒｔ＿Ｌｉｓｔ中に１つまたは複数の好適なセルを検出した場合、ＷＴＲＵは、（たとえば、ＷＴＲＵが現在キャンプオンされているセルの周波数優先度にかかわらず（たとえば、関係するＳＵＬセルがその周波数上で最高のランク付けされたセルである場合））検出されたセルのうちの１つに再選択し得る。
【０１０２】
ＷＴＲＵは、ＲＲＣ非アクティブ状態においてＳＵＬ構成を維持し得る。ＷＴＲＵは、ＲＲＣ＿ＩＮＡＣＴＩＶＥ状態にある間、それの専用ＲＵＬ／ＳＵＬ構成を維持し得る。構成のそのような維持は、ＷＴＲＵが、ＲＲＣ＿ＩＮＡＣＴＩＶＥのままでありながらＵＬ送信を実施することを可能にし得、ＲＲＣ＿ＩＮＡＣＴＩＶＥ状態におけるいくつかのＷＴＲＵがすべて、同じＳＵＬ構成（たとえば、およびＲＡＣＨリソースの同じプール）を使用するのを回避し得る。ＷＴＲＵがいつそれのＲＵＬ／ＳＵＬ構成を解放し、代わりにＲＭＳＩにおいてＲＵＬ／ＳＵＬ構成を使用すべきかを判定するためのルールが必要とされ得る。いくつかの例では、ＷＴＲＵは、ＲＵＬ／ＳＵＬ構成を維持し、タイマーの満了時にそのような構成を解放し得る。
【０１０３】
ＷＴＲＵは、モビリティイベントの発生時に、たとえば、別のセルへの再選択、異なるＲＡＮエリアに関連する別のセルへの再選択、ＳＵＬをサポートしない別のセルへの再選択、および／または（たとえば、同じセルへの、もしくは異なるセルにそれが送信されるときの）周期的ＲＡＮロケーションエリア更新（ＲＬＡＵ）の送信時に、ＲＵＬ／ＳＵＬ構成を解放し得る。
【０１０４】
ＷＴＲＵは、セルへのレジューム手順時に（たとえば、それがＲＵＬ／ＳＵＬのための新しい構成を提供する場合）ＲＵＬ／ＳＵＬ構成を解放し得る。ＷＴＲＵは、レジュームに関係するアクセスのために、記憶された専用構成を使用してよく、記憶された構成を、（たとえば、レジューム手順に続くレジュームメッセージまたは再構成において）提供された新しい専用構成と交換し得る。
【０１０５】
ＷＴＲＵは、ページングおよび初期アクセスに関係するＳＵＬ手順を実施し得る。ＷＴＲＵは、たとえば、ページングに応答して、たとえば、ページングメッセージにおいて提供される情報に基づいて、初期アクセスを実施すべきアップリンクキャリアを判定し得る。ＷＴＲＵは、ＳＵＬまたはＲＵＬ上で初期アクセスを実施するための表示を受信し得る。たとえば、ＷＴＲＵは、ページングメッセージ中でＳＵＬまたはＲＵＬ上で初期アクセスを実施するための表示を受信し得る。ＳＵＬ／ＲＵＬ上のアクセスのための構成されたパラメータは、システム情報中で提供され、および／または専用構成（たとえば、非アクティブ状態構成）に記憶され得る。ＷＲＴＵは、シグナリングされたＷＴＲＵ  ＩＤがＷＴＲＵのアイドル状態ＩＤに一致するページングレコードを受信し得る。（たとえばＲＲＣ＿ＩＤＬＥにおける）ＷＴＲＵは、ＳＵＬまたはＲＵＬ上で初期アクセスを実施するための表示を受信し得る。ＷＴＲＵは、たとえば、ＳＵＬ／ＲＵＬ構成に関連する記憶されたシステム情報（たとえば、ＲＡＣＨプリアンブル／リソース、キャリア周波数など）を使用して、初期アクセス手順を開始し得る。ＷＴＲＵは、たとえば、ページングメッセージ中で示され得るアップリンクキャリアに関する記憶された情報を使用して、初期アクセス手順を開始し得る。（たとえば、ＲＲＣ＿ＩＮＡＣＴＩＶＥにおける）ＷＴＲＵは、たとえば、ＲＲＣ＿ＩＮＡＣＴＩＶＥへの遷移中に記憶され得る、ＷＴＲＵがＲＲＣ＿ＣＯＮＮＥＣＴＥＤにあった間のシステム情報からまたは専用ＲＲＣシグナリングによって、ＳＵＬ／ＲＵＬ構成を取得し得る。
【０１０６】
ＷＴＲＵは、たとえば、（ｉ）ページングがその中で受信され得る（たとえば、受信されていることがある）セルのＤＬキャリアの測定された品質（たとえばＲＳＲＰ、ＲＳＲＱなど）、（ｉｉ）ＷＴＲＵスピード／速度、（ｉｉｉ）ＷＴＲＵバッテリー電力、（ｉｖ）ＷＴＲＵ最大ＵＬ送信電力、および／または（ｖ）他の情報のうちの１つまたは複数に加えてページングレコード中で提供され得る情報など、情報の組み合わせに基づいて、ＵＬキャリア（たとえばＳＵＬ／ＲＵＬ）を判定し得る。
【０１０７】
ＷＴＲＵスピード／速度に関して、例では、ユーザのモビリティが速い（またはしきい値を上回る）場合、ＷＴＲＵは、ＳＵＬキャリアを選択し得る。これは、より信頼できることがあり、ＷＴＲＵが、（たとえば、ビームの変化をしばしば生じる、ＲＵＬに関連するより狭いビームではなく）ＳＵＬに関連するより広いビームで送信することを可能にし得る。
【０１０８】
ＷＴＲＵバッテリー電力に関して、たとえば、ＳＵＬにおけるＵＬ送信のための（たとえば、ＳＵＬ周波数の経路損失推定と、セル中のＤＬキャリア上で推定される経路損失との間の差を補正するための）ＳＵＬの受信電力制御＋電力調整の結果が、ＲＵＬの受信電力制御よりも高いしきい値である場合、ＷＴＲＵはＲＵＬキャリアを選択し得、反対に、ＲＵＬの受信電力制御が、ＳＵＬの受信電力制御＋電力調整の結果よりも高いしきい値である場合、ＷＴＲＵはＳＵＬキャリアを選択し得るように、ＷＴＲＵは、最も低い電力使用をもたらすであろうＵＬキャリアを選択し得る。
【０１０９】
ＷＴＲＵ最大ＵＬ送信電力に関して、ＳＵＬの受信電力制御＋電力調整の結果がＷＴＲＵの最大出力電力よりも高い場合、ＷＴＲＵはＲＵＬキャリアを選択し得る。
【０１１０】
ＷＴＲＵは、たとえば、（たとえば上記の量のいずれかについての）１つまたは複数の条件が満たされ得るとき、示されたキャリア（たとえばＳＵＬまたはＲＵＬ）を選定し得る。条件は、たとえば、システム情報、ＲＲＣ構成中で、および／またはページングメッセージなどの中で提供され得る、たとえば、しきい値を上回っている／下回っている量の値に基づき得る。ＮＷは、ＤＬ中でＷＴＲＵに送信されるべきデータのタイプ（たとえば、短いデータ送信、高信頼性肯定応答を必要とする低レイテンシデータなど）を考慮に入れながら、ＳＵＬ／ＲＵＬへのＵＬリソースの負荷を管理し得る。
【０１１１】
例では、ＷＴＲＵは、ＳＵＬまたはＲＵＬ上のページングに応答して初期アクセスを実施すべきかどうかを決定するためにＷＴＲＵが使用し得るＲＳＲＰしきい値をページングメッセージ中で受信し得る。たとえば、セル品質が、ページングメッセージ中で提供されるしきい値を下回る場合、ＷＴＲＵは、ＳＵＬ上で初期アクセスを実施し得、さもなければ、それは、ＲＵＬ上で初期アクセスを実施し得る。ページングメッセージ中で受信されるそのようなしきい値は、セルからシステム情報中で受信されるどんな他のしきい値をもオーバーライドするかまたはそれらよりも優先され得る。
【０１１２】
ＷＴＲＵは、たとえば、ＷＴＲＵバッテリー電力またはＷＴＲＵ最大ＵＬ送信電力など、ページングメッセージ中で提供されるそのような情報なしの上記の組合せに基づいて、アクセスのために使用すべきＵＬを判定し得る。
【０１１３】
ＷＴＲＵは、決定基準のために複数のしきい値を使用し得る。たとえば、ＷＴＲＵは、ＳＵＬまたはＲＵＬ上の初期アクセスの間で決定するために複数のＲＳＲＰしきい値を提供され得る。（たとえば、各）しきい値は、異なるアクセスタイプ、またはＷＴＲＵによるアクセスに関係する同様のファクタに関連し得る。ＷＴＲＵは、アクセスタイプに基づく適切なしきい値を識別することによって、初期アクセスを実施すべきアップリンク（ＳＵＬまたはＲＵＬ）を判定し得る。ＷＴＲＵは、ＤＬセル品質が、関連するしきい値を下回る場合は、ＳＵＬ上でアクセスを実施し得るか、またはＤＬセル品質が、関連するしきい値を上回る場合は、ＲＵＬ上でアクセスを実施し得る。ＷＴＲＵは、ＷＴＲＵのために静的に定義されてよく（たとえば、ＭＴＣ  ＷＴＲＵ）、ＷＴＲＵの能力に基づいて定義され得る、ＷＴＲＵタイプ、もしくはＷＴＲＵクラス、上位レイヤ（たとえば、ＮＡＳもしくはアプリケーションレイヤ）において定義されるアクセスカテゴリー、もしくはサービスタイプ、様々な接続確立の原因（たとえば、トラッキングエリア更新、ＤＬデータ、非アクティブ状態からのレジューム、ＲＡＮエリア更新）、たとえば、非アクティブ状態からのアクセスのための、アクセスの時間におけるＷＴＲＵバッファ中のデータの論理チャネル／優先度、および／またはしきい値を上回っているかもしくは下回っている（たとえば、特定の論理チャネルのための）バッファ中のデータの量、のファクタのうちの１つまたは複数に、しきい値（たとえば、しきい値の各々）を関連付け得る。
【０１１４】
ＷＴＲＵは、記述されるファクタがしきい値に関連しないことがある、ＳＵＬまたはＲＵＬ上のアクセスを開始し得る。たとえば、ＷＴＲＵは、しきい値にかかわらず、ＳＵＬ上で高優先度論理チャネル（たとえば、ＵＲＬＬＣ）のためのアクセスを開始し得る（たとえば、常に開始し得る）。別の例では、ＷＴＲＵは、（たとえば、常に）ＲＵＬ上でＲＬＡＵを実施し得る。そのような特殊な事例は、特定のルールによって可能にされ得るか、またはＷＴＲＵは、記述された挙動にそれが従うことを可能にし得る、しきい値の特殊な値（たとえば、負もしくは正の無限大）を受信し得る。
【０１１５】
ＷＴＲＵは、たとえば、ネットワーク表示に基づいて、初期アクセス（たとえば、それの１つまたは複数の部分）を実施し得る。たとえば、ＷＴＲＵは、初期アクセスのどの部分がＳＵＬ／ＲＵＬ中で実施され得るかについての１つまたは複数の表示をネットワークから受信し得る。ＷＴＲＵは、（たとえばページングメッセージ中の表示に基づいて、）たとえば、ＲＵＬ／ＳＵＬ上でＰＲＡＣＨ送信を実施してよく、ＳＵＬ／ＲＵＬ上でＭＳＧ３を送信し得る。ＷＴＲＵは、たとえば、ＭＳＧ３送信のためのページングメッセージ中に示されるキャリア中のＭＳＧ３参照リソースのＵＬ送信について、ＭＳＧ２中で受信され得る許可を判定または仮定し得る。たとえば、ＭＳＧ２中の許可は、ページングが、ＭＳＧ３がＳＵＬ上で送信されるべきであることを示した場合は、ＳＵＬ上のリソースを予約し得るが、ページングメッセージが、ＭＳＧ３がＲＵＬ上で送信されるべきであることを示した場合、それは、ＲＵＬ上のリソースを予約し得る。ＷＴＲＵは、（たとえばページングメッセージ中の表示に基づいて）ＲＵＬ／ＳＵＬ上でＰＲＡＣＨ送信を実施し得、および／または（たとえば、ＭＳＧ２  ＭＡＣ  ＣＥにおけるＣＩＦもしくは同様のフラグをもつ）ＭＳＧ２中に（たとえば明示的に）示され得るキャリア上でＭＳＧ３を送信し得る。
【０１１６】
初期アクセス中に、ＮＷは、ＵＬ（たとえば、ＳＵＬまたはＲＵＬ）を適切に選択するための品質情報（たとえばＷＴＲＵによるＳＲＳ送信）を有しないことがある。ＷＴＲＵは、たとえば、初期アクセス手順中にＵＬ選択情報を提供し得る。提供され得る情報は、たとえば、（ｉ）セルのＤＬキャリアの測定された品質（たとえばＲＳＲＰ、ＲＳＲＱなど）、（ｉｉ）ＷＴＲＵスピード／速度、および／または（ｉｉｉ）アクセスをトリガしたデータの論理チャネルＩＤ、のうちの１つまたは複数を含み得る。ＷＴＲＵは、たとえば、（ｉ）ＭＳＧ３とともに含まれ得るＲＲＣメッセージもしくはＭＡＣ  ＣＥ中で、および／または（ｉｉ）（たとえばＲＡＣＨプリアンブル／リソースの選択に基づいて）暗黙的に、の仕方のうちの１つまたは複数によって、ネットワークにこの情報を提供し得る。ＷＴＲＵは、たとえば、ＷＴＲＵスピードがしきい値を上回り得るとき、ＲＡＣＨプリアンブル／リソースのサブセットを使用するように（たとえばシステム情報中でまたは専用ＲＲＣシグナリングによって）構成され得る。ＮＷは、（たとえばＷＴＲＵによって提供される）情報を利用して、たとえば、ＷＴＲＵを構成するための適切なＵＬ（たとえばＳＵＬまたはＲＵＬ）を選択し得る。ＷＴＲＵは、たとえば、ＮＷとの後続の通信のために、ＳＵＬおよび／またはＲＵＬを使用するためのＵＬを含み得る、ＵＬのための構成を（たとえば初期アクセス／レジューム手順のＭＳＧ４中で）受信し得る。
【０１１７】
応答駆動型ページングを実施するとき、ページングレコードを送信するためのＤＬビームを選択するために、ＳＵＬ上で実施されるページングインジケータ応答がＮＷによって使用されないことがある。ＷＴＲＵは、ＳＵＬ上でビーム情報を送信し得る。たとえば、ＷＴＲＵは、たとえば、初期アクセス手順中に、ビームフォーミングされないＵＬキャリア（たとえばＳＵＬ）上でＤＬビームのビーム情報をＮＷに提供し得る。ＷＴＲＵは、たとえば、ページングインジケータメッセージの正確な受信に関連し得るビーム、ビームインデックスまたは同期信号ブロック（ＳＳＢ）インデックスを識別し得る。ＷＴＲＵは、たとえば、ＳＵＬ（たとえば、ビームフォーミングされない周波数）上で実施され得るＲＡＣＨ手順中に、ＮＷに識別子を提供し得る。たとえば、以下の手順のうちの１つまたは複数を使用して、情報は提供され得る。
【０１１８】
ＷＴＲＵは、ＰＲＡＣＨプリアンブル送信に添付され得るデータ送信またはデータ部分を使用して（たとえば明示的に使用して）識別子を提供し得る。ＷＴＲＵは、識別子に関連し得るＰＲＡＣＨプリアンブル／リソースを選択し得る。ＷＴＲＵは、たとえば、ＤＬ（たとえば、ビームフォーミングされたキャリア）上の所与のビームインデックスについて、ビームフォーミングされないＵＬキャリア（たとえばＳＵＬ）上のＰＲＡＣＨプリアンブル／リソースのマッピングを用いて（たとえばシステム情報または専用ＲＲＣシグナリングを通して）構成され得る。ＷＴＲＵは、構成されたマッピングに基づいてＰＲＡＣＨプリアンブル／リソースペアを選択し得る。
【０１１９】
ＷＴＲＵは、たとえば、復号されたインデックスに関係し得る時間量だけ、ＰＲＡＣＨプリアンブルの送信を遅延させ得る。ＷＴＲＵは、たとえば、（たとえば各）ＳＳＢビームインデックスのために使用すべき（たとえば特定の）時間遅延を用いて（たとえばシステム情報または専用ＲＲＣシグナリングを通して）構成され得る。ＷＴＲＵは、たとえば、インデックスに（たとえば直接）関係し得るハードコーディングされた量（たとえば、インデックス１＝１＊ｘ個のサブフレーム、インデックス２＝２＊ｘ個のサブフレームなど）によって、たとえば、ＰＲＡＣＨプリアンブルの送信のための時間遅延（たとえば待つべきサブフレームの数）を選択し得る。
【０１２０】
ハンドオーバ中に、ＷＴＲＵは、どのキャリアがＲＵＬ／ＳＵＬであるかを判定し得る。ＷＴＲＵは、ハンドオーバ（ＨＯ）コマンドにおいて複数（たとえば２つ）のＵＬキャリアのための構成を受信し得る（たとえば１つはＳＵＬに対応し、別のものはＲＵＬに対応する）。ネットワークは、どの構成がどのキャリアに適用されるかを示すための表示を提供し得る。ＷＴＲＵは、たとえば、ＨＯがＳＵＬに実施され得るかＲＵＬに実施され得るかに応じて、（たとえばＨＯコマンドの完了の間または後に）（たとえば後続の）手順／行為を適用し得る。ＳＵＬ／ＲＵＬの知識は、たとえば、（ｉ）ＨＯコマンドにおける（たとえば明示的）表示、（ｉｉ）Ｌ１／Ｌ２構成および／またはＡＲＦＣＮにおけるビーム関係の情報の存在／不在、のうちの１つまたは複数を使用し得る、ＷＴＲＵによって導出され得る。（たとえば、ＡＲＦＣＮの）例では、ＷＴＲＵは、基準ＡＲＦＣＮを下回る（たとえばすべての）周波数がＳＵＬであると見なし得る。ＷＴＲＵは、たとえば、ＷＴＲＵが、ＳＵＬおよびＲＵＬについての個別の完全な構成、または１つのキャリアについての完全な構成および別のキャリアについての部分的構成を提供されたとき、ＡＲＦＣＮのより低い値をもつ構成になるように、ＳＵＬに関連する構成を判定し得る。
【０１２１】
ＷＴＲＵがＨＯコマンドをＲＵＬ上で完了したかＳＵＬ上で完了したかに応じて変化し得る様々な手順がある。これらの手順は、たとえば、（ｉ）ＨＯのためのＵＬキャリア選択（たとえば、本明細書で論じられる挙動は、本明細書で説明されるように判定され得る、キャリアがＳＵＬであるか／ＲＵＬであるかの知識に従い得る）、（ｉｉ）ＨＯ失敗手順（たとえば、ＷＴＲＵは、ＨＯが最初にＳＵＬに実施され得るかＲＵＬに実施され得るかに依存し得る、ＨＯ失敗時の異なる行為を実施し得る）、（ｉｉｉ）ＲＬＦ／Ｓ−ＲＬＦ手順（たとえば、ＷＴＲＵは、たとえば、ＨＯがＳＵＬを介して実施され得るかＲＵＬを介して実施され得るかに応じて、ＲＬＦ／Ｓ−ＲＬＦ、もしくは特定の形態のＲＬＦ／Ｓ−ＲＬＦをトリガする時に異なる行為を実施し得る）、（ｉｖ）（たとえば、失敗したＨＯの場合における）もしくはＨＯの後にくるＲＬＦの場合における再確立手順、（ｖ）サスペンドの後にくるレジューム手順、（ｖｉ）ＵＬデータおよび／もしくはＵＬ  ＲＲＣルーティングならびに／または（ｖｉｉ）システム情報要求、のうちの１つまたは複数を含む。ＷＴＲＵは、ＨＯコマンドの一部としておよび／またはＷＴＲＵがＲＲＣ接続にある間、上記で説明された１つまたは複数の手順の表示を受信し得る。
【０１２２】
ＷＴＲＵは、ネットワークからＨＯコマンド中でアップリンクキャリア選択情報（たとえば、ＳＵＬおよび／またはＲＵＬ）を受信してよく、この情報に基づいて、初期アクセスを実施すべきアップリンクを選択し得る。たとえば、ＷＴＲＵは、たとえば、ＨＯ中に初期アクセスを実施するために、使用すべきキャリア（たとえばＳＵＬまたはＲＵＬ）を提供され得る。表示は、どのキャリアを使用すべきかの明示的インジケータであり得る。ネットワークは、たとえば、（たとえば、ＨＯコマンド中でまたはシステム情報中で）ＳＵＬおよびＲＵＬのためのＵＬ構成を提供し得る。ＷＴＲＵは、示されたキャリアの構成を用いてＨＯ中に初期アクセスを実施し得る。
【０１２３】
ＷＴＲＵは、初期アクセスを実施するために必要な情報を（たとえばＨＯコマンド中に）含んでいることがあるキャリアへのＨＯを実施し得る。ＷＴＲＵは、ネットワークからＨＯコマンド中で（たとえば単一の）完全な構成（たとえばＳＵＬまたはＲＵＬ）を受信し得る。ＷＴＲＵは、構成に関連し得るキャリア上で初期アクセスを実施し得る。構成は、たとえば、初期アクセスパラメータ（たとえば専用／共通ＲＡＣＨリソース）からなり得る。構成は、たとえば、ＲＲＣ＿ＣＯＮＮＥＣＴＥＤモードにおける動作中に使用すべき、ＵＬキャリアのための構成（たとえばＬ１構成、Ｌ２構成など）を（たとえばさらに）含み得る。ＷＴＲＵは、（たとえば単一の完全な構成に加えて、）たとえば、ＨＯコマンドの後にくるＵＬ  ＳＲＳ送信のためのＡＲＦＣＮおよびＳＲＳ構成を含んでいることがある、別のＵＬキャリア（たとえば、ＲＵＬまたはＳＵＬ）のための（たとえば追加の）低減された構成を受信し得る。ＷＴＲＵは、（たとえばこの場合には）初期アクセスを実施するために完全な構成が提供され得るキャリアを選択し得、別のキャリア上でＳＲＳ（たとえばＳＲＳのみ）を構成し得る。
【０１２４】
ＷＴＲＵは、キャリア（たとえばＳＵＬ／ＲＵＬ）へのＨＯ中に初期アクセスを実施し得る。ＷＴＲＵは、別のキャリア（ＲＵＬ／ＳＵＬ）におけるＨＯ完了の間におよび／またはそれに続いてＵＬ動作を動作させるかまたはそれを用いて構成され得る。ＷＴＲＵは、（たとえばこの場合には）ＳＵＬのためのＲＡＣＨ構成、およびＲＵＬのための完全な構成（たとえばＬ１、Ｌ２）を受信してよく、またはその逆も同様である。
【０１２５】
ＷＴＲＵは、たとえば、（たとえばＨＯコマンドより前に）ソースセル中のＷＴＲＵの状態に基づいて、ＨＯを実施すべきキャリア（たとえばＳＵＬまたはＲＵＬ）を判定し得る。ＷＴＲＵは、ソースセルにおいて複数（たとえば２つ）の個別の構成（たとえばＲＵＬおよびＳＵＬ）を用いて構成され得るが、ＨＯコマンドの受信の時間中に（たとえば単一の）構成（たとえばそれのみ）を使用するように構成され得る。ＷＴＲＵは、たとえば、同じＵＬ（たとえばＲＵＬまたはＳＵＬ）がターゲットセル中で使用され得る（たとえば使用されるべきである）と判定または仮定し得る。ＷＴＲＵは、ＵＬキャリアを使用してターゲットセルへの初期アクセスを実施し得る。代替または追加として、ＷＴＲＵは、ソースセル中でＳＵＬ（たとえば、それのみ）を用いて構成されてよく、初期ＨＯのためのＵＬについてのＷＴＲＵにより得られた選択は、（たとえば、ＷＴＲＵはＨＯコマンド中で両方の構成を提供され得るが）ターゲットセル中でＳＵＬを選択することであり得る。ＷＴＲＵは、たとえば、（たとえばターゲットセルにおいて使用されるべき）ＨＯコマンド中の構成が、ソースセル中の最後の構成と同じタイプのＵＬキャリア（たとえばＲＵＬまたはＳＵＬ）に関連すると（たとえばさらに）判定または仮定し得る。ＷＴＲＵは、（たとえば追加または代替として）（たとえばＮＷスケジューリングに従って）ソースセルにおいてＳＵＬ／ＲＵＬの両方を使用するように構成され得る。ＷＴＲＵは、（たとえばこの場合には）ＨＯ中にＳＵＬ／ＲＵＬ間で選択するために（たとえば本明細書で説明される）別の手順を使用し得る。ＷＴＲＵは、ＨＯコマンド中でＳＵＬおよびＲＵＬのための構成情報を受信し得る。
【０１２６】
ＷＴＲＵは、ソースセルおよびターゲットセルについて共通のＳＵＬ構成を受信し得る。ＷＴＲＵは、ターゲットセルの実際のＳＵＬ構成がソースセルのＳＵＬ構成と同じであると判定または仮定し得る。ＷＴＲＵは、たとえば、（ｉ）構成、（ｉｉ）ソースセルＩＤに対するターゲットセルＩＤの関係、および／または（ｉｉｉ）ＨＯコマンド中の表示（たとえば、明示的表示もしくは（たとえば、ＳＵＬ構成の不在によって）暗黙的に）のうちの１つまたは複数に基づいて、判定または仮定を行い得る。ＷＴＲＵは、場合によってはＷＴＲＵが（たとえば専用ＲＲＣシグナリングを通してまたはシステム情報の収集中に）新しいＳＵＬ構成を用いて再構成されるまで、ＨＯコマンド中におよびＨＯの後にソースセルのＳＵＬ構成を利用し得る。
【０１２７】
ＷＴＲＵは、ＷＴＲＵ判定されたファクタに基づいてアップリンク（ＳＵＬおよび／またはＲＵＬ）を判定し得る。ＷＴＲＵは、ＳＵＬおよびＲＵＬのための完全な構成を提供され得る。ＷＴＲＵは、たとえば、（ｉ）（たとえば構成もしくはハードコーディングされ得るしきい値と比較した）ＲＳＲＰ、ＲＳＲＱなどのＤＬセル品質、（ｉｉ）（たとえば構成もしくはハードコーディングされ得るしきい値と比較した）ＷＴＲＵスピード／速度、（ｉｉｉ）（たとえば構成もしくはハードコーディングされ得るしきい値と比較した）ＷＴＲＵバッテリー電力、（ｉｖ）（たとえば構成もしくはハードコーディングされ得るしきい値と比較した）ＷＴＲＵ最大値ＵＬ送信電力、（ｖ）ＷＴＲＵバッファ中で保留中であり得るデータの論理チャネルＩＤ、および／または（ｖｉ）ＷＴＲＵがＨＯコマンドをその上で受信していることがあるビーム、のうちの１つまたは複数（たとえばそれらの任意の組合せ）など、ＷＴＲＵにおいて測定／判定され得る１つまたは複数の条件に基づいてＨＯの初期アクセスのためのキャリアを選択し得る。
【０１２８】
（たとえばＷＴＲＵバッファ中で保留中であり得るデータの論理チャネルＩＤの）例では、ＷＴＲＵは、たとえば、（たとえばある）優先度または遅延クリティカリティを示す論理チャネルの（たとえばある）セットに対応し得るデータが１つまたは複数のＷＴＲＵバッファ中にあるとき、ＳＵＬへのＵＬアクセスを実施し得る。（たとえば、専用またはブロードキャストシグナリングにおいて）ＮＷによって（たとえば最小の）優先度レベルが構成され得る。
【０１２９】
（たとえばＷＴＲＵがＨＯコマンドをその上で受信していることがあるビームの）例では、ＷＴＲＵは、ターゲットセルへの初期アクセスのためのビームＩＤのセット、およびＳＵＬまたはＲＵＬへのビームＩＤの対応を用いて構成され得る。ＷＴＲＵは、たとえば、ＨＯコマンドが受信されたビームＩＤに基づいて、使用すべきＵＬキャリアを判定し得る。構成はターゲットセル固有であり得る。
【０１３０】
ＷＴＲＵは、ＳＵＬ／ＲＵＬ基準に基づいてターゲットセルのセットのうちの１つを選択し得る。ＷＴＲＵは、たとえば、ＨＯコマンド中で、１つまたは複数のセルのためのターゲットセル構成を提供され得る。ＷＴＲＵは、たとえば、ＨＯコマンドの受信時に、たとえば、（たとえば各）候補ターゲットセルにおいて実施される測定に基づいて、ＨＯのターゲットセルへの初期アクセスを実施し得る。ＷＴＲＵは、ＨＯコマンドの時間においてより良好なＤＬセル測定値（たとえばＲＳＲＰ）を有し得るターゲットセルへのＨＯを実施し得る。ＷＴＲＵは、（たとえばＳＵＬ／ＲＵＬ選択のコンテキストにおいて、）それのためのＲＵＬ／ＳＵＬの選択が、結果的にＷＴＲＵによるＲＵＬの選択になり得る、ターゲットセルを選択し得る。
【０１３１】
ＳＵＬへの負荷は、たとえば、ＷＴＲＵがＨＯの時間においてＳＵＬの使用を必要としないことがあるセルをＨＯが優先させ得るとき、低減され得る。（たとえばＮＷ決定と比較された）ＷＴＲＵによる決定は、（たとえば測定がＨＯコマンドの時間において実施され得るので）より正確であることがあり、ＮＷがそれへのアクセスを有しないことがある他のファクタ（たとえばＷＴＲＵ固有ファクタ）と組み合わされ得る（たとえばスピード、ビーム情報など）。
【０１３２】
ＷＴＲＵは、ＨＯ手順中にＳＵＬへのタイマーベースのフォールバックを使用し得る。ＷＴＲＵは、ＲＵＬへのＨＯ手順を開始してよく、たとえば、条件に従って、ＳＵＬへのＨＯを実施することにフォールバックし得る。たとえば、ＷＴＲＵは、ＲＵＬへのＨＯを開始してよい。ＷＴＲＵは、いつＳＵＬにフォールバックすべきかを判定するタイマーを用いて構成され得る。ＷＴＲＵは、ＨＯコマンドの受信時にタイマーを開始し得る。タイマーは、たとえば、ＷＴＲＵがＨＯ中の初期アクセスのためにＲＵＬを選択したとき（たとえばそのときのみ）、開始され得る。ＷＴＲＵは、タイマーが実行中であり得る間、ＲＵＬへのＨＯを実施し得る。ＷＴＲＵは、たとえば、タイマーの満了時に、ＳＵＬを介してターゲットへのＨＯを試み得る。タイマーは、ＨＯ失敗タイマー（たとえば、Ｔ３０４）と等価であっても等価でなくてもよい。
【０１３３】
（たとえば別の例と組み合わせて使用され得る）（たとえば追加または代替の）例では、ＷＴＲＵは、第２のタイマーを用いて（たとえばさらに）構成され得る。第２のタイマーは、ＨＯ失敗が宣言され得る前にＷＴＲＵがＳＵＬ上でＨＯを試み得る時間量を規定し得る。ＷＴＲＵは、たとえば、それがＳＵＬへのフォールバックを開始するとき、タイマーを開始し得る。ＷＴＲＵは、たとえば、第２のタイマーが実行中であり得るまでＳＵＬを介して、ターゲットセルへのＨＯを試み得る。ＨＯ失敗は、たとえば、第２のタイマーの満了時に、宣言されてよい。
【０１３４】
ＷＴＲＵは、ＨＯ中に競合ベースの（共通）リソースへのフォールバックを実装し得る。たとえば、ＮＷによって提供される専用（ＣＦＲＡ）リソース上でＨＯを実施することの失敗に続いて、ＷＴＲＵは、競合ベースのランダムアクセスリソースにフォールバックしてよく、ＳＵＬまたはＲＵＬのいずれかの上でそのようなリソースを選択し得る。ＷＴＲＵは、それの選択決定を、専用リソースがＳＵＬに提供されたかＲＵＬ上に提供されたかに基づかせ得る。
【０１３５】
ＷＴＲＵは、それがＣＦＲＡのための専用リソースを受信したＵＬと同じＵＬ（ＳＵＬまたはＲＵＬ）を選択し得る。たとえば、ＷＴＲＵがＲＵＬ／ＳＵＬ上で専用リソースを受信し、ＨＯが専用リソース上で失敗した場合、ＷＴＲＵは、ＲＵＬ／ＳＵＬ上で競合ベースのリソース上にフォールバックし得る。ＷＴＲＵは、ＳＵＬに関連するＵＬリソースがネットワークによって提供されると仮定すると、そのようなリソースを使用し得る（たとえば、常に使用し得る）。ＷＴＲＵは、ＳＵＬリソースが提供されない場合、ＲＵＬリソースを使用し得る。ＷＴＲＵは、専用リソース上のＨＯまたはＨＯ失敗の時間における測定されたＤＬ品質に基づいて、使用すべきＵＬキャリアを判定し得る。たとえば、ＷＴＲＵが、ＨＯコマンドにおいてＳＵＬとＲＵＬの両方の上の共通リソースを提供された場合、ＷＴＲＵは、ＤＬセル品質がしきい値を下回るときは、ＳＵＬリソースへのフォールバックを実施してよく、さもなければ、ＲＵＬへのフォールバックを実施し得る。記述される基準において、専用（ＣＦＲＡ）リソース上のＨＯ失敗は、失敗したＲＡＣＨ手順もしくは試行を含み得るか、またはそれは、構成されたしきい値を下回っている専用ＲＡＣＨリソースに関連するビームを含み得る。
【０１３６】
ＷＴＲＵは、ＳＵＬへのフォールバックを、ビーム適合性、および／または競合なしアクセスを優先させることに基づかせ得る。ＷＴＲＵは、たとえば、（たとえば特定の）適合性基準を満足し得るどんなビームももはやＲＵＬ上にないであろうとき、（たとえばＲＵＬ上の初期試行に続いて）ＳＵＬ上でＨＯを試みることにフォールバックし得る。
【０１３７】
代替または追加として、ＷＴＲＵは、たとえば、ＨＯコマンドによって提供され得るような、ＲＵＬの１つまたは複数の専用リソース（たとえばビーム）上で、たとえば、それらのビームのうちの１つまたは複数が、（たとえばＨＯコマンド中で提供される）関連するしきい値を上回ると測定され得るとき、ＨＯを（たとえば最初に）実施し得る。ＷＴＲＵは（たとえばビームなどの専用ＲＡＣＨリソース上のターゲットへのＨＯ試行より前にまたはＨＯ試行中に）、（たとえばすべての）専用ＲＡＣＨリソースの品質が、構成されたしきい値を下回ると判定し得る。ＷＴＲＵは、（たとえばＳＵＬ構成を使用して）ＳＵＬ上でＨＯ手順を開始し得る。ＷＴＲＵは、たとえば、それがＳＵＬ上で専用ＲＡＣＨ構成（たとえば競合なしリソース）を提供され得るとき（たとえばそのような条件で）、ＳＵＬ（たとえばそれのみ）へのフォールバックを（たとえばさらに）実施し得る。
【０１３８】
（たとえば追加または代替の）例では、ＷＴＲＵは、（たとえばＨＯコマンド中で提供される）ＲＵＬ上の１つまたは複数の専用リソース（たとえばビーム）上で、たとえば、ビームのうちの１つまたは複数がしきい値を上回る品質を有するとき、ＨＯを（たとえば最初に）実施し得る。ＷＴＲＵは、たとえば、１つまたは複数のビーム／リソースが（たとえば同じまたは異なる）しきい値を上回る品質を有し得るとき、（たとえばビームがしきい値を上回る品質を有しないときに）ＲＵＬの（たとえば競合ベースのランダムアクセスに関連する）共通構成におけるビームを使用し得る。ＷＴＲＵは、たとえば、（たとえば共通または専用）ＲＵＬ上のどのビーム／リソースもしきい値を上回る品質を有しないことがあるとき、（たとえば次いで）ＳＵＬ上でＨＯのための初期アクセスを実施することにフォールバックし得る。
【０１３９】
ＷＴＲＵは、１つまたは複数のファクタに基づいてＵＬキャリアの変更を要求し得る。ＷＴＲＵは、ＮＷがＵＬを変更することを要求し得る。ＷＴＲＵは、（たとえばただ１つの）ＵＬ（たとえばＲＵＬ）を利用するように構成され得る。ＷＴＲＵは（たとえば構成されると）、ネットワークがそれのＵＬを別のキャリア（たとえばＳＵＬ）に変更することを要求し得る。
【０１４０】
ＵＬの要求または変更の開始は、たとえば、（ｉ）セルのＤＬ品質、（ｉｉ）ＷＴＲＵのスピード、（ｉｉｉ）現在のＷＴＲＵバッテリー電力、および／または（ｉｖ）高優先度データの到着、のうちの１つまたは複数など、１つまたは複数の条件に基づき得る。例では、ＷＴＲＵは、たとえば、ＤＬの測定された品質が（たとえばネットワークによって構成された）しきい値を下回り得るとき、再構成コマンドを受信した後のある時間にＵＬを要求または変更（たとえばＲＵＬからＳＵＬに変更）し得る。例では、ＷＴＲＵは、たとえば、ＷＴＲＵスピードが、ネットワーク構成されたしきい値を超え得る（たとえば超え始め得る）とき、ＵＬを要求または変更（たとえばＲＵＬからＳＵＬに変更）し得る。例では、ＷＴＲＵは、たとえば、残りのＷＴＲＵバッテリー電力が（たとえばネットワークによって構成された）しきい値を下回り得るとき、ＵＬを要求または変更（たとえばＲＵＬからＳＵＬに変更）し得る。
【０１４１】
例では、ＷＴＲＵは、たとえば、パケットが（たとえばある）論理チャネルまたは無線ベアラ上でＷＴＲＵに到着し得るとき、パケットの優先度が（たとえばある）優先度レベルを上回り得る場合、ＵＬを要求または変更（たとえばＲＵＬからＳＵＬに変更）し得る。ＷＴＲＵは、たとえば、新しいデータパケットが、（たとえば特定の）ＱｏＳレベルに関連し得るかまたは（たとえば特定の）無線ベアラにマッピングされ得るＳＤＡＰ／ＰＤＣＰレイヤに到着し得るとき、（たとえばＲＵＬからＳＵＬへの）ＵＬの変更をトリガし得る。（たとえば変更手順をトリガし得る）ＱｏＳレベルおよび／または無線ベアラは、ネットワークによって構成され得る。
【０１４２】
（たとえば別の例と組み合わせて使用され得る）（たとえば追加または代替の）例では、ＷＴＲＵは、ＳＵＬ構成の時間妥当性および関連する条件を（たとえばさらに）提供され得る。ＷＴＲＵは（たとえば条件付き構成の受信時に）、タイマーを開始してよく、たとえば、タイマーが実行中であるとき、１つまたは複数の条件を評価し得る。ＷＴＲＵは、（たとえばタイマーの満了時に）受信された構成を削除し、１つまたは複数の関連する条件の評価を停止し得る。
【０１４３】
ＷＴＲＵ挙動は、トリガリング条件に基づいて適応し得る。たとえば、ＷＴＲＵは、（たとえば上記の例では）ＳＵＬに切り替わる必要を下位レイヤに通知し得る。ＷＴＲＵは、ＵＬ切替えをＮＷに通知することに関連し得る下位レイヤにおける手順を（たとえばさらに）開始し得る。上位レイヤは、たとえば、（ｉ）ＳＵＬにおけるＲＡＣＨ手順もしくはＲＡＣＨ様の手順の開始、（ｉｉ）現在構成されているＵＬ（たとえばＲＵＬ）上でのＲＲＣメッセージの送信、（ｉｉｉ）（たとえばリソースが構成され得るときの）ＳＵＬ上のＰＵＣＣＨ（たとえばＳＲもしくは他の表示）上での送信、ならびに／または（ｉｉｉ）たとえば、ＷＴＲＵがＤＣを用いて構成され得るときの、および／もしくはＲＵＬ／ＳＵＬ構成が２次ノード（ＳＮ）（たとえばｇＮＢ）上での送信に関連し得るときの、マスタノード（たとえばｅＮＢ／ｇＮＢ）上でのＲＲＣメッセージの送信、のうちの１つまたは複数など、１つまたは複数の下位レイヤ手順を開始し得る。
【０１４４】
ＷＴＲＵは、ネットワークに切替え表示を送信し得る。表示は、たとえば、ネットワークに送信されるＲＲＣメッセージであり得る。表示は、たとえば、（ｉ）（たとえば他の目的でＲＡＣＨ手順と区別するための）切替え要求の表示、（ｉｉ）切替えの原因（たとえば切替えを引き起す満足された条件）、（ｉｉｉ）切替えに関連し得る測定（たとえばＤＬ品質、ＷＴＲＵスピードなどの測定）、および／または（ｉｖ）ＳＵＬの利用およびＲＵＬへの後続の切替え復帰（もしくはその逆も同様）のための予想／判定される持続時間、のうちの１つまたは複数などの情報を提供し得る。
【０１４５】
たとえば、ＷＴＲＵは、たとえば、ＳＵＬへの切替えをネットワークに示すために、ＳＵＬへのＲＡＣＨ手順またはＲＡＣＨ様の手順の切替え表示メッセージをＭＳＧ３中で送信し得る。（たとえば追加または代替の）例では、ＷＴＲＵは、ＲＵＬ上のＲＲＣメッセージとして、または（たとえばＳＵＬへの切替えがＳＮに関連し得るときの）ＭＮへのＲＲＣメッセージとして、切替え表示メッセージを送信し得る。
【０１４６】
ＷＴＲＵは、（切替え表示中に含まれる）データおよび／またはシグナリングをＭＳＧ３中に含み得る。例では、ＷＴＲＵは、ＮＷによる確認の受信を待ってよく、ＷＴＲＵが（ＤＣＩまたはＲＲＣ構成によって）ＳＵＬに切り替えられると、（たとえば、ＳＵＬを介して切替え表示の送信をトリガしていることがある）データおよび／またはシグナリングを送信し得る。
【０１４７】
ＷＴＲＵは、切替え表示確認を受信し得る。たとえば、ＷＴＲＵは、（たとえば切替え表示メッセージの送信に続いて）ネットワークから切替え確認を受信し得る。切替え確認は、ＷＴＲＵによるＳＵＬの使用を確認するかまたは要求を拒否し得る。ＷＴＲＵは、（たとえば肯定的な確認を受信すると）（たとえばデータの送信のために）ＳＵＬの利用を開始し得る。ＷＴＲＵは、ＳＵＬ上で使用され得る構成（たとえばＬ１／Ｌ２）を（たとえば切替え表示確認メッセージ中で）（たとえばさらに）受信し得る。代替または追加として、ＷＴＲＵは、ＳＵＬ上で実施され得るＲＡＣＨ手順の切替え表示確認メッセージをＭＳＧ４中で受信し得る。
【０１４８】
ＵＬ変更／再構成は条件付きであり得る。（たとえばＲＵＬからＳＵＬへの）変更のためのＮＷベースの決定は、ＳＲＳ期間よりも速く起こるフェージング／ブロッキングをハンドリングしないことがあり、ＵＲＬＬＣデータがＵＬ中でどこに送られる必要があるかの成功した送信に影響を及ぼし得る、再構成のためのＳＲＳおよびＤＬシグナリング（たとえばＲＲＣ、ＭＡＣ／ＤＣＩ）のＷＴＲＵ送信に（たとえば主に）基づき得る。
【０１４９】
ＷＴＲＵは、たとえば、構成された条件に基づいて、ＵＬを変更し得る。たとえば、ＷＴＲＵは、ＳＵＬの構成を（たとえば専用ＲＲＣまたはシステム情報中で）提供されることがあり、たとえば、再構成または切替えメッセージの受信後のときに、ＲＲＣ＿ＣＯＮＮＥＣＴＥＤモードで動作しながら、ＲＵＬの使用からＳＵＬの使用への切替えを開始またはトリガし得る。切替えは、たとえば、１つまたは複数の条件がＷＴＲＵにおいて満足された結果として行われ得る。条件は、たとえば、ネットワークに切替えを要求するための条件と同じであり得る。ＷＴＲＵは、たとえば、切替えまたは再構成の受信に続く構成された時間期間内にそれが行われ得る（たとえば行われる）とき（たとえばそのときのみ）、切替えまたは再構成を適用し得る。ＷＴＲＵは、ＳＵＬの構成の一部として条件を（たとえばさらに）受信し得る。ＷＴＲＵは、切替えに関連する条件がその間は満足され得る時間期間の間、ＲＵＬを利用し得る。ＳＵＬからＲＵＬへの切替えは、たとえば、条件がもはや満足され得ないとき、開始され得る。ＷＴＲＵは、（たとえば追加または代替として）あらかじめ定義されたまたは構成された時間期間の間、ＳＵＬ上に構成されたままでいてよく、その後、ＷＲＴＵは、ＲＵＬの以前の構成を利用することに戻り得る。ＷＴＲＵは、（たとえば追加または代替として）たとえば、ＳＵＬの利用のための初期条件（たとえば高優先度パケットの成功した送信）に関係し得る異なる条件に基づいて、ＲＵＬを利用することに戻り得る。
【０１５０】
ＷＴＲＵは、ＳＵＬ／ＲＵＬにわたるアップリンク半永続的スケジューリングを用いて構成され得る。ＷＴＲＵは、ＲＵＬからＳＵＬへの、およびその逆のＵＬ  ＳＰＳの高速リロケーションを用いて構成され得る。ＷＴＲＵは、ＲＵＬおよびＳＵＬに適用可能な半永続的スケジュール構成を用いて構成され得る。例では、ＷＴＲＵは、ＲＵＬおよびＳＵＬに関連し得る（たとえば単一の）ＳＰＳ構成を用いて構成され得る。（たとえば追加または代替の）例では、ＷＴＲＵは、複数（たとえば２つ）の別個のＳＰＳ構成を用いて構成され得る（たとえば第１のＳＰＳ構成はＲＵＬに関連してよく、第２のＳＰＳ構成はＳＵＬに関連してよい）。
【０１５１】
ＷＴＲＵは、ＳＰＳ構成に関連するＵＬ許可がＲＵＬおよび／またはＳＵＬに適用可能であるかどうかを判定するように（たとえばさらに）構成され得る。例では、ＷＴＲＵは、１つまたは複数の構成されたＳＰＳ許可が（たとえば特定の）ＵＬキャリア（たとえばＲＵＬまたはＳＵＬ）に適用可能であると（たとえば明示的に）シグナリングされ得る。
【０１５２】
ＷＴＲＵは、たとえば、暗黙的ルールまたは明示的コマンドに基づいて、ＲＵＬからＳＵＬへのおよびその逆のＵＬ  ＳＰＳの（たとえば高速）リロケーションを実施するように構成され得る。リロケーションは、第１のＵＬキャリアのために適用可能であるＳＰＳ構成を中断し、第２のＵＬキャリアのために適用可能であるＳＰＳ構成を適用することを指し得る。
【０１５３】
例では、ＷＴＲＵは、たとえば、ＭＡＣ  ＣＥ、ＲＲＣシグナリングまたはＬ１シグナリング中で、たとえば、再構成コマンドを受信すると、ＲＵＬのために適用可能であるＳＰＳ構成を中断し、ＳＵＬのために適用可能であるＳＰＳ構成を適用するように構成され得る。
【０１５４】
（たとえば追加または代替の）例では、ＷＴＲＵは、たとえば、ＵＬ  ＳＰＳがＳＵＬのために構成されたとき、および／または１つもしくは複数の事前構成された条件が満足されたとき、リロケーションを自律的に実施し得る。条件は、たとえば、しきい値を下回るＤＬの品質、しきい値を下回るＤＬ経路損失、いつＵＬ  ＳＰＳ再送信が所定のしきい値を超えるかなどを判定することを含み得る。事前構成され得る条件は、ＳＵＬ切替えのために適用可能であり得る他のトリガ条件を含み得る。
【０１５５】
ＷＴＲＵは、たとえば、増加した信頼性／ダイバーシティのために、たとえば、ＲＵＬおよびＳＵＬ上でＳＰＳ  ＵＬ許可を使用するように構成され得る。ＷＴＲＵは、たとえば、ＳＵＬおよびＲＵＬにわたってあらかじめ定義されたホッピングパターンを使用して、重複または交互送信を適用し得る。
【０１５６】
ＷＴＲＵはＳＰＳリロケーションを確認し得る。ＷＴＲＵは、たとえば、リロケートされたＵＬキャリア上のＭＡＣ  ＣＥ、ＲＲＣシグナリングまたはＬ１シグナリング（たとえばＳＲＳ送信）の送信によって、ＳＰＳリロケーションを肯定応答する（たとえば明示的な場合）かまたは示す（たとえば暗黙的な場合）ように構成され得る。ＷＴＲＵは、たとえば、ＲＵＬからＳＵＬへのＳＰＳリロケーションコマンドを受信すると、ＳＵＬキャリア上で肯定応答を送信し得る。
【０１５７】
ＷＴＲＵは、ＳＰＳリソースのためにおよび／または動的許可を受信するように構成され得る。ＷＴＲＵは、一方または両方のＵＬ上のＳＰＳリソース（タイプ１リソースまたはタイプ２リソース）を用いて構成され得る。ＷＴＲＵは、ＷＴＲＵにおいて構成された２つのアップリンクのうちの１つについて同じ送信間隔上に動的許可を受信（たとえば、さらに受信）し得る。
【０１５８】
動的許可は送信冗長性を可能にし得る。例では、非ＳＰＳキャリア上でＵＬ許可を（たとえば、ＳＰＳがＲＵＬ上に構成されたとき、ＳＵＬ上で動的ＵＬ許可を、またはその逆を）受信するＷＴＲＵは、ＳＵＬとＲＵＬの両方の上でデータ（たとえば、トランスポートブロック）の重複送信を実施し得る。ＷＴＲＵは、そのような重複挙動が適用されるべきである論理チャネルの１つまたはセットを用いて構成され得る。ＷＴＲＵは、たとえば、そのような動的許可の受信の時間においてそのような論理チャネルについてデータ保留がある場合、そのような重複挙動を実施してよく、そうでない場合、ＳＰＳ許可を場合によっては取り消し得る。
【０１５９】
動的許可は、許可のセットの取消しを可能にし得る。例では、非ＳＰＳキャリア上でＵＬ許可を受信するＷＴＲＵは、現在の許可ならびにいくつかの次のＳＰＳ許可を取り消し得る。（ＳＰＳ許可の取消しを生じる）ＷＴＲＵによって受信された動的許可は、ＳＰＳ許可のうちの１つと同じ送信間隔について送られる必要があり得る。取り消されるべきＳＰＳ許可の数は、以下のうちの１つまたは複数で判定され得る。（ｉ）ＷＴＲＵは、動的許可自体において（何らかの値によって）示される数（たとえばＤＣＩメッセージ中の値）のＳＰＳ許可を取り消し得る。ＳＰＳを用いて構成されたＵＬキャリア上のシグナリングされた数の許可をスキップするかまたは取り消した後に、ＷＴＲＵは、同じ構成に基づいて許可を使用し始め得る。）（ｉｉ）ＷＴＲＵは、ＳＰＳ許可を再使用可能にするＮＷからのＮＷシグナリングの受信まで、すべてのＳＰＳ許可を取り消し得る。
【０１６０】
例では、ＳＰＳ許可を再使用可能にするＮＷシグナリングは、構成されたＳＰＳリソースをもつＵＬ上の動的許可の形態であり得る。たとえば、ＲＵＬ上に構成されたＳＰＳをもつＷＴＲＵは、ＳＰＳ許可のうちの１つと同じ送信間隔上のＳＵＬについての動的許可を受信し得る。ＷＴＲＵは、それが再びＲＵＬ上のＵＬリソースについての別の動的許可を受信するまで、そのＳＰＳ許可、ならびにＲＵＬ上のすべてのさらなるＳＰＳ許可を取り消し得る。
【０１６１】
例では、ＳＰＳ許可を再使用可能にするＮＷシグナリングは、特にＳＰＳリソースを再アクティブ化するために使用されるＤＣＩメッセージの形態であり得る。これは、ＳＰＳアクティブ化のために使用されるＤＣＩ（たとえば、ＣＳ−ＲＮＴＩを対象とするＤＣＩ）であり得るか、または何らかの他の専用ＮＷシグナリングであり得る。たとえば、ＲＵＬ上に構成されたＳＰＳをもつＷＴＲＵは、ＳＰＳ許可のうちの１つと同じ送信間隔上のＳＵＬについての動的許可を受信し得る。ＷＴＲＵは、それが、以前に構成されたＳＰＳ許可を再アクティブ化するためのＳＰＳアクティブ化メッセージ（たとえば、ＣＳ−ＲＮＴＩを対象とするＤＣＩメッセージ）を受信するまで、そのＳＰＳ許可、ならびにＲＵＬ上のすべてのさらなるＳＰＳ許可を取り消し得る。
【０１６２】
ＷＴＲＵは、ＷＴＲＵの測定されたＤＬ  ＲＳＲＰがしきい値を下回る限り、すべてのＳＰＳ許可を取り消し得る。ＷＴＲＵは、いつＤＬ  ＲＳＲＰがしきい値を上回って動くことがあり、ＷＴＲＵがＳＰＳ許可を使用してレジュームするかを、（たとえば、ＲＡＣＨまたはＳＲＳ様の）何らかのＵＬ送信を通してＮＷに示し得る。
【０１６３】
ＷＴＲＵの説明される挙動は、ＳＰＳリソースがどのＵＬ（ＳＵＬまたはＲＵＬ）のために構成されるかに依存し得る。ＷＴＲＵの説明される挙動は、ＳＰＳリソースのタイプ（たとえば、タイプ１ＣＳまたはタイプ２ＣＳ）に依存し得る（たとえば、それにも依存し得る）。
【０１６４】
動的許可が許可のセットを取り消す例では、ＳＰＳリソースがＲＵＬ上に構成され、動的許可がＲＵＬについてである場合、ＷＴＲＵは、説明されるようにＳＰＳ許可の取消しを実施し得る。ＳＰＳリソースがＳＵＬ上に構成され、動的許可がＲＵＬについて提供される場合、ＷＴＲＵは、（ＬＴＥにおけるように）単一の許可（たとえば、それのみ）を取り消し得る。
【０１６５】
動的許可が許可のセットを取り消す例では、ＳＰＳ許可を再使用可能または再開するためのトリガは、ＳＰＳ許可がタイプ１ＣＳに関連する（たとえば、ＲＲＣが許可を定義し、ＰＤＣＣＨは不要である）か、タイプ２ＣＳに関連する（たとえば、ＲＲＣがＣＳ許可の周期性を定義し、ＣＳ／ＳＰＳ−ＲＮＴＩを対象とするＰＤＣＣＨがＣＳ許可をアクティブにする）かに依存し得る。タイプ１では、ＷＴＲＵは、（たとえば、それがＲＵＬ上のＵＬについての動的許可を受信したとき）取消しに続いてＳＰＳ許可を再使用可能にし得る。タイプ２では、ＷＴＲＵは、（たとえば、それが、ＳＰＳをアクティブにするＣＳ／ＳＰＳ−ＲＮＴＩを対象とするＤＣＩを受信したとき）取消しに続いてＳＰＳ許可を再使用可能にし得る。
【０１６６】
制御シグナリング（たとえばＲＲＣシグナリング）のルーティングおよび信頼性を支援するための様々な機構が使用され得る。
【０１６７】
ＷＴＲＵは、ＲＵＬおよびＳＵＬ上でＲＲＣメッセージの重複を実施するように構成され得る。ＷＴＲＵ  ＲＲＣレイヤは、下位レイヤに受け渡される（たとえば特定の）ＲＲＣメッセージがＲＵＬおよびＳＵＬ上で重複されてよい（たとえば重複されるべきである）ことを下位レイヤに通知し得る。ＷＴＲＵは、（ｉ）ＷＴＲＵがＲＵＬおよびＳＵＬを用いて構成される、（ｉｉ）ＷＴＲＵがＲＵＬおよびＳＵＬを用いて構成され、両方がアクティブである（たとえばいずれのＵＬ上のＰＵＳＣＨスケジューリングも可能である）、（ｉｉｉ）ＲＵＬおよびＳＵＬがその中で構成されたセルのＤＬセル品質がしきい値を下回るかもしくは上回る、（ｉｖ）ＲＲＣメッセージが特定のタイプ（たとえば測定報告）である、ならびに／または（ｖ）測定報告に関連する測定がメッセージの重複のための条件に従う、のうちの１つまたは複数に基づいて、ＲＵＬおよびＳＵＬ上でＲＲＣメッセージの重複を実施することを判定し得る。
【０１６８】
ＷＴＲＵ（たとえば、ＲＲＣレイヤ）は、重複のための条件がもはや有効でなくなるときを示し得る。ＷＴＲＵの下位レイヤは、重複が有効である時間中に（たとえばすべての）ＲＲＣメッセージの重複を実施し得る。たとえば、下位レイヤは、たとえば、いずれかのキャリア上でスケジュールされたとき、ＲＵＬおよびＳＵＬ中で送信することによって重複を実施し得る。下位レイヤは（たとえば追加または代替として）、ＲＵＬとＳＵＬの両方におけるリソースの必要性をネットワークに通知するための手順（たとえばＲＡＣＨ手順、ＳＲ手順など）を、たとえば、ＷＴＲＵが両方の上で構成されたがただ１つの上でアクティブであるとき、またはＷＴＲＵがＲＵＬもしくはＳＵＬのうちの１つの上で構成されたとき、実施し得る。
【０１６９】
ＷＴＲＵおよび／またはネットワークは、ＲＲＣシグナリングのためのＵＬ経路を切り替え得る。ＷＴＲＵは、ＲＲＣシグナリングの送信に関連するＵＬ経路を（ＲＵＬからＳＵＬに、またはその逆に）切り替えるように構成され得る。たとえば、ＷＴＲＵは、所与の時間において２つのＵＬのうちの１つの上でＲＲＣシグナリングを送信するように構成されてよく、あるイベントに基づいてそのようなメッセージのためのＵＬを変更するように構成され得る。ＵＬの変更は、ＲＲＣシグナリングに（たとえば、それのみに）適用可能であり得る。ＵＬの変更は、たとえば、測定報告、あるタイプイベントによってトリガされた測定報告、および／または測定品質、トリガリング時間などに関するいくつかの条件を満足する測定報告、のうちの１つまたは複数など、特定のタイプのＲＲＣメッセージに（たとえば、それのみに）適用可能であり得る。
【０１７０】
例では、ＷＴＲＵは、ＳＵＬ上にスケジュールされたとき（たとえば、そのときのみ）、またはＮＷがＷＴＲＵをＳＵＬに切り替えたとき、ＲＲＣメッセージを送信することによって、ＲＲＣメッセージの送信のためのＵＬを変更し得る。ＷＴＲＵは、他のＵＬ上でＲＲＣメッセージを送信するために他のＵＬへのＵＬ切替えをプロアクティブに要求し得る。ＷＴＲＵは、ＲＲＣシグナリングのためのＵＬの変更を必要とするとき、切替え表示（たとえば、ＳＵＬ上のＲＡＣＨ）を送信し得る。ＷＴＲＵは、そのような切替えがＲＲＣシグナリングに（たとえば、それのみに）適用されることを示し得る（たとえば、さらに示し得る）。
【０１７１】
ＷＴＲＵは、（ｉ）セルの測定されたＤＬ品質がしきい値を下回る（たとえば、もしくは上回る）、（ｉｉ）ＷＴＲＵスピードがしきい値を下回る（たとえば、もしくは上回る）、（ｉｉｉ）最大ＵＬ送信電力がしきい値を下回る（たとえば、もしくは上回る）、（ｉｖ）ＷＴＲＵバッテリー電力がしきい値を下回る（たとえば、もしくは上回る）、（ｖ）ＲＲＣメッセージがＳＲＢ１／ＳＲＢ２上で送信される、および／または（ｖｉ）ＲＲＣメッセージが、（たとえば特定の測定イベントに関連する）特定の基準をもつ特定のタイプ（たとえば、測定報告）である、の条件のうちの１つまたは複数に基づいて、ＲＲＣメッセージが、異なるＵＬ（たとえば、ＲＵＬからＳＵＬへの切替え）上で送信されるべきであると判定し得る。
【０１７２】
ＵＬ経路が、デュアル接続性（ＤＣ）におけるＲＲＣシグナリングのために選択され得る。ＷＴＲＵは、どんな形態のＤＣ（たとえばＮＲ−ＮＲ  ＤＣ、ＥＮ−ＤＣなど）を用いても構成され得る。ＷＴＲＵは、たとえば、ＳＮ上のＰＳＣｅｌｌまたはＳＣｅｌｌのＤＬ品質に基づいて、ＲＲＣメッセージのためのＵＬ経路を決定し得る。ＷＴＲＵは、（たとえばＳＮ上のＤＬ品質が許容可能であり得るとき）ＳＮにＲＲＣメッセージを送信し得る。ＷＴＲＵは、たとえば、ＳＮ上のＤＬ品質が許容不可能であり得るとき、ＭＮにＲＲＣメッセージを（たとえば場合によっては）送信し得る。
【０１７３】
ＷＴＲＵは、ＳＲＢ３を用いて構成されてよく、（たとえばＭＮにおいてアンカリングされた）ＳＲＢ１／２をスプリットし得る。ＷＴＲＵは、たとえば、ＳＮ  ＰＳＣｅｌｌの測定されたＤＬ品質が（たとえば構成された）しきい値を上回り得るとき、ＳＲＢ３上でＲＲＣメッセージを送信し得る。ＷＴＲＵは、たとえば、ＳＮ  ＰＳＣｅｌｌの測定されたＤＬ品質がしきい値を下回り得るとき、ＳＲＢ１／２上でＲＲＣメッセージを送信し得る。ＷＴＲＵは、たとえば、ＷＴＲＵがＥＮ−ＤＣを用いて構成されたとき、（たとえばＳＲＢ１／２上でＲＲＣメッセージを送信するときに）ＬＴＥ  ＲＲＣメッセージ中にＮＲ  ＲＲＣメッセージをカプセル化し得る。ＷＴＲＵは、ＳＲＢ３上で（たとえば通常に）送信され得るＲＲＣメッセージ（たとえばＮＲ  ＳＮによって構成された測定構成に関係する測定報告）についての（たとえばそれのみについての）判定を（たとえばさらに）適用し得る。
【０１７４】
（たとえば追加または代替の）例では、（たとえばＳＲＢ３およびスプリットされたＳＲＢ１／２を用いて構成された）ＷＴＲＵは、たとえば、ＷＴＲＵが、ＳＮにおけるＲＵＬを用いて構成されたかまたはＳＮにおいてアクティブにされたＲＵＬを有し（たとえばそれのみを有し）、ＳＮ（たとえばＰＳＣｅｌｌ）のＤＬ品質が、ＲＵＬ使用のために構成されたしきい値（たとえば、初期アクセスのためにＲＵＬが使用され得るかＳＵＬが使用され得るかを判定するためのしきい値、またはＲＵＬが選定され得るかＳＵＬが選定され得るかを判定するための別のしきい値）を下回るとき、（たとえば透明コンテナを介してＭＮに）ＳＲＢ１上で（たとえばＳＮに宛てられた）ＲＲＣメッセージを送信し得る。
【０１７５】
ＷＴＲＵおよび／またはネットワークは、ＳＵＬのための無線リンク障害（ＲＬＦ）および関連するエラー手順を有してよい。ＷＴＲＵは、たとえば１つまたは複数のアップリンクおよび／またはダウンリンクビームとの問題を検出すると、ビーム回復要求を送るように構成され得る。たとえば、ビーム障害は、ＷＴＲＵにおいて（たとえば、下位レイヤによって）検出され得る。ＷＴＲＵは、ビーム障害回復（ＢＦＲ）のためのランダムアクセス（ＲＡ）手順を開始し得る。正規周波数キャリアにおけるＵＬ送信は、ＷＴＲＵが、正常にｇＮＢに、選択された基準信号に関連するプリアンブルを送信することを可能しないことがある。
【０１７６】
ＷＴＲＵは（たとえば、ＢＦＲのためのランダムアクセスを実施するとき）、最初にＲＵＬ中で、次いでＳＵＬ中でＢＦＲを実施すること、（たとえば、ＳＵＬが構成された場合、ビーム障害が宣言された直後に）ＳＵＬ中でＢＦＲを実施すること、いずれかのアップリンクにおける専用ＲＡＣＨリソースの構成に基づいてＵＬを選択すること（たとえば、ＷＴＲＵがそれにおいて有効な専用ＲＡＣＨ構成を有するＵＬを利用すること）、および／またはＲＵＬ中でプリアンブルを送信し、両方のＵＬについての許可を受信すること、の手順のうちの１つまたは複数を適用し得る。
【０１７７】
ＷＴＲＵは、最初にＲＵＬ中で、次いでＳＵＬ中でＢＦＲを実施し得る。そのような例では、ＳＵＬ中でＢＦＲを実施することは、ある条件にＲＵＬ上で達した後のフォールバック手順として使用され得る。たとえば、ＳＵＬ中でＢＦＲを実施するようにＷＴＲＵをトリガし得る、ＲＵＬ中でＢＦＲを実施するとき、特定のタイマーが満了し得る、一定数の試行に達し得る、および／またはある送信電力に達し得る、のうちの１つまたは複数が起こり得る。
【０１７８】
ＷＴＲＵがいずれかのアップリンクにおける専用ＲＡＣＨリソースの構成に基づいてＵＬを選択する例では、ＷＴＲＵがＵＬ（たとえば、ＲＵＬまたはＳＵＬ）中で競合なしＲＡ（ＣＦＲＡ）を最初に実施し得、ここで、専用ＲＡＣＨリソースが構成される／利用可能であること、（たとえば、不成功の場合）ＷＴＲＵがＲＵＬ中で競合ベースのＲＡ（ＣＢＲＡ）を実施し得ること、のうちの１つまたは複数が起こり得る。ＣＦＲＡリソースが両方のアップリンクにおいて構成された場合、優先度が与えられてよく、ＷＴＲＵは優先度順にＣＦＲＡを実施し得る。
【０１７９】
ビーム障害回復要求手順の目的は、新しいＳＳＢまたはＣＳＩ−ＲＳのサービングｇＮＢに、サービングＳＳＢ／ＣＳＩ−ＲＳ上でビーム障害が検出されたときを示すことであり得る。構成されたＳＵＬ中での送信は、プリアンブルが送信される最も強いビームをｇＮＢが識別することを可能にしないことがある。ＮＷへの表示は、ＤＬ送信においてＤＬ中のどのＳＳＢまたはＣＳＩ−ＲＳが使用され得る（たとえば、使用されるべきである）かを判定するために必要であることがある。
【０１８０】
ＮＷ（たとえば、ｇＮＢ）への表示は、ＳＵＬ中の構成されたプリアンブルが、同じセルのＳＳＢもしくはＣＳＩ−ＲＳにマッピングされ得ること、ＷＴＲが、（たとえば、ｍｓｇ３中で最も強いＳＳＢもしくはＣＳＩ−ＲＳに関連するビームＩＤを送信することによって）どのＤＬビームが最も強いかをＮＷに示し得ること、および／またはＷＴＲＵが、最も強いＤＬビームを示すかもしくは関連する測定結果を含んでいるＲＲＣメッセージをＳＵＬ上でｇＮＢに送り得ること、のうちの１つまたは複数によってハンドリングされ得る。
【０１８１】
ＷＴＲＵは、セル中のＳＳＢおよび／またはＣＳＩ−ＲＳリソースにマッピングされた専用ＲＡＣＨリソースを用いて構成され得る。ＷＴＲＵは、それがＲＡＲおよびｍｓｇ４を受信し得る特定のＳＳＢまたは／ＣＳＩ−ＲＳビームに関連し得るＳＵＬ中のプリアンブルを選択し得る。
【０１８２】
ＷＴＲＵは、正規周波数キャリア中のビーム中でプリアンブルを送信してよく、ＳＵＬとＲＵＬの両方についての許可を（たとえば、ｍｓｇ２中で）受信し得る。専用ＲＡＣＨリソースが、ただ１つのアップリンク中で構成された場合、ＷＴＲＵは、専用リソースが構成されたキャリア中でプリアンブルを送信し得る。専用ＲＡＣＨリソースが、両方のアップリンク中で構成された場合、ＷＴＲＵは、（利用可能な場合）ＲＵＬ中の専用ＲＡＣＨリソースに関連する好適なビーム上でＣＦＲＡを試み、（たとえば、定義された条件のうちの１つが満たされた場合のみ）ＳＵＬにフォールバックし得る。専用ＲＡＣＨリソースが、両方のアップリンク中で構成された場合、ＷＴＲＵは、ＲＵＬ中のＣＢＲＡへのフォールバックの前に、（たとえば、ＲＵＬ中の専用ＲＡＣＨリソースに関連する好適なビームが利用可能でない場合）ＳＵＬ上で試み得る。
【０１８３】
ＷＴＲＵは、ＣＳＩ−ＲＳまたはＳＳＢに関連するビームの適合性基準のしきい値を用いて構成され得る。何らかのビームに関連するＲＳＲＰがしきい値を上回る場合、ＷＴＲＵはＣＢＲＡを実施し得る（たとえば、および不成功の場合、ＲＬＦを宣言する）。例では、ＷＴＲＵは、（たとえば、ＷＴＲＵがＲＵＬ中でＣＢＲＡを実施する前にビーム障害回復要求のためのＳＵＬキャリアを選択することを可能にする）ビーム適合性しきい値よりも高い第２のしきい値を用いて構成され得る。
【０１８４】
ＷＴＲＵは、セル中のＳＳＢおよびＣＳＩ−ＲＳに関連するビームの品質を監視し得る。１つまたは複数のビームのＲＳＲＰが適合性しきい値を上回る（が、第２のしきい値（たとえば、ＳＵＬ）を上回らない）場合、これは、ダウンリンク送信の品質が、ＷＴＲＵに対して構成された現在の帯域幅パートおよび周波数におけるＤＬ受信のためには十分良好であるが、ＲＵＬにおけるプリアンブル送信のためには不十分であることをｇＮＢに示し得る。ＷＴＲＵは、ＲＡ手順のためにＳＵＬを結果的に使用し得る。
【０１８５】
無線リンク障害はマスタセルグループ（ＭＣＧ）上で起こり得る。ＷＴＲＵは、ＭＣＧ上のＵＬ／ＲＵＬを用いて構成され得る。ＲＬＦをトリガするための条件は、ＲＵＬ／ＳＵＬの構成および／またはアクティブ化状態に依存し得る。（たとえばＬＴＥにおいて）ＭＣＧ上でＲＬＦをトリガするＷＴＲＵは、再確立手順を開始し得る。ＲＬＦは、たとえば、（ｉ）ＭＣＧ  ＤＲＢについて達した最大数のＲＬＣ再試行、（ｉｉ）ＭＣＧ  ＭＡＣによって示され得るランダムアクセス問題、および／または（ｉｉｉ）たとえば、Ｌ１において検出され得る同期問題の検出の後にくる、Ｔ３１０満了、のうちの１つまたは複数によってトリガされ得る。
【０１８６】
ＷＴＲＵは、たとえば、ＲＵＬ／ＳＵＬの構成に基づいて、１つまたは複数のＲＬＦ関係のトリガリング条件に応答して異なる挙動を有し得る。ＷＴＲＵ挙動は、たとえば、ＲＵＬ／ＳＵＬの構成および／またはアクティブ化（たとえば、ＲＵＬおよびＳＵＬがＷＴＲＵにおいて完全に構成されるか、もしくはただ１つがＲＲＣによって構成されるか、および／またはＷＴＲＵが単一のＵＬのみを使用するように現在示され得るかどうか）に依存し得る。ＷＴＲＵは、（たとえばＲＬＦに対応し得る関連する条件に応答して）ＲＬＦをトリガし、再確立を開始するか、または１つもしくは複数（たとえば組合せ）の代替または追加の行為を実施し得る。代替／追加の行為は、たとえば、以下のうちの１つまたは複数を含み得る。（ｉ）（たとえばＨＯ手順に関して論じられた１つまたは複数の例に基づいて）ＳＵＬを使用するための切替えもしくは要求を開始するか、またはそのような手順を開始するように下位レイヤに示すこと、（ｉｉ）タイマーを開始し、別のＵＬ（たとえばＳＵＬ）に切り替わるためのＮＷコマンドを待ち、たとえば、ＮＷからのコマンドの受信なしのタイマーの満了に続いて、ＲＬＦをトリガし、それに続いて再確立すること、（ｉｉｉ）（たとえば、ＷＴＲＵが、構成されたＳＣＧ  ＳＲＢを有するとき）ＳＣＧ  ＳＲＢ上でＲＲＣメッセージの送信を開始すること、（ｉｖ）別のＵＬ（たとえばＳＵＬ）上でトリガリング条件を生成した行為を開始する（たとえばランダムアクセスを実施するか、またはＲＬＣにおける送信を再試行する）こと、および場合によっては別のＵＬが現在構成され得るとき、（ｉｖ）タイマーを開始することであって、その間に、ＷＴＲＵは、それがＵＬを異なるキャリアに切り替えるためのＮＷコマンド（たとえばＲＲＣ、ＭＡＣ  ＣＥ、またはＬ１）を受信し得るまで、ＰＣｅｌｌ上でＤＬ受信を続け得るが、ＰＣｅｌｌ上でＵＬ送信を遅延させ得る、タイマーを開始すること。ＷＴＲＵは、たとえば、ＮＷからのコマンドの受信なしのタイマーの満了に続いて、ＲＬＦを宣言し、再確立を開始し得る。ならびに／または（ｖ）ＲＬＦに関連するカウンタ（たとえばＲＬＣ再試行の数、ＰＲＡＣＨ送信試行の数）をリセットするように（たとえば下位レイヤに）示すこと。
【０１８７】
ＷＴＲＵは、たとえば、ＷＴＲＵがＲＵＬおよびＳＵＬを用いて構成され得、両方がアクティブにされたとき（たとえばそのときのみ）、１つまたは複数のＲＬＦトリガリング条件の下でＲＬＦをトリガし、再確立手順を開始し得る。ＷＴＲＵは、たとえば、ＷＴＲＵがＲＵＬ（たとえばそれのみ）を用いて構成され得るか、またはＲＵＬとＳＵＬの両方を用いて構成されるがＲＵＬ（たとえばそれのみ）を使用するように示され得るとき、ＳＵＬ上でＲＡＣＨ手順またはＲＡＣＨ様の手順を開始し得る。ＷＴＲＵは、ＳＵＬ上でＲＡＣＨ手順を開始するために専用またはブロードキャストシグナリングにおいて構成されたＳＵＬに関連するＲＡＣＨリソースを使用し得る。
【０１８８】
ＷＴＲＵは、たとえば、ＷＴＲＵがＲＵＬのみを用いて構成されたか、またはＲＵＬおよびＳＵＬを用いて構成されたがＲＵＬ（たとえばそれのみ）を使用するように示されたとき、ＲＬＦをトリガし、再確立を開始し得る。ＷＴＲＵは、たとえば、ＲＬＦを満たす条件がＤＬ問題（たとえばＩＳ／ＯＯＳ）に関連するとき（たとえばそのときのみ）、ＲＬＦをトリガし、再確立を開始し得る。ＷＴＲＵは、たとえば、ＲＬＦトリガリング条件が、最大数のＲＬＣ再送信に達することに関連するか、またはＭＡＣエンティティによって示されるＲＡＣＨ問題に関連するとき、１つまたは複数の（たとえば上記の）行為を実施し得る。
【０１８９】
ＷＴＲＵは、たとえば、ＲＵＬ／ＳＵＬの構成および／またはアクティブ化状態、結果、ならびに行為に応じてＲＬＦのトリガリング条件に関して、様々な異なる組合せを実装し得る。
【０１９０】
ＷＴＲＵは、しきい値と比較されたＤＬセル品質に基づいてＲＬＦをトリガし得る。たとえば（１つまたは複数の他の例と組み合わせて使用され得る）（追加または代替の）例では、ＷＴＲＵは、たとえば、ＲＬＦトリガリング条件の時間におけるまたはそれよりも前のセル品質に基づいて、１つまたは複数のＲＬＦトリガリング条件に応答して異なる挙動を有し得る。ＷＴＲＵにおける決定は、たとえば、時間期間中のセル品質が、構成されたしきい値を上回り得るか下回り得るかに基づき得る。ＷＴＲＵは、たとえば、サービングセルＤＬの測定された品質が、ＲＬＦトリガリング条件が満たされ得る時間におけるまたはそれよりも前のしきい値を上回り得るとき、ＲＬＦをトリガし、再確立を開始し得る。ＷＴＲＵは、たとえば、セル品質が、ＲＬＦトリガリング条件の時間におけるおよび／またはＲＬＦトリガリング条件よりも前の任意の時間（たとえば時刻もしくは時間期間全体）におけるしきい値を下回り得るとき、１つまたは複数の（たとえば上記の）行為を実施し得る。
【０１９１】
時間期間はネットワークによって構成され得る。ＷＴＲＵ決定において考慮される時間期間は、ＲＬＦトリガリング条件のタイプに固有であり得る。ＷＴＲＵは、たとえば、ＤＬセルのセル品質の（たとえば連続的）測度を維持し得る。ＷＴＲＵは、たとえば、特定のトリガに基づいて（たとえば時間１は最大ＲＬＣ再送信に関連することがあり、時間２はＲＡＣＨ問題に関連することがあるなど）、（たとえばＲＬＦをトリガし、再確立を実施すべきかどうか、または１つもしくは複数の行為を実施すべきかどうかを決定するのに使用するための）時間期間を判定し得る。（たとえば１つまたは複数の条件に基づいて）ＲＬＦをトリガする例は、様々な異なる組合せでＷＴＲＵおよび／またはＮＷによって実装され得る。
【０１９２】
ＷＴＲＵは、（たとえばＵＬの切替えにおいて）ＲＬＦ関係のカウンタ／タイマーをリセットし得る。たとえば、ＷＴＲＵは、たとえば、ＵＬを切り替えるための表示中に、ＲＬＦ判定に関連し得るカウンタおよび／またはタイマーをリセットし得る。ＷＴＲＵは、第１のＵＬタイプから第２のＵＬタイプへの（たとえばＲＵＬからＳＵＬへの）切替え中に（たとえばその最中にのみ）カウンタをリセットし得る。ＷＴＲＵは、反対方向の（たとえばＳＵＬからＲＵＬへの）切替え中にカウンタをリセットしないことがある。
【０１９３】
ＷＴＲＵは、ＲＵＬからＳＵＬに切り替わるためのコマンドを（たとえばネットワークから）受信し得る。コマンドは、たとえば、ＲＲＣメッセージ、ＭＡＣ  ＣＥまたはＬ１におけるＤＣＩコマンドによって、受信され得る。ＷＴＲＵは、ＲＬＦ判定のために使用されるＲＬＣ再送信カウンタの現在値を（たとえばコマンドに応答して）リセットし得る。たとえば、ＷＴＲＵは、ＲＡＣＨ問題などに関連するカウンタ（たとえばＲＡＣＨプリアンブル送信カウンタ）をリセットし得る。ＷＴＲＵのＲＲＣレイヤは、たとえば、メッセージの受信時に、カウンタをリセットするための表示を（たとえばＭＡＣレイヤに）提供し得る。
【０１９４】
ＷＴＲＵは、ＤＬセル品質に基づいてＲＬＦ関係のカウンタ／タイマーを一時停止し得る。ＷＴＲＵは、たとえば、ＷＴＲＵが、ＤＬのセル品質がしきい値を下回ると判定したとき、（たとえばＲＬＦ判定に関連する）１つまたは複数のタイマー／カウンタを増分するのを回避し得る。ＷＴＲＵは、たとえば、ＲＵＬ（たとえばそれのみ）の上で実施されるＵＬ動作のための、カウンタ／タイマーの増加を回避し得る。しきい値は、たとえば、初期アクセスのＳＵＬアクティブ化のために構成されたのと同じしきい値であり得る。
【０１９５】
ＷＴＲＵは、たとえば、ＷＴＲＵがＲＵＬ（たとえばそれのみ）を使用するように構成されながらＲＬＣ再送信が実施されたとき、および／または測定されたＤＬセル品質がしきい値を下回っていた時間期間中に再送信が行われたとき、ＲＬＣ再試行カウンタを増分しなくてよい。
【０１９６】
ＷＴＲＵのＲＲＣレイヤは、どんな時間にＲＬＦ関係のカウンタまたはタイマーが下位レイヤによって一時停止され得るか、およびいつカウンタ／タイマー増加が有効にされ得るかを下位レイヤ（たとえばＲＬＣ、ＭＡＣ、またはＰＨＹ）に示し得る。ＲＲＣレイヤは、たとえば、サービングセルのＤＬセル品質の測定に基づいて、判定を行い得る。
【０１９７】
ＷＴＲＵは、ＳＵＬを用いて構成された（たとえばまたはそれを用いて構成可能である）とき、ＳＣＧ上でＲＬＦをハンドリングするための１つまたは複数の手順を実装し得る。ＷＴＲＵは、ＭＣＧ上のＳＵＬ／ＲＵＬを用いて構成され得る。ＳＣＧに関して説明されたが、説明された例は、ＭＣＧ上のＲＬＦに（たとえばそれにも）適用可能であり得る。
【０１９８】
ＷＴＲＵは、ＳＣＧ障害情報メッセージ中で報告し得る。たとえば、ＷＴＲＵは、たとえば、ＳＣＧ障害がＲＵＬに関するＲＬＦトリガリング条件により起こったのかＳＵＬに関するＲＬＦトリガリング条件により起こったのかをＭＮに通知するために、ＭＮに送られ得るＳＣＧ障害情報メッセージ中で情報を提供し得る。ＭＮは、たとえば、ＷＴＲＵのためにＰＳＣｅｌｌのＵＬを構成するかまたはＳＵＬに切り替える必要性をＳＮに通知し得る。ＳＣＧ障害情報メッセージ中で報告される情報は、たとえば、（ｉ）ＲＬＦトリガリング条件（たとえばＲＵＬ上にある間の最大ＲＬＣ再試行に起因するＲＬＦ）が発生したＵＬキャリア（たとえばＲＵＬもしくはＳＵＬ、もしくはＡＲＦＣＮ）、（ｉｉ）ＲＬＦの時間におけるもしくはそれよりも前のＲＵＬ／ＳＵＬの構成情報（たとえばＷＴＲＵは、単一のＵＬ上に構成されること、両方のＵＬ上に構成されるがただ１つを使用するように示されること、もしくは両方のＵＬ上に構成され、スケジューリングに基づいて両方を使用することを可能にされることなど、ＲＵＬ／ＳＵＬの構成条件を示し得る）、および／または（ｉｉｉ）ＲＬＦトリガリング条件の時間における、もしくはＲＬＦトリガリング条件よりも前の（たとえば構成可能な）時間期間中の、ＰＳＣｅｌｌのＤＬ品質の１つもしくは複数（たとえばセット）の測定値、のうちの１つまたは複数を含み得る。
【０１９９】
時間期間はネットワークによって構成され得る。時間期間は、異なるＲＬＦトリガリング条件では異なり得る。時間期間は、ＲＬＦトリガリング条件自体の性質によって判定され得る。（たとえばＳＣＧベアラ上の最大数のＲＬＣ再試行の）例では、時間期間は、最初のＲＬＣ再送信において開始してよく、ＲＬＣ再送信の最大数に達し得るときに終了し得る。ＷＴＲＵは、たとえば、（たとえば全）時間期間中のあらかじめ定義された間隔で複数の測定を行い得る。
【０２００】
ＳＣＧの部分的障害が、ＲＵＬ／ＳＵＬの構成に基づいて起こり得る。ＷＴＲＵは（たとえば１つまたは複数の場合には）、たとえば、ＳＮ上のＲＵＬ／ＳＵＬ構成に応じて、およびＳＣＧ障害をトリガし得る１つまたは複数の条件時に、ＳＣＧ送信を中断し得る。ＷＴＲＵは（たとえば他の場合には）、たとえば、（ｉ）たとえば、１つもしくは複数のＨＯ手順に基づいて、ＳＮ上でＳＵＬを使用するための切替えもしくは要求を開始するか、もしくはそのような手順を開始するための表示を（たとえば下位レイヤに）提供すること、（ｉｉ）タイマーを開始し、ＳＮ上で別のＵＬ（たとえばＳＵＬ）に切り替わるためのＮＷコマンドを待つこと（たとえば、ＷＴＲＵは、たとえば、ＮＷからのコマンドの受信なしのタイマーの満了に続いて、ＳＣＧ送信を中断し得る）、（ｉｉｉ）ＳＮの別のＵＬ（たとえばＳＵＬ）上でトリガリング条件を生成した行為を開始する（たとえばランダムアクセスを実施するか、もしくはＲＬＣにおいて送信を再試行する）こと、および場合によっては他のＵＬが現在構成されている場合（たとえば、ＲＡＣＨ問題に起因するＲＬＦがＲＵＬ上で起こった場合、ＷＴＲＵは、ＷＴＲＵがＲＲＣによるＳＵＬ構成を提供されている場合（たとえばおよびその場合のみ）、ＳＵＬ上でＲＡＣＨを再試行し得る）、（ｉｖ）タイマーを開始することであって、その間に、ＷＴＲＵは、それがＵＬを異なるキャリアに切り替えるためのＮＷコマンド（たとえばＲＲＣ、ＭＡＣ  ＣＥ、もしくはＬ１）を受信するまで、ＰＳＣｅｌｌ上でＤＬ受信を続け得るが、ＰＳＣｅｌｌ上でＵＬ送信を遅延させ得る（たとえば、ＷＴＲＵは、たとえば、ＮＷからのコマンドの受信なしのタイマーの満了に続いて、ＳＣＧ送信を中断し得る）、タイマーを開始すること、ならびに／または（ｖ）ＳＣＧ障害に関連し得るカウンタ（たとえばＲＬＣ再試行の数、ＰＲＡＣＨ送信試行の数）をリセットするための表示を（たとえば下位レイヤに）提供すること、のうちの１つまたは複数など、１つまたは複数（たとえば組合せ）の行為を実施し得る。
【０２０１】
行為を開始するための条件は、ＳＣＧ障害の時間中に構成されたＵＬに（たとえばさらに）依存し得る。ＷＴＲＵは、たとえば、ＷＴＲＵがＲＵＬを用いて構成されたがＳＵＬを用いて構成されないとき（たとえばそのときのみ）、１つまたは複数の条件に基づいて行為を開始し得る。
【０２０２】
ＷＴＲＵは（たとえばＲＵＬのみを使用する送信を用いて構成されたとき）、（ｉ）完全性検査障害、（ｉｉ）ＳＲＢ３再構成障害、および／または（ｉｉｉ）Ｌ１問題によるＲＬＦなど、１つまたは複数のＳＣＧ障害事例のためのＳＣＧ送受信を中断し得る。ＷＴＲＵは、たとえば、（ｉ）ＳＣＧ  ＲＬＣによる最大数のＲＬＣ再試行に起因するＲＬＦ、および／または（ｉｉ）ＳＣＧ  ＭＡＣ上のランダムアクセス問題によるＲＬＦ、のうちの１つまたは複数のために、それが（たとえばＳＵＬへの）ＵＬの再構成または切替えを受信するまで、ＰＳＣｅｌｌ上でＤＬ受信を続けるが、ＰＳＣｅｌｌ上でＵＬ送信を遅延させ得る。ＷＴＲＵは、（たとえば再構成に続いて）ＵＬ送信（たとえばＰＲＡＣＨまたはＲＬＣ再送信）を再び試みてよく、関連するタイマー／カウンタ（たとえばＲＬＣ再試行の数、ＰＲＡＣＨ送信カウンタ）をリセットし得る。
【０２０３】
ＳＣＧの部分的障害は、たとえば、ＲＵＬ／ＳＵＬ上の測定に基づいて起こり得る。１つまたは複数の他の例と併せて使用され得る例では、ＷＴＲＵは、（たとえばＰＳＣｅｌｌ  ＤＬ上の測定に応じて）（たとえば、ＳＣＧを中断するのではなく）行為を開始し得る。たとえば、ＷＴＲＵは、たとえば、（ｉ）ＳＣＧにおける最大ＲＬＣ再試行に起因するＳＣＧ障害、および／または（ｉｉ）ＳＣＧ  ＭＡＣにおけるランダムアクセス問題によるＳＣＧ障害、のうちの１つまたは複数のために、ＳＣＧ障害の条件に達すると、１つまたは複数の行為を開始し得る。条件および行為は、ＳＣＧ送受信を中断するために任意の組合せで組み合わされてよい。
【０２０４】
ＷＴＲＵは、ＳＵＬ上でＳＣＧ障害情報メッセージを送信し得る。たとえば、ＷＴＲＵは、（たとえばＭＮの代わりに）ＳＣＧのＳＵＬ上でＳＣＧ障害情報メッセージを送信し得る。ＷＴＲＵは、たとえば、１つまたは複数（たとえば組合せ）の条件が満足され得るとき（たとえばそのときのみ）、ＳＣＧのＳＵＬ上で送信を実施し得る。条件は、たとえば、（ｉ）ＷＴＲＵがＲＵＬ（たとえばそれのみ）を用いて構成される、（ｉｉ）ＷＴＲＵがＲＵＬおよびＳＵＬを用いて構成されるが、ＳＣＧ障害の時間においてＲＵＬ（たとえばそれのみ）の上で送信するように構成される、（ｉｉｉ）ＰＳＣｅｌｌのＤＬ品質が、ＳＣＧ障害より前の（たとえば時刻または時間期間について）しきい値を下回るかもしくはしきい値を下回っていた、ならびに／または（ｉｖ）ＳＣＧが、１つまたは複数（たとえばセット）の事例（たとえば最大数のＲＬＣ再試行に起因するＳＣＧ障害および／もしくはＳＣＧにおけるランダムアクセス問題によるＳＣＧ障害）によってトリガされている、のうちの１つまたは複数を含み得る。
【０２０５】
例えば（１つまたは複数の他の例と併せて使用され得る）（追加または代替の）例では、ＷＴＲＵは、（たとえばＳＵＬ上で実施される）ＲＡＣＨ手順におけるメッセージとしてＳＣＧ障害情報を送信し得る。ＷＴＲＵは、（たとえばブロードキャストシグナリングからの）ＳＵＬのためのＲＡＣＨパラメータ（たとえばそれのみ）を用いて構成されてよく、たとえば、ＳＵＬを介して実施され得るＲＡＣＨ手順またはＲＡＣＨ様の手順のＭＳＧ３の一部として、ＳＣＧ障害情報メッセージを送信し得る。
【０２０６】
ＷＴＲＵは、再確立手順中にＵＬ（たとえば、ＳＵＬまたはＲＵＬ）を選択し得る。たとえば、ＷＴＲＵは再確立手順中に、１つまたは複数の基準に基づいて再確立手順をその上で開始すべき複数（たとえば２つ）の構成されたＵＬの中から選択し得る。ＷＴＲＵは、たとえば、再確立が開始され、再確立手順をその上で実施すべき選択されたセルが、構成されたＳＵＬを有し得るとき、１つまたは複数の条件に基づいて再確立をその上で開始すべきＵＬ（たとえばＳＵＬまたはＲＵＬ）を選択し得る。条件は、たとえば、（ｉ）再確立手順中に選択されたセル、（ｉｉ）ＷＴＲＵスピード、（ｉｉｉ）ＷＴＲＵバッテリー電力、（ｉｖ）セルのＤＬチャネル品質、（ｖ）たとえば、ＷＴＲＵがセルに以前接続されたとき、そのセルによってＷＴＲＵに提供された、以前のＳＵＬ／ＲＵＬ構成（たとえば、ＷＴＲＵが、ただ１つのＳＵＬを用いて構成されたかただ１つのＲＵＬを用いて構成されたか、両方を用いて構成され、一方でアクティブにされたか両方でアクティブにされたか）、および／または（ｖｉ）再選択をＷＴＲＵに実施させることになったＲＬＦの原因、のうちの１つまたは複数を含み得る。
【０２０７】
ＷＴＲＵは、たとえば、ＷＴＲＵがＲＬＦをトリガしたセルとは異なるセルへの再選択が行われたとき、ＲＵＬを使用してよく、たとえば、ＲＬＦが発生したのと同じセルへの再選択が行われたとき、ＳＵＬを使用してよい。ＷＴＲＵは、たとえば、ＷＴＲＵがＲＬＦをトリガしたセルとは異なるセルへの再選択が行われたとき、およびそのセルが、しきい値を上回るＤＬ品質を有し得るとき、ＲＵＬを使用してよい。さもなければ、ＷＴＲＵは、選択されたセルへの再確立のためにＳＵＬを使用し得る。
【０２０８】
ＷＴＲＵは、たとえば、選択されたセルが、ＲＬＦがトリガされたセルとは異なるとき、ＲＵＬ／ＳＵＬが再確立のために使用され得るかどうかを判定するために、しきい値と比較されたＤＬ品質を使用し得る。同じセルが選択されたとき、ＷＴＲＵは、たとえば、ＷＴＲＵがＲＵＬ上にあった間にＲＬＦが発生し得たとき（たとえばそのときのみ）、ＳＵＬを使用し得る。
【０２０９】
（たとえば追加または代替の）例では、同じセルが選択されたときのＲＵＬ／ＳＵＬの選択の条件は、たとえば、ＷＴＲＵがセルに接続されていた間のＲＬＦの原因に（たとえばさらに）依存し得る。たとえば、ＷＴＲＵは、ＷＴＲＵがセルに接続されている間にＲＵＬを用いて構成され、および／またはＲＬＦトリガリング条件（たとえば最大ＲＬＣ再試行が満了したかもしくはＭＣＧ  ＭＡＣエンティティにおけるランダムアクセス問題）のサブセットのうちの１つもしくは複数の結果としてＲＬＦが発生したとき（たとえばそのときのみ）、ＳＵＬを使用し得る。
【０２１０】
ＷＴＲＵは、再選択再確立中にＳＵＬありのセルを優先させ得る。たとえば、ＷＴＲＵは、たとえば、再確立手順のために、再選択中にＳＵＬを用いて構成されたセルを優先させ得る。優先度付けは、品質が等しいセルの間で行われ得る。優先度付けは、（たとえばある）最大範囲だけ異なり得る品質をもつセルについて（たとえばそれらについても）行われ得る。たとえば、ＷＴＲＵは、たとえば、セル再選択中にＤＬ品質が等しい２つのセルが測定されたとき、構成されたＳＵＬありのセルを選択し得る。代替または追加として、ＷＴＲＵは（たとえばセル選択中に）、構成されたＳＵＬを有し得るセルのために品質オフセット（たとえば改善された品質）を適用し得る。
【０２１１】
ネットワークは、ＷＴＲＵにシステム情報（ＳＩ）を提供し得る。ＷＴＲＵは、ＲＵＬまたはＳＵＬについて、たとえば、両方のＵＬがシステム情報に基づいて利用可能であるとき、ＳＩ要求送信を実施し得る。ＲＵＬまたはＳＵＬの選択のためのＷＴＲＵの決定基準は、たとえば、（ｉ）セルのＤＬ品質、（ｉｉ）ＷＴＲＵスピード、（ｉｉｉ）ＷＴＲＵバッテリー電力、（ｉｖ）要求されたＳＩのタイプ、（ｖ）ネットワークによるＳＩ要求手順についてのブロードキャスト情報、（ｖｉ）要求の時間においてＷＴＲＵに対して構成されたＵＬ（たとえばＳＵＬもしくはＲＵＬ）、（ｖｉｉ）ＷＴＲＵがそれに対して要求を行っているセル、および／または（ｖｉｉｉ）ＳＩ要求手順のタイプ（たとえばＭＳＧ１もしくはＭＳＧ３ベースのＳＩ要求手順）、のうちの１つまたは複数に依存し得る。
【０２１２】
ＷＴＲＵは、セルのＤＬ品質に基づいてＵＬ（ＲＵＬ／ＳＵＬ）を選択し得る。たとえば、ＷＴＲＵは、たとえば、セルのＤＬ品質がしきい値を下回るとき、ＳＩ要求の送信のためにＳＵＬを選択し得る。しきい値は、初期アクセスのためのＵＬの選択に関連するしきい値と同じであっても同じでなくてもよい。ＷＴＲＵは、たとえば、セルのＤＬ品質がしきい値を上回るとき、ＲＵＬを選択し得る。
【０２１３】
ＷＴＲＵは、ＷＴＲＵスピードに基づいてＵＬ選択を実施し得る。たとえば、ＷＴＲＵは、たとえば、ＷＴＲＵスピードがしきい値よりも高いとき、ＳＩ要求の送信のためにＳＵＬを選択し得る。さもなければ、ＷＴＲＵはＲＵＬを選択し得る。
【０２１４】
ＷＴＲＵは、要求されたＳＩのタイプに基づいてＵＬ選択を実施し得る。たとえば、ＷＴＲＵは、１つまたは複数のＳＩＢまたはＳＩメッセージについてのＳＩ要求の送信のためにＳＵＬを選択し得る。ＷＴＲＵは、たとえば、（たとえば収集のために低レイテンシを要求するかまたは高優先度サービスに関連する）高優先度ＳＩＢについてのＳＩ要求のためにＳＵＬを利用し得る。
【０２１５】
ＷＴＲＵは、ネットワークによるＳＩ要求手順についてのブロードキャスト情報に基づいてＵＬ選択を実施し得る。たとえば、ＷＴＲＵは、（たとえばＮＷからの）ＳＩ要求構成に基づいてＳＩ要求の送信のためにＳＵＬを選択し得る。ＷＴＲＵは、（たとえばＭＳＧ１ベースのＳＩ要求手順のために）ブロードキャスト最小ＳＩ中で、特定のＳＩメッセージまたはＳＩＢを要求するために使用され得るＰＲＡＣＨプリアンブル／リソースを受信し得る。ＷＴＲＵは、どのＵＬ（たとえばＳＵＬまたはＲＵＬ）にリソースが適用可能であるかの表示を受信し得る。ＷＴＲＵは、対応するＵＬにおいてＳＩ要求を実施し得る。ＷＴＲＵは、（たとえば追加または代替として）ＲＵＬおよびＳＵＬのためのＰＲＡＣＨプリアンブル／リソースの構成を受信し得る。ＷＴＲＵは、ＳＩ要求のためのＵＬの選択のために別の例示的な手順を使用し得る。
【０２１６】
ＵＬ選択ベースのＵＬ（たとえばＳＵＬまたはＲＵＬ）は、たとえば、要求の時間における、ＷＴＲＵに対して構成され得る。（たとえばＲＲＣ＿ＩＮＡＣＴＩＶＥまたはＲＲＣ＿ＣＯＮＮＥＣＴＥＤにおけるＷＴＲＵの）例では、ＷＴＲＵは、たとえば、ＷＴＲＵのための構成またはアクティブ化されたＵＬ（たとえばＳＵＬまたはＲＵＬ）に基づいて、ＳＩ要求のためにＵＬを選択し得る。（たとえばＲＲＣ＿ＣＯＮＮＥＣＴＥＤにおける）ＷＴＲＵは、ＲＵＬ送信のみを用いて構成され得るか、またはＲＵＬのみがアクティブであるＳＵＬおよびＲＵＬを用いて構成され得る。ＷＴＲＵは、ＲＲＣ＿ＩＮＡＣＴＩＶＥにある間、ＳＩ要求のための構成／アクティブ化に（たとえばそれにも）従い得る。これは、ＷＴＲＵを最後に構成したのと同じセルへのＳＩ要求の送信に（たとえばそれにも）調整され得る。ＷＴＲＵは、たとえば、ＳＩ要求が、ＳＵＬ／ＲＵＬを最後に構成／アクティブ化したのと同じセルに対して行われ得るとき、使用すべきＵＬを判定するための構成を使用し得る。ＷＴＲＵは、たとえば、要求が（たとえばＲＲＣ＿ＩＮＡＣＴＩＶＥ中のモビリティに起因して）異なるセルに対して行われ得るとき、異なる基準を使用し得る。
【０２１７】
ＳＩのハンドリングの例／条件は、任意の組合せで組み合わされてよい。たとえば、ＷＴＲＵは、たとえば、セルのＤＬ品質がしきい値を下回り得るとき（たとえばそのときのみ）、いくつかのＳＩＢ（たとえばそれらのみ）についてのＳＩ要求の送信のためにＳＵＬを使用し得る。
【０２１８】
ＳＵＬのためにアクセス制御が実装され得る。たとえば、アクセス制御構成はＵＬキャリアに固有であり得る。ＷＴＲＵは、ＲＵＬキャリアとは無関係にＳＵＬのために別個のアクセス制御構成を用いて構成され得る。ＷＴＲＵは、選択されたＵＬキャリアに関連する特定のアクセス制御構成を適用し得る。そのようなＵＬキャリア固有アクセス制御は、それぞれのＵＬキャリア上の輻輳ステータスに基づく独立したオーバーロード制御を執行し得る。
【０２１９】
ＷＴＲＵは、（たとえば、ＲＵＬと比較された）ＳＵＬ上のアクセスカテゴリーのサブセットのためのアクセス制御構成を用いて構成され得る。ＷＴＲＵは、ＳＵＬ上の構成されないアクセスカテゴリーに関連する送信を禁止するように（たとえば、暗黙的または明示的に）構成され得る。ＷＴＲＵは、ＳＵＬ上の構成されないアクセスカテゴリーのためにＲＵＬからのアクセス制御構成を再利用するように（たとえば、暗黙的または明示的に）構成され得る。ＳＵＬからの１つまたは複数のアクセス制御構成は、ＲＵＬからのベースラインアクセス制御構成をオーバーライドし得る。
【０２２０】
ＷＴＲＵは、ＵＬキャリア選択をアクセス制御構成（たとえば、ＳＵＬ上の選択的送信を執行するアクセス制御）に基づかせ得る。たとえば、ＷＴＲＵは、アクセス制御に関係する１つまたは複数の態様に基づいて複数のアップリンクキャリアからアップリンクキャリアを選択するように構成され得る。ＷＴＲＵは（たとえば、アクセス制御構成に基づくために）、セルにおける特定の時刻において許容される送信のタイプ（たとえばアクセスカテゴリー）を判定し、および／またはそのような送信を実施するために使用され得るＵＬキャリアを判定し得る。
【０２２１】
例では、ＷＴＲＵは、（たとえば、ＤＬ経路損失がしきい値を上回るが、ＲＵＬを介した送信が望ましくないかまたは不要であるとき）いくつかのＵＬ送信をＳＵＬにルーティングするためにアクセス制御構成に基づいてＵＬキャリア選択を実施し得る。ＵＬ送信をＳＵＬにルーティングする状況の例は、ＲＵＬにおける輻輳、より短い送信、および／または非ＷＴＲＵ固有応答をトリガする送信に関与する状況を含み得る。
【０２２２】
ＲＵＬにおける輻輳に関与する例では、ＷＴＲＵは、ＲＵＬ上の送信がアクセス除外ファクタ構成に基づいて禁止されたとき、ならびに／またはＲＵＬに関連するアクセス除外タイマーが実行中であるおよび／もしくはＲＵＬ上の送信が一時的に遅延され得るとき、ＳＵＬ上で送信を実施するように構成され得る。
【０２２３】
より短い送信に関与する例では、ＳＵＬを介したいくつかの送信は、より少ないオーバーヘッドにつながり得る（たとえば、短い送信ではＲＵＬ上のビームフォーミングのオーバーヘッドが不要であり得る）。ＷＴＲＵは、（たとえば、非アクティブ状態におけるＲＡＮエリア更新などに対応する）いくつかのアクセスカテゴリーのためのＳＵＬを介した送信のために構成され得る。例では、より短いデータバーストを一般に生じるいくつかのＱｏＳフローは、ＳＵＬキャリアにマッピングされ得る。
【０２２４】
非ＷＴＲＵ固有応答をトリガする送信に関与する例では、ＷＴＲＵは、ＤＬ  ＳＩ送信がブロードキャストされた場合、ＳＵＬキャリア上でオンデマンドＳＩ要求（たとえば、専用プリアンブル送信）を実施するように構成され得る。
【０２２５】
ＷＴＲＵは、ＳＵＬおよびＲＵＬのために別個のアクセス制御パラメータを用いて構成され得る。ＳＵＬ上でいくつかのアクセスカテゴリーを可能にすること（および／またはＲＵＬ上でそれらのアクセスカテゴリーをブロックすること）によって、選択的送信が執行され得る。たとえば、ＷＴＲＵは、単一のアクセス制御構成を用いて構成されてよく、あるアクセスカテゴリーのために使用されるべきＵＬキャリアは、アクセス制御パラメータ自体の一部として構成され得る。たとえば、各アクセスカテゴリーは、ＳＵＬまたはＲＵＬのいずれかに関連し得る。ＷＴＲＵは、送信の特性（たとえば、制御メッセージ送信のＱｏｓフローＩＤまたはタイプ）に基づいてアクセスカテゴリーを判定し得る。ＷＴＲＵは、アクセス制御構成に基づいて、適用可能なＵＬキャリアを判定し得る。
【０２２６】
ＷＴＲＵは、ＳＵＬ  ＢＷＰ選択および切替え手順を実装し得る。たとえば、ＲＲＣは、１つまたは複数のＳＵＬ  ＢＷＰとの各ＤＬ  ＢＷＰおよび／またはＲＵＬ  ＢＷＰの関連付けを用いてＷＴＲＵを構成し得る。これにより、ＷＴＲＵは、異なるキャリア上で動作するにもかかわらず、同様のＵＬ動作特性（たとえばＢＷ、数秘学など）を維持することが可能になり得る。
【０２２７】
例では、関連付け手順は、ＷＴＲＵ帯域幅動作（たとえば、ＷＴＲＵによってサポートされる数秘学）、ＷＴＲＵ  ＲＦ能力（たとえば、ＲＵＬ上のＢＷＰに対応するＳＵＬ上の特定のＢＷＰをサポートするための能力）、電力節約目的、および／またはＷＴＲＵサービス要件（たとえば、必要とされる帯域幅、レイテンシなど）、のうちの１つまたは複数に基づいてネットワークによって判定され得る。
【０２２８】
ＷＴＲＵは、ＲＲＣシグナリングを通してＳＵＬ  ＢＷＰとＲＵＬ  ＢＷＰの必要とされる関連付けを受信し得る。ＷＴＲＵは、そのような関連付けを利用して、ネットワークからの単一のコマンドを使用してＲＵＬとＳＵＬの両方のためのＢＷＰの切替えを可能にし得る。たとえば、ＷＴＲＵは、ＲＵＬ／ＳＵＬのためのＢＷＰ切替えコマンドを受信すると、関連付けにおいて定義されているＢＷＰへの、他方のＵＬ（ＳＵＬ／ＲＵＬ）のＢＷＰの切替えを（たとえば、暗黙的に）実施し得る。
【０２２９】
ＲＵＬとＳＵＬとの間のＢＷＰ関連付けは、１対１の関連付けまたは１対多の関連付けであり得る。たとえば、１対１の関連付けでは、ＢＷＰ１からＢＷＰ２へのＲＵＬにおけるＢＷＰ切替えは、ＢＷＰ２に関連するＢＷＰへのＳＵＬにおけるＢＷＰ切替えを自動的に生じ得る。たとえば、１対多の関連付けでは、ＳＵＬにおいて複数の関連するＢＷＰを有するＢＷＰへのＲＵＬにおける切替えは、たとえば、ＤＬ  ＲＳＲＰ／ＲＳＲＱ、および／または（たとえば、ＮＷによって決定され得るような）ＷＴＲＵ帯域幅動作、電力節約最適化、もしくは数秘学に関係する同様の態様、のうちの１つまたは複数に基づく、ＳＵＬ  ＢＷＰを選択するためのＷＴＲＵにおける追加のルールを生じ得る。
【０２３０】
ＲＵＬにおけるＢＷＰ切替えコマンドは、ＳＵＬにおける関連するペアリングされたＢＷＰに依存し得る。これにより、ネットワークは、ＳＵＬにおけるペアリングされたＢＷＰがＷＴＲＵ能力および要件に適応されたとき（たとえばそのときのみ）、ＲＵＬにおいてＢＷＰ切替えを開始することが可能になり得る。
【０２３１】
例では、ＲＵＬとＳＵＬがＷＴＲＵに対して両方とも構成されたとき、ＲＲＣは、ＲＵＬにおけるアクティブＢＷＰと、ＳＵＬにおけるアクティブＢＷＰを構成し得る。ダウンリンク制御情報（ＤＣＩ）ベースのアクティブ化／非アクティブ化がサポートされ得る。ＤＣＩは、専用ＲＲＣシグナリングを介したアクティブ化／非アクティブ化への追加であり得る。ＤＣＩは、アクティブ化／非アクティブ化コマンドがどのＵＬを目的としているかを指定するための１ビット情報を含んでいることがある。
【０２３２】
例では、１つ（たとえば、ただ１つ）のＵＬが構成されたとき、一度にセルごとに１つ（たとえば、ただ１つ）のＵＬ  ＢＷＰがアクティブであり得る。ＵＬキャリア切替えは、別のＵＬキャリアのＢＷＰに切り替わるためのＤＣＩアクティブ化／非アクティブ化ＢＷＰコマンドをＷＴＲＵが受信することによって可能にされ得る。
【０２３３】
例では、複数のＢＷＰがＳＵＬにおいてアクティブであってよく、ＳＵＬにおけるＢＷＰの選択または切替えは、ＷＴＲＵによって開始され得る。ＳＵＬにおけるＢＷＰの選択または切替えは、関連するセルのＤＬ測定に基づき得る。
【０２３４】
例では、ＷＴＲＵが両方のＵＬキャリア（ＲＵＬとＳＵＬ）を用いて構成され、ＷＴＲＵによって受信されたＤＬ  ＲＳＲＰがしきい値よりも低い場合、ＷＴＲＵは、それが、構成されたＳＵＬ  ＢＷＰのうちの１つの中で送信する必要があると判定し得る。
【０２３５】
例では、ＷＴＲＵは、測定されたＲＳＲＱに基づいてＳＵＬ  ＢＷＰのうちの１つを選択してよく、（ｉ）たとえば、受信されたＲＳＲＰがしきい値よりも低い場合、ＷＴＲＵは、低周波数ＢＷＰに関連するＳＵＬを選択してよく、（ｉｉ）受信されたＲＳＲＰがしきい値よりも高いが、受信されたＲＳＲＱが別のしきい値よりも低い場合、ＷＴＲＵは、より高い周波数ＢＷＰを選択してよい。
【０２３６】
ＷＴＲＵは、ＲＳＲＰが信号強度に関する情報を提供するので、低周波数ＢＷＰに関連するＳＵＬを選択してよい。たとえば、低いＲＳＲＰは、経路損失減衰または妨害に起因することがあり、より低い周波数におけるＢＷＰは、フェージングおよび妨害に対してよりロバストであり得る。
【０２３７】
ＷＴＲＵは、（たとえば、ＲＳＲＱ計算におけるＲＳＲＰ値のほかには）ＲＳＳＩ値が干渉および雑音情報を含んでいるので、より高い周波数ＢＷＰを選択し得る。たとえば、高いＲＳＲＰを伴う低いＲＳＲＱは干渉の優勢に起因することがあり、より高い周波数は干渉に対してよりロバストであるので、ＷＴＲＵには高周波数ＢＷＰがより好適であり得る。
【０２３８】
ワイヤレスシステムにおける補助アップリンク（ＳＵＬ）のためのシステム、方法、および手段が開示された。ＳＵＬを用いて構成されるセルについて、セル適合性基準が提供され得る。ＷＴＲＵは、初期アクセスの一部または全部をそれにおいて開始すべきキャリア（たとえばＳＵＬまたは正規アップリンク（ＲＵＬ））の表示を伴うページングを受信し得る。応答駆動型ページングを実施していることがあるワイヤレス送受信ユニット（ＷＴＲＵ）は、ビームフォーミングされないＳＵＬ上のページングメッセージのビームフォーミングについて（たとえば明示的な）ビーム情報を提供し得る。構成されたＳＵＬを有するＷＴＲＵに、ハンドオーバ（ＨＯ）手順（たとえばキャリア選択、構成ハンドリング、ＨＯ失敗）が提供され得る。ＷＴＲＵは、構成されたＵＬの変更を要求し得る。ＷＴＲＵは、たとえば、１つまたは複数の条件が満たされ得るとき、異なる（たとえば構成された）アップリンクへの切替えを（たとえば自律的に）実施し得る（たとえば、条件付き切替え）。半永続的スケジューリング（ＳＰＳ）リソース／構成が、第１のＵＬから第２のＵＬにリロケートされ得る。ＳＵＬの存在下で、無線リソース制御（ＲＲＣ）メッセージに、重複およびＵＬ経路選択が提供され得る。ＷＴＲＵは、たとえば、ＲＬＦ関係の条件がＳＵＬ／ＲＵＬ上で発生したかどうかに基づいて、およびＳＵＬ／ＲＵＬ構成に基づいて、無線リンク障害（ＲＬＦ）をトリガすることも、トリガしないこともある。条件は、ＲＵＬ／ＳＵＬ間の切替え時の、ＲＬＦ関係のカウンタ／タイマーの一時停止／リセットのために設定され得る。ＷＴＲＵは、たとえば、２次セルグループ（ＳＣＧ）障害情報報告中に、ＲＵＬ／ＳＵＬ構成をマスタノード（ＭＮ）に通知し得る。ＲＵＬ上のＳＣＧ  ＲＬＦによってトリガされ得る部分的ＳＣＧ障害のために、（たとえば、対応するＷＴＲＵ挙動を伴う）手順が実装され得る。ＷＴＲＵは、再確立をその上で開始すべきＵＬキャリア（たとえばＳＵＬ／ＲＵＬ）を選択し得る。ＳＵＬ／ＲＵＬの存在下で、システム情報（ＳＩ）要求のＵＬ選択のための手順が提供され得る。
【０２３９】
本明細書で説明される処理および手段は、任意の組合せで適用されてよく、他のワイヤレス技術に、および他のサービスのために適用され得る。
【０２４０】
ＷＴＲＵは、物理デバイスの識別を指すか、またはたとえば、ＭＳＩＳＤＮ、ＳＩＰ  ＵＲＩなど、サブスクリプション関係の識別などのユーザの識別を指し得る。ＷＴＲＵは、適用例ベースの識別、たとえば、適用例ごとに使用され得るユーザ名を指し得る。
【０２４１】
本明細書で説明されるコンピューティングシステムの各々は、説明される機能を達成するために、本明細書で説明されるパラメータを判定すること、ならびにエンティティ（たとえばＷＴＲＵおよびネットワーク）間でメッセージを送り受信することを含む、本明細書で説明される機能を達成するための実行可能命令を用いて構成されたメモリまたはハードウェアを有する１つまたは複数のコンピュータプロセッサを有し得る。
【０２４２】
上記で説明された処理は、コンピュータおよび／またはプロセッサによる実行のためにコンピュータ可読媒体に組み込まれたコンピュータプログラム、ソフトウェア、および／またはファームウェアにおいて実装され得る。コンピュータ可読媒体の例は、限定はされないが、（ワイヤードおよび／もしくはワイヤレス接続を介して送信される）電子信号ならびに／またはコンピュータ可読記憶媒体を含む。コンピュータ可読記憶媒体の例は、限定はされないが、読取り専用メモリ（ＲＯＭ）、ランダムアクセスメモリ（ＲＡＭ）、レジスタ、キャッシュメモリ、半導体メモリデバイス、限定はされないが内蔵ハードディスクおよびリムーバブルディスク、磁気光学媒体などの磁気媒体、ならびに／またはＣＤ−ＲＯＭディスク、および／もしくはデジタル多用途ディスク（ＤＶＤ）などの光媒体を含む。ＷＴＲＵ、端末、基地局、ＲＮＣ、および／または任意のホストコンピュータにおいて使用するための無線周波数トランシーバを実装するために、ソフトウェアに関連付けられたプロセッサが使用され得る。
【図１Ａ】
2021503226.tif 000003
【図１Ｂ】
2021503226.tif 000004
【図１Ｃ】
2021503226.tif 000005
【図１Ｄ】
2021503226.tif 000006
【図２】
2021503226.tif 000007
【図３】
2021503226.tif 000008
【図４】
2021503226.tif 000009
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
ワイヤレス送受信ユニット（ＷＴＲＵ）であって、
セルに関連付けられたＲＸレベルを測定し、
ＲＸレベルしきい値が満たされていることを示す値を前記測定されたＲＸレベルが有するかどうかを判定し、前記セルが補足アップリンク（ＳＵＬ）をサポートするように構成されていることおよび前記ＷＴＲＵが前記ＳＵＬをサポートするように構成されていることを条件に、前記値はセル選択パラメータに関するＳＵＬを用いて取得され、
前記測定されたＲＸレベルが前記値を有しているかどうかの前記判定に基づいてセル選択を実行する
ように構成されたプロセッサを備えた、ＷＴＲＵ。
【請求項２】
ワイヤレス送受信ユニット（ＷＴＲＵ）によって実行される方法であって、
セルに関連付けられたＲＸレベルを測定することと、
ＲＸレベルしきい値が満たされていることを示す値を前記測定されたＲＸレベルが有するかどうかを判定することであって、前記セルが補足アップリンク（ＳＵＬ）をサポートするように構成されていることおよび前記ＷＴＲＵが前記ＳＵＬをサポートするように構成されていることを条件に、前記値はセル選択パラメータに関するＳＵＬを用いて取得される、ことと、
前記測定されたＲＸレベルが前記値を有しているかどうかの前記判定に基づいてセル選択を実行することと
を含む、方法。
【請求項３】
セル選択パラメータに関する前記ＳＵＬは前記セルに固有のＳＵＬオフセットに基づく、請求項１に記載のＷＴＲＵまたは請求項２に記載の方法。
【請求項４】
セル選択パラメータに関する前記ＳＵＬはシステム情報ブロック（ＳＩＢ）中で受信される、請求項１に記載のＷＴＲＵまたは請求項２に記載の方法。
【請求項５】
前記ＷＴＲＵが前記ＳＵＬをサポートするように構成されていないことまたは前記セルが補足アップリンク（ＳＵＬ）をサポートするように構成されていないことを条件に、前記値はセル選択パラメータに関する非ＳＵＬを用いて取得され、セル選択パラメータに関する前記非ＳＵＬは非ＳＵＬオフセットに基づく、請求項１に記載のＷＴＲＵまたは請求項２に記載の方法。
【請求項６】
前記測定されたＲＸレベルが前記値を有するかどうかは第１のセル適合性基準または第２のセル適合性基準に基づいて判定され、前記セルが前記ＳＵＬをサポートするように構成されていることおよび前記ＷＴＲＵが前記ＳＵＬをサポートするように構成されていることを条件に、前記第１のセル適合性基準が使用され、前記ＷＴＲＵが前記ＳＵＬをサポートするように構成されていないことまたは前記セルが前記ＳＵＬをサポートするように構成されていないことおよびを条件に、前記第２のセル適合性基準が使用される、請求項１に記載のＷＴＲＵまたは請求項２に記載の方法。
【請求項７】
前記プロセッサは、
前記セルからシステム情報を受信し、
前記システム情報がＳＵＬ構成情報を含むことを判定し、
前記ＳＵＬ構成情報を含んでいる前記システム情報の前記受信に基づいて、前記セルがＳＵＬをサポートするように構成されていることを判定する
ようにさらに構成されている、請求項１に記載のＷＴＲＵ。
【請求項８】
前記セルからシステム情報を受信することと、
前記システム情報がＳＵＬ構成情報を含むことを判定することと、
前記ＳＵＬ構成情報を含んでいる前記システム情報の前記受信に基づいて、前記セルがＳＵＬをサポートするように構成されていることを判定することと
をさらに含む、請求項２に記載の方法。
【請求項９】
前記システム情報はセル選択パラメータに関する前記ＳＵＬを含む、請求項７に記載のＷＴＲＵまたは請求項８に記載の方法。
【請求項１０】
前記測定されたＲＸレベルは前記ＲＸレベルしきい値が満たされていることを示す前記値を有していないと判定され、前記ＲＸレベルが測定された前記セルと異なるセルを選択するために前記セル選択が実行される、請求項１に記載のＷＴＲＵまたは請求項２に記載の方法。
【請求項１１】
前記プロセッサは、
前記測定されたＲＸレベルが前記ＲＸレベルしきい値が満たされていることを示す前記値を有しているという判定に基づいて、前記セルを選択し、
前記セルにキャンプオンする
ように構成されている、請求項１に記載のＷＴＲＵ。
【請求項１２】
前記測定されたＲＸレベルが前記ＲＸレベルしきい値が満たされていることを示す前記値を有しているという判定に基づいて、前記セルを選択することと、
前記セルにキャンプオンすることと
をさらに含む、請求項２に記載の方法。
【請求項１３】
前記プロセッサは、
前記セルからシステム情報を受信し、
前記システム情報がＳＵＬ構成情報を含んでいないと判定し、
前記システム情報が前記ＳＵＬ構成情報を含んでいないことに基づいて、前記セルがＳＵＬをサポートするように構成されていないことを判定する
ようにさらに構成されている、請求項１に記載のＷＴＲＵ。
【請求項１４】
前記プロセッサは、
前記セルから、第２のセルに関する情報を含むシステム情報ブロック（ＳＩＢ）を受信し、
前記ＳＩＢに基づいて前記第２のセルの適合性を判定する
ようにさらに構成され、
前記第２のセルが第２のＳＵＬをサポートするように構成され、および前記ＷＴＲＵが前記第２のＳＵＬをサポートする場合、前記プロセッサは、第１のセル適合性基準を使用して前記第２のセルの前記適合性を判定するように構成され、
前記第２のセルが前記第２のＳＵＬをサポートするように構成されていない、または前記ＷＴＲＵがＳ前記第２のＳＵＬをサポートするように構成されていない場合、前記プロセッサは、第２のセル適合性基準を使用して前記第２のセルの前記適合性を判定するように構成されている、請求項１に記載のＷＴＲＵ。
【請求項１５】
ワイヤレス送受信ユニット（ＷＴＲＵ）であって、
セルに関連付けられたＲＸレベルを測定し、
ＲＸレベルしきい値が満たされていることを示す値を前記測定されたＲＸレベルが有するかどうかを判定し、前記ＷＴＲＵが前記セルに関連付けられた補足アップリンク（ＳＵＬ）において動作するように構成されていることを条件に、前記値はセル選択パラメータに関する前記ＳＵＬを用いて取得され、
前記測定されたＲＸレベルが前記値を有するかどうかの前記判定に基づいてセル選択を実施する
ように構成されたプロセッサを備えた、ＷＴＲＵ。
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
ワイヤレス送受信ユニット（ＷＴＲＵ）であって、
セルに関連付けられたＲＸレベルを測定し、
ＲＸレベルしきい値が満たされていることを示す値を前記測定されたＲＸレベルが有するかどうかを判定し、前記セルが補足アップリンク（ＳＵＬ）をサポートするように構成されていることおよび前記ＷＴＲＵが前記ＳＵＬをサポートするように構成されていることを条件に、前記値はセル選択パラメータに関するＳＵＬを用いて取得され、
前記測定されたＲＸレベルが前記値を有しているかどうかの前記判定に基づいてセル選択を実行する
ように構成されたプロセッサを備えた、ＷＴＲＵ。
【請求項２】
セル選択パラメータに関する前記ＳＵＬは前記セルに固有のＳＵＬオフセットに基づく、請求項１に記載のＷＴＲＵ。
【請求項３】
セル選択パラメータに関する前記ＳＵＬはシステム情報ブロック（ＳＩＢ）中で受信される、請求項１に記載のＷＴＲＵ。
【請求項４】
前記ＷＴＲＵが前記ＳＵＬをサポートするように構成されていないことまたは前記セルが補足アップリンク（ＳＵＬ）をサポートするように構成されていないことを条件に、前記値はセル選択パラメータに関する非ＳＵＬを用いて取得され、セル選択パラメータに関する前記非ＳＵＬは非ＳＵＬオフセットに基づく、請求項１に記載のＷＴＲＵ。
【請求項５】
前記測定されたＲＸレベルが前記値を有するかどうかは第１のセル適合性基準または第２のセル適合性基準に基づいて判定され、
前記セルが前記ＳＵＬをサポートするように構成されていることおよび前記ＷＴＲＵが前記ＳＵＬをサポートするように構成されていることを条件に、前記第１のセル適合性基準が使用され、
前記ＷＴＲＵが前記ＳＵＬをサポートするように構成されていないことまたは前記セルが前記ＳＵＬをサポートするように構成されていないことおよびを条件に、前記第２のセル適合性基準が使用される、請求項１に記載のＷＴＲＵ。
【請求項６】
前記プロセッサは、
前記セルからシステム情報を受信し、
前記システム情報がＳＵＬ構成情報を含むことを判定し、
前記ＳＵＬ構成情報を含んでいる前記システム情報の前記受信に基づいて、前記セルがＳＵＬをサポートするように構成されていることを判定する
ようにさらに構成されている、請求項１に記載のＷＴＲＵ。
【請求項７】
前記システム情報はセル選択パラメータに関する前記ＳＵＬを含む、請求項６に記載のＷＴＲＵ。
【請求項８】
前記測定されたＲＸレベルは前記ＲＸレベルしきい値が満たされていることを示す前記値を有していないと判定され、前記ＲＸレベルが測定された前記セルと異なるセルを選択するために前記セル選択が実行される、請求項１に記載のＷＴＲＵ。
【請求項９】
前記プロセッサは、
前記測定されたＲＸレベルが前記ＲＸレベルしきい値が満たされていることを示す前記値を有しているという判定に基づいて、前記セルを選択し、
前記セルにキャンプオンする
ように構成されている、請求項１に記載のＷＴＲＵ。
【請求項１０】
前記プロセッサは、
前記セルからシステム情報を受信し、
前記システム情報がＳＵＬ構成情報を含んでいないと判定し、
前記システム情報が前記ＳＵＬ構成情報を含んでいないことに基づいて、前記セルがＳＵＬをサポートするように構成されていないことを判定する
ようにさらに構成されている、請求項１に記載のＷＴＲＵ。
【請求項１１】
前記プロセッサは、
前記セルから、第２のセルに関する情報を含むシステム情報ブロック（ＳＩＢ）を受信し、
前記ＳＩＢに基づいて前記第２のセルの適合性を判定する
ようにさらに構成され、
前記第２のセルが第２のＳＵＬをサポートするように構成され、および前記ＷＴＲＵが前記第２のＳＵＬをサポートする場合、前記プロセッサは、第１のセル適合性基準を使用して前記第２のセルの前記適合性を判定するように構成され、
前記第２のセルが前記第２のＳＵＬをサポートするように構成されていない、または前記ＷＴＲＵがＳ前記第２のＳＵＬをサポートするように構成されていない場合、前記プロセッサは、第２のセル適合性基準を使用して前記第２のセルの前記適合性を判定するように構成されている、請求項１に記載のＷＴＲＵ。
【請求項１２】
ワイヤレス送受信ユニット（ＷＴＲＵ）によって実行される方法であって、
セルに関連付けられたＲＸレベルを測定することと、
ＲＸレベルしきい値が満たされていることを示す値を前記測定されたＲＸレベルが有するかどうかを判定することであって、前記セルが補足アップリンク（ＳＵＬ）をサポートするように構成されていることおよび前記ＷＴＲＵが前記ＳＵＬをサポートするように構成されていることを条件に、前記値はセル選択パラメータに関するＳＵＬを用いて取得される、ことと、
前記測定されたＲＸレベルが前記値を有しているかどうかの前記判定に基づいてセル選択を実行することと
を含む、方法。
【請求項１３】
セル選択パラメータに関する前記ＳＵＬは前記セルに固有のＳＵＬオフセットに基づく、請求項１２に記載の方法。
【請求項１４】
セル選択パラメータに関する前記ＳＵＬはシステム情報ブロック（ＳＩＢ）中で受信される、請求項１２に記載の方法。
【請求項１５】
前記ＷＴＲＵが前記ＳＵＬをサポートするように構成されていないことまたは前記セルが補足アップリンク（ＳＵＬ）をサポートするように構成されていないことを条件に、前記値はセル選択パラメータに関する非ＳＵＬを用いて取得され、セル選択パラメータに関する前記非ＳＵＬは非ＳＵＬオフセットに基づく、請求項１２に記載の方法。
【請求項１６】
前記測定されたＲＸレベルが前記値を有するかどうかは第１のセル適合性基準または第２のセル適合性基準に基づいて判定され、
前記セルが前記ＳＵＬをサポートするように構成されていることおよび前記ＷＴＲＵが前記ＳＵＬをサポートするように構成されていることを条件に、前記第１のセル適合性基準が使用され、
前記ＷＴＲＵが前記ＳＵＬをサポートするように構成されていないことまたは前記セルが前記ＳＵＬをサポートするように構成されていないことおよびを条件に、前記第２のセル適合性基準が使用される、請求項１２に記載の方法。
【請求項１７】
前記セルからシステム情報を受信することと、
前記システム情報がＳＵＬ構成情報を含むことを判定することと、
前記ＳＵＬ構成情報を含んでいる前記システム情報の前記受信に基づいて、前記セルがＳＵＬをサポートするように構成されていることを判定することと
をさらに含む、請求項１２に記載の方法。
【請求項１８】
前記システム情報はセル選択パラメータに関する前記ＳＵＬを含む、請求項１７に記載の方法。
【請求項１９】
前記測定されたＲＸレベルは前記ＲＸレベルしきい値が満たされていることを示す前記値を有していないと判定され、前記ＲＸレベルが測定された前記セルと異なるセルを選択するために前記セル選択が実行される、請求項１２に記載の方法。
【請求項２０】
前記測定されたＲＸレベルが前記ＲＸレベルしきい値が満たされていることを示す前記値を有しているという判定に基づいて、前記セルを選択することと、
前記セルにキャンプオンすることと
をさらに含む、請求項１２に記載の方法。
【請求項２１】
ワイヤレス送受信ユニット（ＷＴＲＵ）であって、
セルに関連付けられたＲＸレベルを測定し、
ＲＸレベルしきい値が満たされていることを示す値を前記測定されたＲＸレベルが有するかどうかを判定し、前記ＷＴＲＵが前記セルに関連付けられた補足アップリンク（ＳＵＬ）において動作するように構成されていることを条件に、前記値はセル選択パラメータに関する前記ＳＵＬを用いて取得され、
前記測定されたＲＸレベルが前記値を有するかどうかの前記判定に基づいてセル選択を実施する
ように構成されたプロセッサを備えた、ＷＴＲＵ。
【国際調査報告】
2021503226.tif 000010
2021503226.tif 000011
2021503226.tif 000012
2021503226.tif 000013
2021503226.tif 000014